(57)【要約】  潤滑油として配合油を使用することによって、潤滑油によって潤滑されたエンジンにおける堆積物制御及び清浄度性能を維持又は改善しながら、燃料効率及びエネルギー効率を改善する方法。配合油はベースオイル混合物を含む。ベースオイル混合物は、主成分として潤滑油ベースストック及び微量成分として少なくとも１種のコベースストックを含む。少なくとも１種のコベースストックは、潤滑油が、ＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定されるベースオイル混合物の動粘度（Ｋｖ１００）を減少させるために十分な量で存在する。主成分として潤滑油ベースストック及び微量成分として少なくとも１種のコベースストックを含む組成物を有する潤滑油。
2020511581.tif 000002
【特許請求の範囲】
【請求項１】
ベースオイル混合物を含んでなる潤滑油であって、前記潤滑油がＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される前記潤滑油のコールドクランキングシミュレーター粘度（ＣＣＳＶ）を維持又は制御しながら、ＡＳＴＭ  Ｄ４４５によって決定される前記ベースオイル混合物の動粘度（Ｋｖ１００）を減少させるために、前記ベースオイル混合物が、主成分として潤滑油ベースストックと、１００℃において約６．２ｃＳｔ未満の動粘度（Ｋｖ１００）を有する前記潤滑油の１〜１５重量％の微量成分として少なくとも１種のコベースストックとを含んでなる、潤滑油。
【請求項２】
前記少なくとも１種のコベースストックが、Ｃ２８メチルパラフィン、パルミチン酸デシル、ココナッツ油及びＣ１８二量体からなる群から選択される、請求項１に記載の潤滑油。
【請求項３】
前記少なくとも１種のコベースストックが、グループＩＶコベースストック、グループＶコベースストック、又はそれらの混合物を含んでなる、請求項１に記載の潤滑油。
【請求項４】
前記少なくとも１種のコベースストックが、Ｃ２０〜３６ポリアルファオレフィン、Ｃ２４〜３２ポリアルファオレフィン、Ｃ２４〜２８ポリアルファオレフィン、又はそれらの混合物であり、且つ約１〜約４の分岐点を有する、請求項１に記載の潤滑油。
【請求項５】
前記少なくとも１種のコベースストックが、Ｃ８、Ｃ１０、Ｃ１２、Ｃ１４オレフィン又はそれらの混合物から誘導されるポリアルファオレフィンであり、且つ約１〜約４の分岐点を有する、請求項１に記載の潤滑油。
【請求項６】
前記少なくとも１種のコベースストックが、ＡＳＴＭ  Ｄ４４５によって決定される１００℃における約４ｃＳｔ未満の動粘度（Ｋｖ１００）を有する二量体化、水素化Ｃ１４線形アルファオレフィンである、請求項１に記載の潤滑油。
【請求項７】
前記潤滑油ベースストックが、グループＩＩＩベースストック、グループＩＶベースストック、又はそれらの混合物を含んでなる、請求項１に記載の潤滑油。
【請求項８】
ＳＡＥ  ５Ｗ−２０エンジンオイル、ＳＡＥ  ５Ｗ−３０エンジンオイル、又はＳＡＥ  １０Ｗ−３０エンジンオイルである、請求項１に記載の潤滑油。
【請求項９】
前記潤滑油がＡＳＴＭ  Ｄ５２９３−１５によって決定される匹敵するコールドクランキングシミュレーター粘度（ＣＣＳＶ）及びＡＳＴＭ  Ｄ４６８３−１３によって決定される高温高剪断（ＨＴＨＳ）粘度を有する場合、前記コベースストック以外の微量成分を含有するベースオイル混合物の動粘度（Ｋｖ１００）と比較して、ＡＳＴＭ  Ｄ４４５によって決定される前記ベースオイル混合物の動粘度（Ｋｖ１００）が減少する、請求項１に記載の潤滑油。
【請求項１０】
ＡＳＴＭ  Ｄ４４５によって決定される前記ベースオイル混合物の前記動粘度（Ｋｖ１００）が、約０．５ｃＳｔよりも多く減少する、請求項９に記載の潤滑油。
【請求項１１】
前記潤滑油がＡＳＴＭ  Ｄ５２９３−１５によって決定される匹敵するコールドクランキングシミュレーター粘度（ＣＣＳＶ）及びＡＳＴＭ  Ｄ４６８３−１３によって決定される高温高剪断（ＨＴＨＳ）粘度を有する場合、前記コベースストック以外の微量成分を含有する潤滑油のＮｏａｃｋ揮発性と比較して、ＡＳＴＭ  Ｄ５８００によって決定される前記潤滑油のＮｏａｃｋ揮発性が減少する、請求項１に記載の潤滑油。
【請求項１２】
ＡＳＴＭ  Ｄ５８００によって決定される前記潤滑油の前記Ｎｏａｃｋ揮発性が、約０．５〜約２．５重量％減少する、請求項１１に記載の潤滑油。
【請求項１３】
ＡＳＴＭ  Ｄ４４５によって決定される約２ｃＳｔ〜約１２ｃＳｔの１００℃における動粘度（Ｋｖ１００）、ＡＳＴＭ  Ｄ５２９３−１５によって決定される約１０００ｃＰ〜約６２００ｃＰの−３５℃におけるコールドクランキングシミュレーター粘度（ＣＣＳＶ）、ＡＳＴＭ  Ｄ５２９３−１５によって決定される約１０００ｃＰ〜約６６００ｃＰの−３０℃におけるコールドクランキングシミュレーター粘度（ＣＣＳＶ）、ＡＳＴＭ  Ｄ５２９３−１５によって決定される約１０００ｃＰ〜約７０００ｃＰの−２５℃におけるコールドクランキングシミュレーター粘度（ＣＣＳＶ）、及びＡＳＴＭ  Ｄ４６８３−１３によって決定される約３．５ｃＰ未満の高温高剪断（ＨＴＨＳ）粘度を有する、請求項１に記載の潤滑油。
【請求項１４】
ＡＳＴＭ  Ｄ２２７０によって決定される約８０〜約３００の粘度指数（ＶＩ）、及びＡＳＴＭ  Ｄ５８００によって決定される２５％以下のＮｏａｃｋ揮発性を有する、請求項１に記載の潤滑油。
【請求項１５】
ＭＴＭ（ミニトラクションマシン）トラクション試験によって決定される場合、前記コベースストック以外の微量成分を含有する潤滑油のＭＴＭトラクションと比較して、約５％より多いＭＴＭトラクション減少を有する、請求項１に記載の潤滑油。
【請求項１６】
１種以上の粘度向上剤、酸化防止剤、清浄剤、分散剤、流動点降下剤、腐食抑制剤、金属不活性剤、シール適合性添加剤、抗発泡剤、抑制剤、及び抗さび添加剤をさらに含んでなる、請求項１に記載の潤滑油。
【請求項１７】
前記潤滑油の全重量に基づき、前記潤滑油ベースストックが、約８８重量％〜約９８重量％の量で存在し、且つ前記コベースストックが、約２重量％〜約１２重量％の量で存在する、請求項１に記載の潤滑油。
【請求項１８】
乗用車エンジンオイル（ＰＶＥＯ）又は商用車エンジンオイル（ＣＶＥＯ）である、請求項１に記載の潤滑油。
【請求項１９】
前記少なくとも１種のコベースストックが、ＡＳＴＭ  Ｄ４４５によって決定される約６ｃＳｔ未満の１００℃における動粘度（Ｋｖ１００）を有する線形モノエステルである、請求項１に記載の潤滑油。
【請求項２０】
前記線形モノエステルがパルミチン酸デシルである、請求項１９に記載の潤滑油。
【請求項２１】
前記少なくとも１種のコベースストックが、ＡＳＴＭ  Ｄ４４５によって決定される約６ｃＳｔ未満の１００℃における動粘度（Ｋｖ１００）を有する１種以上のトリグリセリドの混合物である、請求項１に記載の潤滑油。
【請求項２２】
前記１種以上のトリグリセリドの混合物がココナッツ油を含んでなる、請求項２１に記載の潤滑油。
【請求項２３】
前記ココナッツ油が、不飽和酸成分の濃度を減少させるために水素化される、請求項２２に記載の潤滑油。
【請求項２４】
潤滑油として配合油を使用することによって、前記潤滑油によって潤滑されたエンジンにおける堆積物制御及び清浄度性能を維持又は改善しながら、燃料効率及びエネルギー効率を改善する方法であって、前記配合油がベースオイル混合物を含んでなり、前記潤滑油がＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される前記潤滑油のコールドクランキングシミュレーター粘度（ＣＣＳＶ）を維持又は制御しながら、ＡＳＴＭ  Ｄ４４５によって決定される前記ベースオイル混合物の動粘度（Ｋｖ１００）を減少させるために、前記ベースオイル混合物が、主成分として潤滑油ベースストックと、１００℃において約６．２ｃＳｔ未満の動粘度（Ｋｖ１００）を有する前記潤滑油の１〜１５重量％の微量成分として少なくとも１種のコベースストックとを含んでなり、そして前記潤滑油が匹敵するＡＳＴＭ  Ｄ５２９３−１５によって決定されたコールドクランキングシミュレーター粘度（ＣＣＳＶ）及びＡＳＴＭ  Ｄ４６８３−１３によって決定された高温高剪断（ＨＴＨＳ）粘度を有する場合、前記コベースストック以外の微量成分を含有する潤滑油を使用して達成された燃料効率、エネルギー効率、堆積物制御及び清浄度性能と比較して、燃料効率及びエネルギー効率が改善され、且つ堆積物制御及び清浄度性能が維持又は改善される、方法。
【請求項２５】
前記少なくとも１種のコベースストックが、Ｃ２８メチルパラフィン、パルミチン酸デシル、ココナッツ油及びＣ１８二量体からなる群から選択される、請求項２４に記載の方法。
【請求項２６】
前記少なくとも１種のコベースストックが、グループＩＶコベースストック、グループＶコベースストック、又はそれらの混合物を含んでなる、請求項２４に記載の方法。
【請求項２７】
前記少なくとも１種のコベースストックが、Ｃ２０〜３６ポリアルファオレフィン、Ｃ２４〜３２ポリアルファオレフィン、Ｃ２４〜２８ポリアルファオレフィン、又はそれらの混合物であり、且つ約１〜約４の分岐点を有する、請求項２４に記載の方法。
【請求項２８】
前記少なくとも１種のコベースストックが、Ｃ８、Ｃ１０、Ｃ１２、Ｃ１４オレフィン又はそれらの混合物から誘導されるポリアルファオレフィンであり、且つ約１〜約４の分岐点を有する、請求項２４に記載の方法。
【請求項２９】
前記少なくとも１種のコベースストックが、ＡＳＴＭ  Ｄ４４５によって決定される１００℃における約４ｃＳｔ未満の動粘度（Ｋｖ１００）を有する二量体化、水素化Ｃ１４線形アルファオレフィンである、請求項２４に記載の方法。
【請求項３０】
前記潤滑油ベースストックが、グループＩＩＩベースストック、グループＩＶベースストック、又はそれらの混合物を含んでなる、請求項２４に記載の方法。
【請求項３１】
前記潤滑油が、ＳＡＥ  ５Ｗ−２０エンジンオイル、ＳＡＥ  ５Ｗ−３０エンジンオイル、又はＳＡＥ  １０Ｗ−３０エンジンオイルである、請求項２４に記載の方法。
【請求項３２】
前記潤滑油がＡＳＴＭ  Ｄ５２９３−１５によって決定される匹敵するコールドクランキングシミュレーター粘度（ＣＣＳＶ）及びＡＳＴＭ  Ｄ４６８３−１３によって決定される高温高剪断（ＨＴＨＳ）粘度を有する場合、前記コベースストック以外の微量成分を含有するベースオイル混合物の動粘度（Ｋｖ１００）と比較して、ＡＳＴＭ  Ｄ４４５によって決定される前記ベースオイル混合物の動粘度（Ｋｖ１００）が減少する、請求項２４に記載の方法。
【請求項３３】
ＡＳＴＭ  Ｄ４４５によって決定される前記ベースオイル混合物の前記動粘度（Ｋｖ１００）が、約０．５ｃＳｔよりも多く減少する、請求項３２に記載の方法。
【請求項３４】
前記潤滑油がＡＳＴＭ  Ｄ５２９３−１５によって決定される匹敵するコールドクランキングシミュレーター粘度（ＣＣＳＶ）及びＡＳＴＭ  Ｄ４６８３−１３によって決定される高温高剪断（ＨＴＨＳ）粘度を有する場合、前記コベースストック以外の微量成分を含有する潤滑油のＮｏａｃｋ揮発性と比較して、ＡＳＴＭ  Ｄ５８００によって決定される前記潤滑油のＮｏａｃｋ揮発性が減少する、請求項２４に記載の方法。
【請求項３５】
ＡＳＴＭ  Ｄ５８００によって決定される前記潤滑油の前記Ｎｏａｃｋ揮発性が、約０．５〜約２．５重量％減少する、請求項３４に記載の方法。
【請求項３６】
前記潤滑油が、ＡＳＴＭ  Ｄ４４５によって決定される約２ｃＳｔ〜約１２ｃＳｔの１００℃における動粘度（Ｋｖ１００）、ＡＳＴＭ  Ｄ５２９３−１５によって決定される約１０００ｃＰ〜約６２００ｃＰの−３５℃におけるコールドクランキングシミュレーター粘度（ＣＣＳＶ）、ＡＳＴＭ  Ｄ５２９３−１５によって決定される約１０００ｃＰ〜約６６００ｃＰの−３０℃におけるコールドクランキングシミュレーター粘度（ＣＣＳＶ）、ＡＳＴＭ  Ｄ５２９３−１５によって決定される約１０００ｃＰ〜約７０００ｃＰの−２５℃におけるコールドクランキングシミュレーター粘度（ＣＣＳＶ）、及びＡＳＴＭ  Ｄ４６８３−１３によって決定される約３．５ｃＰ未満の高温高剪断（ＨＴＨＳ）粘度を有する、請求項２４に記載の方法。
【請求項３７】
前記潤滑油が、ＡＳＴＭ  Ｄ２２７０によって決定される約８０〜約３００の粘度指数（ＶＩ）、及びＡＳＴＭ  Ｄ５８００によって決定される２５％以下のＮｏａｃｋ揮発性を有する、請求項２４に記載の方法。
【請求項３８】
前記潤滑油が、ＭＴＭ（ミニトラクションマシン）トラクション試験によって決定される場合、前記コベースストック以外の微量成分を含有する潤滑油のＭＴＭトラクションと比較して、約５％より多いＭＴＭトラクション減少を有する、請求項２４に記載の方法。
【請求項３９】
前記潤滑油が、１種以上の粘度向上剤、酸化防止剤、清浄剤、分散剤、流動点降下剤、腐食抑制剤、金属不活性剤、シール適合性添加剤、抗発泡剤、抑制剤、及び抗さび添加剤をさらに含んでなる、請求項２４に記載の方法。
【請求項４０】
前記潤滑油の全重量に基づき、前記潤滑油ベースストックが、約８８重量％〜約９８重量％の量で存在し、且つ前記コベースストックが、約２重量％〜約１２重量％の量で存在する、請求項２４に記載の方法。
【請求項４１】
前記潤滑油が、乗用車エンジンオイル（ＰＶＥＯ）又は商用車エンジンオイル（ＣＶＥＯ）である、請求項２４に記載の方法。
【請求項４２】
前記少なくとも１種のコベースストックが、ＡＳＴＭ  Ｄ４４５によって決定される約６ｃＳｔ未満の１００℃における動粘度（Ｋｖ１００）を有する線形モノエステルである、請求項２４に記載の方法。
【請求項４３】
前記線形モノエステルがパルミチン酸デシルである、請求項４２に記載の方法。
【請求項４４】
前記少なくとも１種のコベースストックが、ＡＳＴＭ  Ｄ４４５によって決定される約６ｃＳｔ未満の１００℃における動粘度（Ｋｖ１００）を有する１種以上のトリグリセリドの混合物である、請求項２４に記載の方法。
【請求項４５】
前記１種以上のトリグリセリドの混合物がココナッツ油を含んでなる、請求項４４に記載の方法。
【請求項４６】
前記ココナッツ油が、不飽和酸成分の濃度を減少させるために水素化される、請求項４５に記載の方法。
【発明の詳細な説明】
【技術分野】
【０００１】
本開示は、潤滑油によって潤滑されたエンジンにおける堆積物制御及び清浄度性能を維持又は改善しながら、燃料効率及びエネルギー効率を改善する方法に関する。また、本開示は、主成分として潤滑油ベースストック及び微量成分として少なくとも１種のコベースストックを有する潤滑油にも関する。
【背景技術】
【０００２】
乗用車に関する燃料効率及びエネルギー効率の必要条件は益々厳しくなっている。過去数年間の合衆国及びヨーロッパ連合の新法により、今日の車両及び潤滑油技術によって容易に達成可能ではない燃料経済性及び排出目標が設定された。
【０００３】
この１０年間のより厳しい二酸化炭素排出規制に向けての世界的傾向のため、自動車メーカーによってより高レベルのエンジンオイルの燃料経済性性能が必要とされるようになった。自動車メーカーによって課されている変化の１つは、ＳＡＥ０Ｗ−２０及びＳＡＥ０Ｗ−１６などのより低粘度グレードのエンジンオイルへの遅くても着実な移行である。この傾向にもかかわらず、ＳＡＥ５Ｗ−２０、５Ｗ−３０及び１０Ｗ−３０オイルは、多くの自動車製造者によって使用され、且つ市場で広く販売される、なお重要な粘度グレードである。したがって、「５Ｗ」及び１０Ｗ粘度グレードエンジンオイルに関して燃料経済性を改善するための戦略は、新規エンジンオイル規格の厳格化する燃料経済性必要条件を満たすために最重要である。
【０００４】
これらの益々増加する基準に対処するために、自動車の相手先ブランド製造業者は、堆積物制御の必要条件を維持しながらも、潤滑油関連の性能特有として、より良好な燃料経済性を必要としている。燃料経済性を増加させるための１つの周知の方法は、潤滑油の粘度を減少させることである。しかしながら、このアプローチは今や現行の装置能力及び規格の限界に達している。所与の粘度において、有機又は有機金属摩擦変性剤を添加することによって、潤滑油の表面摩擦抵抗が減少し、そしてより良好な燃料経済性が可能となることは周知である。しかしながら、これらの添加剤は、しばしば、堆積物形成の増加、シールズインパクト（ｓｅａｌｓ  ｉｍｐａｃｔｓ）などの有害作用をもたらすか、又はそれらは限定された表面部位に対する抗摩耗構成要素を打ち負かし、それによって、抗摩耗膜の形成が不可能となり、摩耗の増加が引き起こされる。
【０００５】
エンジンオイルなどの現行の潤滑油では、温度、圧力及び潤滑油実用寿命の広範囲の性能条件下でのエンジン清浄度及び耐久性を提供するために、分散剤、清浄剤、抑制剤、粘度指数向上剤などの添加剤の混合物が使用される。
【０００６】
高温堆積物制御及び燃料経済性などの潤滑油関連性能特徴は、様々なベンチ及びエンジン試験によって測定される極めて有利な特性値である。上記の通り、潤滑油配合物に有機摩擦変性剤を添加することは、低温での摩擦利益を与え、したがって、潤滑油燃料経済性性能が改善されることは知られている。しかしながら、高温で、増加濃度の有機摩擦変性剤を添加することは、高温性能の問題を招く可能性がある。例えば、エンジン堆積物は、高温エンジン運転におけるエンジンオイル配合物中の高濃度の摩擦変性剤の望ましくない結果である。
【０００７】
エネルギー効率の改善は、ほぼ全ての自動車及び装置製造業者にとって最重要である。燃料経済性及びエネルギー効率の改善は、より低粘度の潤滑油を使用することによって、又はエンジンオイルの配合のために使用されるベースオイル混合物の１００℃における動粘度を減少させることによってしばしば達成可能である非特許文献１が、しばしばそのようなより低粘度の流体のより高い揮発性が問題となる。低粘度、低揮発性ベースストックを開発する努力がなされているが、そのような流体は、おそらく、非常に高い１００℃におけるベースオイル動粘度を有するＳＡＥ５Ｗ−３０、ＳＡＥ５Ｗ−２０及びＳＡＥ１０Ｗ−３０オイルを生じるであろう。そのようなオイルは、非常にニュートン特徴のため、工業的燃料経済性必要条件を満たすことが困難であろう。ＳＡＥ５Ｗ−３０及びＳＡＥ５Ｗ−２０粘度グレードは、現在合衆国で販売される潤滑油の大部分を示し、したがって、他の性能特徴を犠牲にすることなく、これらの粘度グレードの燃料経済性及びエネルギー効率が改善された低粘度、低揮発性ベースストックは重要な事業価値を有する。
【先行技術文献】
【非特許文献】
【０００８】
【非特許文献１】Ｃｒｏｓｔｈｗａｉｔ  ｅｔ  ａｌ．“Ｔｈｅ  Ｅｆｆｅｃｔ  ｏｆ  Ｈｉｇｈ  Ｑｕａｌｉｔｙ  Ｂａｓｅ  Ｓｔｏｃｋｓ  ｏｎ  ＰＣＭＯ  Ｆｕｅｌ  Ｅｃｏｎｏｍｙ”ＬＷ−９９−１２６
【発明の概要】
【発明が解決しようとする課題】
【０００９】
エンジンオイル配合物における主要な課題は、燃料経済性の改善を達成しながらも、同時に高温堆積物制御を達成することである。
【００１０】
潤滑油配合物技術における進歩にもかかわらず、堆積物制御を維持又は改善しながらも、燃料経済性を有効に改善するエンジンオイル潤滑油が必要とされている。
【００１１】
本開示は、下記で明らかとされる多くの追加的利点も提供する。
【課題を解決するための手段】
【００１２】
本開示は、主成分として潤滑油ベースストック（base stock）及び微量成分として少なくとも１種のコベースストック（副ベースストック又は補助ベースストック：cobase stock）の混合物を有する潤滑油に関する。少なくとも１種のコベースストックは、潤滑油が、ＳＡＥ  Ｊ３００粘度グレード分類システムによって決定されるＳＡＥエンジンオイルグレードに関する動粘度（Ｋｖ１００）及びコールドクランキングシミュレーター（ｃｏｌｄ  ｃｒａｎｋｉｎｇ  ｓｉｍｕｌａｔｏｒ）粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定されるベースオイル混合物の動粘度（Ｋｖ１００）を減少させるために十分な量で存在する。本開示は、潤滑油によって潤滑されたエンジンにおける堆積物制御及び清浄度性能を維持又は改善しながら、燃料効率及びエネルギー効率を改善する方法にも関する。
【００１３】
特に、本開示は、一部において、潤滑油として配合油を使用することによって、潤滑油によって潤滑されたエンジンにおける堆積物制御及び清浄度性能を維持又は改善しながら、燃料効率及びエネルギー効率を改善する方法に関する。配合油は、ベースオイル混合物が主成分として潤滑油ベースストック及び微量成分として少なくとも１種のコベースストックを含んでなるベースオイル混合物を含んでなる。少なくとも１種のコベースストックは、潤滑油が、ＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定されるベースオイル混合物の動粘度（Ｋｖ１００）を減少させるために十分な量で存在する。匹敵する（相当する、同等の：comparable）ＡＳＴＭ  Ｄ５２９３−１５によって決定されたコールドクランキングシミュレーター粘度（ＣＣＳＶ）及びＡＳＴＭ  Ｄ４６８３−１３によって決定された高温高剪断（ＨＴＨＳ）粘度を有する、コベースストック以外の微量成分を含有する潤滑油を使用して達成された燃料効率、エネルギー効率、堆積物制御及び清浄度性能と比較して、燃料効率及びエネルギー効率は改善され、そして堆積物制御及び清浄度性能は維持又は改善される。
【００１４】
さらに特に、本開示は、一部において、ベースオイル混合物を含んでなる潤滑油に関する。ベースオイル混合物は、主成分として潤滑油ベースストック及び微量成分として少なくとも１種のコベースストックを含んでなる。少なくとも１種のコベースストックは、潤滑油が、ＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定されるベースオイル混合物の動粘度（Ｋｖ１００）を減少させるために十分な量で存在する。
【００１５】
驚くべきことに、潤滑油が、ＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定されるベースオイル混合物の動粘度（Ｋｖ１００）を減少させるために、潤滑油の全重量に基づき約２重量％〜約１２重量％の量で少なくとも１種のコベースストックを含むベースオイル混合物を有する配合油を潤滑油として使用することによって、潤滑油によって潤滑されたエンジンにおいてエンジン耐久性を犠牲にすることなく（例えば、堆積物制御及び清浄度性能を維持又は改善しながら）、燃料経済性及びエネルギー効率の改善が得られることが見出された。
【００１６】
また驚くべきことに、顕著な低粘度低揮発性、望ましいコールドクランキングシミュレーター粘度（ＣＣＳＶ）、良好な高温堆積物制御及びトラクションの利益が、本開示に従って配合された配合油を潤滑油として使用する、潤滑油によって潤滑されたエンジンにおいて達成可能であることが見出された。特に、コベースストックが、ＡＳＴＭ  Ｄ４４５によって決定される１００℃における４ｃＳｔ未満の動粘度（Ｋｖ１００）を有する二量体化され、水素化されたＣ１４線形（直線状又は鎖状：linear）（アルファオレフィンである、少なくとも１種のコベースストックを含むベースオイル混合物を有する潤滑油は、低い動粘度（Ｋｖ１００）、望ましいコールドクランキングシミュレーター粘度（ＣＣＳＶ）、低い揮発性、望ましい堆積物制御及びトラクションの利益を示す。コベースストックは、パルミチン酸デシル、ココナッツ油又はＣ１８二量体であってよい。そのような特性は、潤滑油の使用寿命を延長し、そして高温に曝露される時に、有意に潤滑油の耐久性及び抵抗を改善することを補助する。本開示の潤滑油は、乗用車エンジンオイル（ＰＶＥＯ）製品及び商用車エンジンオイル（ＣＶＥＯ）製品として特に有利である。
【００１７】
本開示のさらなる対象物、特性及び利点は、次の図面及び詳細な説明を参照することによって理解されるであろう。
【図面の簡単な説明】
【００１８】
【図１】図１は、実施例１に従って、より高粘度のベースストックとの組合せでＳＡＥ５Ｗ−ｘｘエンジンオイルを製造するための、従来のベースストック配合アプローチによって可能なブレンドウインドウをグラフで示す。
【図２】図２は、実施例１に従って、本開示のコベースストックとの組合せでＳＡＥ５Ｗ−ｘｘエンジンオイルを製造するための、ベースストック配合アプローチによって可能なブレンドウインドウをグラフで示す。
【図３】図３は、本開示のコベースストック（すなわち、Ｃ２８メチルパラフィン、パルミチン酸デシル、ココナッツ油及びＣ１８二量体）の特性を示す。
【図４】図４は、ＰＡＯ２、ＰＡＯ４、グループＩＩＩ−Ｂ（４ｃＳｔ）、グループＶ＝Ａ、グループＶ−Ｂ及び本開示のコベースストック（すなわち、Ｃ２８メチルパラフィン、パルミチン酸デシル、ココナッツ油及びＣ１８二量体）に対するＭＴＭ（ミニトラクションマシン）トラクション試験結果の比較をグラフで示す。
【図５】図５は、実施例で使用されるベースストックの典型的な特性を示す。
【図６】図６は、実施例で使用される潤滑油配合物及び潤滑油配合物の特性を示す。
【図７】図７は、実施例で使用される潤滑油配合物及び潤滑油配合物の特性を示す。
【図８】図８は、実施例で使用される潤滑油配合物及び潤滑油配合物の特性を示す。
【図９】図９は、実施例で使用される追加的な潤滑油配合物及び潤滑油配合物の特性を示す。
【図１０】図１０は、実施例で使用されるさらに追加的な潤滑油配合物及び潤滑油配合物の特性を示す。
【発明を実施するための形態】
【００１９】
本明細書の詳細な説明及び請求項での全ての数値は、表示値が「約」又は「およそ」によって修飾され、そして当業者によって予想されるであろう実験誤差及び偏差が考慮される。「主要量」又は「主成分」という句は、本明細書及び請求項の潤滑油に含まれる成分に関連する場合、潤滑油の全重量に基づき５０重量％以上、又は６０重量％以上、又は７０重量％以上、又は８０重量％以上、又は９０重量％以上を意味する。「微量」又は「微量成分」という句は、本明細書及び請求項の潤滑油に含まれる成分に関連する場合、潤滑油の全重量に基づき５０重量％未満、又は４０重量％以下、又は３０重量％以下、又は２０重量％以下、又は１０重量％以下、又は５重量％以下、又は２重量％以下、又は１重量％以下を意味する。「本質的に含まない」という句は、本明細書及び請求項の潤滑油に含まれる成分に関連する場合、特定の成分が潤滑油中で０重量％であることか、或いは潤滑油中の不純物型レベル（１００ｐｐｍ未満、又は２０ｐｐｍ未満、又は１０ｐｐｍ未満、又は１ｐｐｍ未満）であることを意味する。「他の潤滑油添加剤」という句は、本明細書及び請求項で使用される場合、明細書又は請求項の特定の部分で特に記載されない他の潤滑油添加剤を意味する。例えば、他の潤滑油添加剤としては、限定されないが、抗摩耗添加剤、粘度向上剤又は変性剤、酸化防止剤、清浄剤、分散剤、流動点降下剤、腐食抑制剤、金属不活性剤、シール適合性添加剤、抗発泡剤、抑制剤、抗さび添加剤、摩擦変性剤及びそれらの組合せが含まれ得る。
【００２０】
本明細書で使用される場合、潤滑油のＣＣＳＶを「制御すること」は、潤滑油が、ＳＡＥ  Ｊ３００粘度グレード分類システムによって決定されるＳＡＥエンジンオイルグレードに関する動粘度（Ｋｖ１００）及びＣＣＳＶの両方の必要条件を満たすように、ＣＣＳＶを有意に増加、又は減少させないことを意味する。
【００２１】
本開示に従って、燃料経済性及びエネルギー効率を改善するための新規潤滑油ブレンド戦略が提供される。特に、この潤滑油ブレンド戦略では、高品質、低粘度のグループＩＩ、グループＩＩＩ及び／又はグループＩＶベースストックとブレンドされた純粋３．５ｃＳｔ（Ｋｖ１００）二量体化、水素化Ｃ１４線形アルファオレフィンが使用される。この合成ワックスを少量（例えば、３〜１０重量％）使用することによって、ＣＣＳＶなどの他の重要な低温性能領域を維持又は制御しながら、ＳＡＥ５Ｗ−３０、５Ｗ−２０、５Ｗ−１６又は１０Ｗ−３０エンジンオイルでブレンドされる際、ベースオイル粘度の＞１ｃＳｔ減少をもたらすことができる。さらに、潤滑油配合モデルを使用して、グループＩＩベースストックでブレンドされた従来のＳＡＥ５Ｗ−３０オイル以上の実質的な燃料経済性削減が観察された。高品質グループＩＩＩ及びＩＶベースストックの使用によって、酸化安定性、粘度指数及び堆積物制御における追加的な性能増加がもたらされる。
【００２２】
また、本開示に従って、潤滑油として配合油を使用することによって、潤滑油によって潤滑されたエンジンにおける堆積物制御及び清浄度性能を維持又は改善しながら、燃料効率及びエネルギー効率を改善する方法が提供される。配合油は、ベースオイル混合物が主成分として潤滑油ベースストック及び微量成分として少なくとも１種のコベースストックを含んでなるベースオイル混合物を含んでなる。少なくとも１種のコベースストックは、潤滑油が、ＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定されるベースオイル混合物の動粘度（Ｋｖ１００）を減少させるために十分な量で存在する。匹敵する（相当する、同等の：comparable）ＡＳＴＭ  Ｄ５２９３−１５によって決定されたコールドクランキングシミュレーター粘度（ＣＣＳＶ）及びＡＳＴＭ  Ｄ４６８３−１３によって決定された高温高剪断（ＨＴＨＳ）粘度を有する、コベースストック以外の微量成分を含有する潤滑油を使用して達成された燃料効率、エネルギー効率、堆積物制御及び清浄度性能と比較して、燃料効率及びエネルギー効率は改善され、そして堆積物制御及び清浄度性能は維持又は改善される。
【００２３】
さらに、本開示に従って、ベースオイル混合物を含んでなる潤滑油が提供される。ベースオイル混合物は、主成分として潤滑油ベースストック及び微量成分として少なくとも１種のコベースストックを含んでなる。少なくとも１種のコベースストックは、潤滑油が、ＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定されるベースオイル混合物の動粘度（Ｋｖ１００）を減少させるために十分な量で存在する。少なくとも１種のコベースストックは、ＡＳＴＭ  Ｄ４４５によって決定される１００℃における約４ｃＳｔ未満の動粘度（Ｋｖ１００）を有する。少なくとも１種のコベースストックは、グループＩＶコベースストック、グループＶコベースストック又はそれらの混合物を含んでなる。
【００２４】
好ましくは、少なくとも１種のコベースストックは、Ｃ２０〜３６ポリアルファオレフィン、Ｃ２４〜３２ポリアルファオレフィン、Ｃ２４〜２８ポリアルファオレフィン、又はそれらの混合物であり、且つ約１〜約４の分岐点を有する。また、好ましくは、少なくとも１種のコベースストックは、Ｃ８、Ｃ１０、Ｃ１２、Ｃ１４オレフィン又はそれらの混合物から誘導されるポリアルファオレフィンであり、且つ約１〜約４の分岐点を有する。より好ましくは、少なくとも１種のコベースストックは、ＡＳＴＭ  Ｄ４４５によって決定される１００℃における約４ｃＳｔ未満の動粘度（Ｋｖ１００）を有する二量体化、水素化Ｃ１４線形アルファオレフィンである。好ましくは、少なくとも１種のコベースストックは、パルミチン酸デシル、ココナッツ油及びＣ１８二量体であってよい。
【００２５】
本開示に従って、潤滑油ベースストックは、グループＩＩベースストック、グループＩＩＩベースストック、グループＩＶベースストック、又はそれらの混合物を含んでなる。本開示の潤滑油は、好ましくは、ＳＡＥ５Ｗ−１６エンジンオイル、ＳＡＥ５Ｗ−２０エンジンオイル、ＳＡＥ５Ｗ−３０エンジンオイル、又はＳＡＥ１０Ｗ−３０エンジンオイルである。
【００２６】
一実施形態において、潤滑油がＡＳＴＭ  Ｄ５２９３−１５によって決定される匹敵する（相当する、同等の：comparable）コールドクランキングシミュレーター（ＣＣＳ）粘度及びＡＳＴＭ  Ｄ４６８３−１３によって決定される高温高剪断（ＨＴＨＳ）粘度を有する場合、コベースストック以外の微量成分を含有するＡＳＴＭ  Ｄ４４５によって決定される潤滑油を配合するために使用されるベースオイル混合物の動粘度（Ｋｖ１００）と比較して、ＡＳＴＭ  Ｄ４４５によって決定される潤滑油を配合するために使用されるベースオイル混合物の動粘度（Ｋｖ１００）は減少する。
【００２７】
好ましい実施形態において、ＡＳＴＭ  Ｄ４４５によって決定される潤滑油を配合するために使用されるベースオイル混合物の動粘度（Ｋｖ１００）は、約０．５ｃＳｔよりも多く、好ましくは、約１ｃＳｔよりも多く、より好ましくは、約２ｃＳｔよりも多く、なおより好ましくは、約２．５ｃＳｔよりも多く減少する。
【００２８】
別の実施形態において、潤滑油がＡＳＴＭ  Ｄ５２９３−１５によって決定される匹敵するコールドクランキングシミュレーター（ＣＣＳ）粘度及びＡＳＴＭ  Ｄ４６８３−１３によって決定される高温高剪断（ＨＴＨＳ）粘度を有する場合、コベースストック以外の微量成分を含有するＡＳＴＭ  Ｄ５８００によって決定される潤滑油のＮｏａｃｋ揮発性と比較して、ＡＳＴＭ  Ｄ５８００によって決定される潤滑油のＮｏａｃｋ揮発性は減少する。
【００２９】
好ましい実施形態において、ＡＳＴＭ  Ｄ５８００によって決定される潤滑油のＮｏａｃｋ揮発性は、約０．５〜約２．５重量％減少する。
【００３０】
本開示の潤滑油の粘度特性は、標準実施法に従って測定することができる。低い粘度は、現行の装置における潤滑油に対して有利となる可能性がある。ＡＳＴＭ  Ｄ４６８３−１３による低い高温高剪断（ＨＴＨＳ）粘度は、現行のエンジンにおける潤滑油の性能を示すことが可能である。
【００３１】
ＡＳＴＭ  Ｄ５２９３−１５によって決定されるコールドクランキングシミュレーター（ＣＣＳ）粘度試験は、指定の冷温においてエンジンを始動させるために要するエネルギーの量を評価するものであり；粘度グレードが低いほど、試験が実行される温度が低い。試験では、粘度グレードを決定するために使用されるｃＰでの値が割り当てられる。例えば、５Ｗ−３０潤滑油を使用すると、−３０℃でのそのＣＣＳＶは６６００ｃＰ以下となることが可能であり、５Ｗグレードとなる。
【００３２】
本開示の潤滑油は、ＡＳＴＭ  Ｄ４４５によって決定される約２ｃＳｔ〜約１２．５ｃＳｔの１００℃における動粘度（Ｋｖ１００）、ＡＳＴＭ  Ｄ５２９３−１５によって決定される約１０００ｃＰ〜約６２００ｃＰの−３５℃におけるコールドクランキングシミュレーター（ＣＣＳ）粘度（０Ｗ  ＳＡＥグレード）、又はＡＳＴＭ  Ｄ５２９３−１５によって決定される約１０００ｃＰ〜約６６００ｃＰの−３０℃におけるコールドクランキングシミュレーター（ＣＣＳ）粘度（５Ｗ  ＳＡＥグレード）、又はＡＳＴＭ  Ｄ５２９３−１５によって決定される約１０００ｃＰ〜約７０００ｃＰの−２５℃におけるコールドクランキングシミュレーター（ＣＣＳ）粘度（１０Ｗ  ＳＡＥグレード）、及びＡＳＴＭ  Ｄ４６８３−１３によって決定される約３．５ｃＰ未満の高温高剪断（ＨＴＨＳ）粘度を有する。この潤滑油は、ＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たす。
【００３３】
一実施形態において、本開示の潤滑油は、好ましくは、ＡＳＴＭ  Ｄ４４５によって決定される約２ｃＳｔ〜約１０ｃＳｔ、より好ましくは、約２ｃＳｔ〜約８ｃＳｔ、なおより好ましくは、約２ｃＳｔ〜約６ｃＳｔの１００℃における動粘度（Ｋｖ１００）、及びＡＳＴＭ  Ｄ４６８３−１３によって決定される約２．５ｃＰ未満、より好ましくは、約２．２５ｃＰ未満、なおより好ましくは、約２．０ｃＰ未満の高温高剪断（ＨＴＨＳ）粘度を有する。
【００３４】
一実施形態において、本開示の潤滑油は、好ましくは、ＡＳＴＭ  Ｄ５２９３−１５によって決定される約１２００ｃＰ〜約６２００ｃＰ、より好ましくは、約１４００ｃＰ〜約６２００ｃＰ、なおより好ましくは、約１６００ｃＰ〜約６２００ｃＰの−３５℃におけるコールドクランキングシミュレーター（ＣＣＳ）粘度（０Ｗ  ＳＡＥグレード）、ＡＳＴＭ  Ｄ５２９３−１５によって決定される約１２００ｃＰ〜約６６００ｃＰ、より好ましくは、約１４００ｃＰ〜約６６００ｃＰ、なおより好ましくは、約１６００ｃＰ〜約６６００ｃＰの−３０℃におけるコールドクランキングシミュレーター（ＣＣＳ）粘度（５Ｗ  ＳＡＥグレード）、及びＡＳＴＭ  Ｄ５２９３−１５によって決定される約１２００ｃＰ〜約７０００ｃＰ、より好ましくは、約１４００ｃＰ〜約７０００ｃＰ、なおより好ましくは、約１６００ｃＰ〜約７０００ｃＰの−２５℃におけるコールドクランキングシミュレーター（ＣＣＳ）粘度（１０Ｗ  ＳＡＥグレード）を有する。
【００３５】
本開示の例示的な潤滑油は、ＡＳＴＭ  Ｄ２２７０によって決定される約８０〜約３００、より好ましくは、約９０〜約２００、なおより好ましくは、約１００〜約２００の粘度指数（ＶＩ）を有する。
【００３６】
本開示の潤滑油は、Ｎｏａｃｋ揮発性試験ＡＳＴＭ  Ｄ５８００によって決定されるように、より低い揮発性を有する。特に、本開示の潤滑油は、１％〜５０％、又はより好ましくは、３％〜５０％、又はより好ましくは、４％〜４０％、又はさらにより好ましくは、５％〜３０％のＮｏａｃｋを有する。特に好ましい組成物は、５％〜１５％のＮｏａｃｋを有する。
【００３７】
本開示の好ましい潤滑油は、ＡＳＴＭ  Ｄ５８００によって決定される２５％以下、より好ましくは、２０％以下、さらにより好ましくは、１５％以下のＮｏａｃｋ揮発性を有する。
【００３８】
本開示の潤滑油は、ＭＴＭ（ミニトラクションマシン）トラクション試験によって決定されるように、減少したトラクションを有する。トラクションは、参照流体との比較によって最も容易に評価され、この場合、適切な参照流体は、ＰＡＯ２又はＰＡＯ４によって配合されたエンジンオイルである。したがって、本開示の潤滑油は、参照に対して５％のＭＴＭトラクション減少、又はより好ましくは、参照に対して１０％減少、又はより好ましくは、参照に対して２０％減少、又はより好ましくは、参照に対して３０％減少、又はより好ましくは、参照に対して４０％減少を有することができる。
【００３９】
本開示の合成ワックスを主要又は単独ベースストックとして使用することによって、ミニトラクションマシン（ＭＴＭ）で測定されるように、トラクション係数の有意な改善が提供される。＞２０％のこの材料と配合される場合、ＳＡＥ  Ｊ３００「５Ｗ」又は「０Ｗ」粘度グレードを満たすことはおそらく不可能であり、そのような流体は、ＳＡＥ  Ｊ３００「Ｗ」粘度グレードが必要とされない、より高温での用途（例えば、レース用途、又は工業用途のためのウォームギヤー潤滑油）での有意なエネルギー効率増加をもたらすために使用することができる。
【００４０】
一実施形態において、本開示の潤滑油は、ＭＴＭ（ミニトラクションマシン）トラクション試験によって決定されるように、コベースストック以外の微量成分を含有する潤滑油のＭＴＭトラクションと比較して、約５％より多いＭＴＭトラクション減少を有する。
【００４１】
本開示の潤滑油は、ＴＥＯＳＴ  ３３Ｃ堆積試験ＡＳＴＭ  Ｄ６３３５で決定されるように、より低い堆積傾向を有する。特に、本開示の潤滑油は、３０ｍｇ未満、又はより好ましくは、２０ｍｇ未満、又はより好ましくは、１５ｍｇ未満のＴＥＯＳＴ  ３３Ｃを有することができる。
【００４２】
一実施形態において、本開示の潤滑油は、乗用車エンジンオイル（ＰＶＥＯ）又は商用車エンジンオイル（ＣＶＥＯ）である。
【００４３】
本開示は、低粘度及び低揮発性を特徴とする、エンジンオイルとして、及び他の用途において有用な潤滑油を提供する。潤滑油は、ブレンドされた時に以下の基準：を満たすオイル組成物が得られる第２のコベースストックと一緒に、（ＧＴＬを含む）グループＩＩ、グループＩＩＩ及び又はグループＩＶ（ＰＡＯ）などの炭化水素ベース流体の主要部分を含む高品質ベースストックに基づくものである。オイル組成物は、ＫＶ１００（オイル）のＡＳＴＭ  Ｄ４４５によって決定される１００℃における動粘度（「ＫＶ１００」）、及びＣＣＳＶ（オイル）のＡＳＴＭ  ５２９３によって決定される所与の温度におけるコールドクランキングシミュレーター粘度（「ＣＣＳＶ」）を有し；参照オイルは、それぞれ、ＫＶ１００（参照）及びＣＣＳＶ（参照）のＫＶ１００及びＣＣＳＶを有し、且つ次の条件（ｉ）及び（ｉｉ）を満たす：（ｉ）−２０≦Ｄ（ｋｖ）＝１００×（ＫＶ１００（オイル）−ＫＶ１００（参照））／ＫＶ１００（参照）≦４０；及び（ｉｉ）１≦Ｄ（ｃｃｓｖ）＝１００×（ＣＣＳＶ（オイル）−ＣＣＳＶ（参照））／ＣＣＳＶ（参照）≦１００００。第２のコベースストックに関するさらなる情報については、本明細書中に参照によって全体で組み込まれる２０１７年３月２４日出願の米国仮特許出願第６２／４７６，０１７号明細書（代理人審理予定表番号２０１７ＥＭ０６７）を参照のこと。
【００４４】
４ｃＳｔのＫＶ１００を有するＰＡＯ（ＰＡＯ−４）は、第２のコベースストック成分の性能を評価するための有用な参照オイルである。本開示の限定されない例示的なコベースストックとしては、Ｃ２０〜３６ポリアルファオレフィン、Ｃ２４〜３２ポリアルファオレフィン、Ｃ２４〜２８ポリアルファオレフィン、（本明細書に記載の通り、約１〜約４つの分岐点を有するポリアルファオレフィン）、（パルミチン酸デシルなどの）線形（直線状又は鎖状：linear）モノエステル、（ココナッツ油などの）トリグリセリドの混合物、又はそれらの混合物が含まれる。潤滑油ベースストックは、典型的に約１００〜４５０℃の範囲の潤滑油沸点範囲において沸騰するいずれのオイルであることも可能である。本明細書及び請求項において、ベースオイル及びベースストックという用語は、互換的に使用される。
【００４５】
潤滑油の粘度−温度関係は、特定の応用のために潤滑油を選択する際に考慮されなければならない重要な判定基準の１つである。粘度指数（ＶＩ）は、所与の温度範囲内のオイルの粘度の変化率を示す実験的無名数である。温度によって粘度の比較的大きい変化を示す液体は、低粘度指数を有すると記載される。例えば、低ＶＩオイルは、高ＶＩオイルよりも迅速に高温で希釈するであろう。通常、高ＶＩオイルは、より高い温度においてより高い粘度を有するため、より望ましい。これは、より良好又はより厚い潤滑膜となり、且つ接触する機械要素のより良好な保護となる。
【００４６】
別の態様において、オイル運転温度が減少すると、高ＶＩオイルの粘度は低ＶＩオイルの粘度ほど増加しないであろう。低ＶＩオイルの過度の高い粘度が運転機器の効率を減少させるであろうため、これは有利である。したがって、高ＶＩ（ＨＶＩ）オイルは、高温及び低温の両運転における性能利点を有する。ＶＩは、ＡＳＴＭ  Ｄ２２７０に従って決定される。ＶＩは、ＡＳＴＭ  Ｄ４４５を使用する４０℃及び１００℃において測定される動粘度と関連する。
【００４７】
本開示の潤滑油は、改善された燃料効率及びエネルギー効率をもたらす。より低いＨＴＨＳ粘度エンジンオイルは、一般に、より高いＨＴＨＳ粘度製品に優れた燃料経済性を提供する。本開示の潤滑油に関してのこの利益は、Ｓｅｑｕｅｎｃｅ  ＶＩＤ  Ｆｕｅｌ  Ｅｃｏｎｏｍｙ（ＡＳＴＭ  Ｄ７５８９）エンジン試験において実証することができる。本開示の潤滑油は、堆積物制御及び清浄度性能の改善又は維持をもたらすことができる。本開示の潤滑油に関してのこの利益は、Ｓｅｑｕｅｎｃｅ  ＩＩＩＧエンジン試験（ＡＳＴＭ  Ｄ７３２０）において実証することができる。
【００４８】
上記のプロセスによって形成される組成物を特徴づけるために利用することが可能な技術の例には、限定されないが、分析用ガスクロマトグラフィー、核磁気共鳴、熱重量分析（ＴＧＡ）、誘導結合プラズマ質量分析、示差走査熱量測定（ＤＳＣ）、揮発性及び粘度測定が含まれる。
【００４９】
潤滑油ベースストック及びコベースストック
広範囲の潤滑油が当該技術分野において既知である。本開示において有用である潤滑油は、天然油及び合成油の両方である。天然及び合成油（又はそれらの混合物）を未精製、精製又は再精製の状態で使用することもできる（後者は再生利用又は再処理油としても既知である）。未精製油は、天然又は合成供給源から直接得られるものであり、且つ追加的な精製を行わずに使用される。これらには、乾留操作から直接得られる頁岩油、一次蒸留から直接得られる石油、及びエステル生成プロセスから直接得られるエステル油が含まれる。精製油は、少なくとも１つの潤滑油特性を改善するための１回以上の精製工程を受けることを除き、未精製油に関して議論された油に類似する。当業者は多くの精製プロセスに精通している。これらのプロセスには、溶媒抽出、二次蒸留、酸抽出、塩基抽出、ろ過及びパーコレーションが含まれる。得られた再精製油は、精製油に類似であるが、以前に使用されたことのある油を供給ストックとして使用する。
【００５０】
グループＩ、ＩＩ、ＩＩＩ、ＩＶ及びＶは、潤滑ベースオイルのガイドラインを作成するためにＡｍｅｒｉｃａｎ  Ｐｅｔｒｏｌｅｕｍ  Ｉｎｓｔｉｔｕｔｅ（ＡＰＩ  Ｐｕｂｌｉｃａｔｉｏｎ  １５０９；ｗｗｗ．ＡＰＩ．ｏｒｇ）によって開発及び定義された広範囲のベースオイルストックの分類である。グループＩベースストックは、一般に、約８０〜１２０の粘度指数を有し、約０．０３％より高い硫黄及び約９０％未満の飽和を含有する。グループＩＩベースストックは、一般に、約８０〜１２０の粘度指数を有し、約０．０３％以下の硫黄及び約９０％以上の飽和を含有する。グループＩＩＩストックは、一般に、約１２０より高い粘度指数を有し、約０．０３％以下の硫黄及び約９０％より高い飽和を含有する。グループＩＶは、ポリアルファオレフィン（ＰＡＯ）を含む。グループＶベースストックは、一般に、グループＩ〜ＩＶに含まれないベースストックを含む。以下の表に、これらの５つのグループのそれぞれの特性を要約する。
【００５１】
【表１】
2020511581.tif 000003
【００５２】
天然油には、動物油、植物油（例えば、ヒマシ油及びラード油）、並びに鉱油が含まれる。好ましい熱酸化安定性を有する動物及び植物油を使用することができる。天然油の中で、鉱油が好ましい。鉱油は、それらの原油産地によって、例えば、それらがパラフィン系、ナフテン系又は混合パラフィン−ナフテン系であるかどうかによって大きく異なる。石炭又は頁岩から誘導される油も本開示において有用である。天然油は、それらの製造及び精製のために使用される方法によって、例えば、それらの蒸留範囲によって、及びそれらが直留であるか、又は分解されたか、水素化精製されたか、又は溶媒抽出されたかどうかによっても異なる。
【００５３】
グループＩＩ及び／又はグループＩＩＩ水素化処理又は水素化分解ベースストック、並びにポリアルファオレフィン、アルキル芳香族及び合成エステル、すなわち、グループＩＶ及びグループＶオイルも周知のベースストック油である。
【００５４】
合成油には、炭化水素油が含まれる。炭化水素油には、重合及び共重合オレフィン（例えば、ポリブチレン、ポリプロピレン、プロピレンイソブチレンコポリマー、エチレン−オレフィンコポリマー及びエチレン−アルファオレフィンコポリマー）などの油が含まれる。ポリアルファオレフィン（ＰＡＯ）油ベースストックは、一般に使用される合成炭化水素油である。例として、Ｃ８、Ｃ１０、Ｃ１２、Ｃ１４又はそれらの混合物から誘導されるＰＡＯが利用されてもよい。例えば、米国特許第４，９５６，１２２号明細書、同第４，８２７，０６４号明細書及び同第４，８２７，０７３号明細書を参照されたい。
【００５５】
既知の材料であり、且つＥｘｘｏｎＭｏｂｉｌ  Ｃｈｅｍｉｃａｌ  Ｃｏｍｐａｎｙ、Ｃｈｅｖｒｏｎ  Ｐｈｉｌｌｉｐｓ  Ｃｈｅｍｉｃａｌ  Ｃｏｍｐａｎｙ、ＢＰ及び他などの供給元から商業的規模で一般に入手可能であるＰＡＯの数平均分子量は、典型的に２５０〜３，０００の範囲であるが、ＰＡＯは約１５０ｃＳｔ（１００℃）までの粘度で製造されてもよい。ＰＡＯは、典型的に、アルファオレフィンの比較的低分子量の水素化ポリマー又はオリゴマーから構成され、これらには、限定されないが、Ｃ２〜約Ｃ３２アルファオレフィンが含まれ、１−オクテン、１−デセン、１−ドデセンなどのＣ８〜約Ｃ１６アルファオレフィンが好ましい。好ましいポリアルファオレフィンは、ポリ−１−オクテン、ポリ−１−デセン及びポリ−１−ドデセン並びにそれらの混合物及び混合オレフィン誘導ポリオレフィンである。しかしながら、Ｃ１２〜Ｃ１８の範囲のより高級なオレフィンの二量体が、十分低揮発性の低粘度ベースストックを供給するために使用されてもよい。粘度グレード及び出発オリゴマー次第で、ＰＡＯは、主に、１．５ｃＳｔ〜１２ｃＳｔの粘度範囲を有する、微量のより低級及び／又はより高級なオリゴマーによる出発オレフィンの二量体、三量体及び四量体であってもよい。特定の用途のＰＡＯ流体は、３ｃＳｔ、３．４ｃＳｔ及び／又は３．６ｃＳｔ並びにそれらの組み合わせを含んでもよい。必要に応じて、１．５ｃＳｔ〜約１５０ｃＳｔ以上の粘度範囲を有するＰＡＯ流体の混合物が使用されてもよい。他に明示されない限り、本明細書に引用される全ての粘度は１００℃において測定される。
【００５６】
ＰＡＯ流体は、例えば、三塩化アルミニウム、三フッ化ホウ素、又は三フッ化ホウ素と水との錯体、エタノール、プロパノール又はブタノールなどのアルコール、酢酸エステル又はプロピオン酸エチルなどのカルボン酸又はエステルを含むフリーデル−クラフツ触媒などの重合触媒の存在下でのアルファオレフィンの重合によって都合よく製造されてもよい。例えば、米国特許第４，１４９，１７８号明細書又は同第３，３８２，２９１号明細書によって開示された方法が本明細書において都合よく使用されてもよい。ＰＡＯ合成についての他の説明は、米国特許第３，７４２，０８２号明細書、同第３，７６９，３６３号明細書、同第３，８７６，７２０号明細書、同第４，２３９，９３０号明細書、同第４，３６７，３５２号明細書、同第４，４１３，１５６号明細書、同第４，４３４，４０８号明細書、同第４，９１０，３５５号明細書、同第４，９５６，１２２号明細書及び同第５，０６８，４８７号明細書に見られる。Ｃ１４〜Ｃ１８オレフィンの二量体は、米国特許第４，２１８，３３０号明細書に記載される。
【００５７】
他の有用な潤滑性油ベースストックとしては、水素異性化ワックス状ストック（例えば、ガス油、スラックワックス、燃料水素化分解装置残留物などのワックス状ストック）、水素異性化フィッシャー−トロプシュワックス、気体−液体（ＧＴＬ）ベースストック及びベースオイル、及びほかの異性化ワックス水素異性化ベースストック及びベースオイル、又はそれらの混合物を含んでなる異性化ワックスベースストック及びベースオイルが含まれる。フィッシャー−トロプシュワックスは、フィッシャー−トロプシュ合成の高沸点残留物であり、非常に低い硫黄含有量を有する高パラフィン系炭化水素である。そのようなベースストックの製造のために使用される水素化処理では、特別な潤滑油水素化分解（ＬＨＤＣ）触媒の１種などの非晶質水素化分解／水素異性化触媒、又は結晶質水素化分解／水素異性化触媒、好ましくは、ゼオライト系触媒が使用されてもよい。例えば、１つの有用な触媒は、その開示が全体として参照によって本明細書に組み込まれる米国特許第５，０７５，２６９号明細書に記載のされるＺＳＭ−４８である。水素化分解／水素異性化蒸留物及び水素化分解／水素異性化ワックスの製造方法は、例えば、米国特許第２，８１７，６９３号明細書、同第４，９７５，１７７号明細書、同第４，９２１，５９４号明細書及び同第４，８９７，１７８号明細書、並びに英国特許第１，４２９，４９４号明細書、同第１，３５０，２５７号明細書、同第１，４４０，２３０号明細書及び同第１，３９０，３５９号明細書に記載される。上記特許はそれぞれ、全体として参照によって本明細書に組み込まれる。特に好ましい方法は、参照によって本明細書に組み込まれる欧州特許出願公開第４６４５４６号明細書及び同第４６４５４７号明細書に記載される。フィッシャー−トロプシュワックス供給材料を使用する方法は、その開示が全体として参照によって本明細書に組み込まれる米国特許第４，５９４，１７２号明細書及び同第４，９４３，６７２号明細書に記載される。
【００５８】
気体−液体（ＧＴＬ）ベースオイル、フィッシャー−トロプシュワックス誘導ベースオイル、及び他のワックス誘導水素異性化（異性化ワックス）ベースオイルは本開示において都合よく使用され得、且つ１００℃において約２ｃＳｔ〜約５０ｃＳｔ、好ましくは、約２ｃＳｔ〜約３０ｃＳｔ、より好ましくは、約３ｃＳｔ〜約２５ｃＳｔの有用な動粘度、例えば、ＧＴＬ４の場合、１００℃において約４．０ｃＳＴの動粘度及び約１４１の粘度指数を有し得る。これらの気体−液体（ＧＴＬ）ベースオイル、フィッシャー−トロプシュワックス誘導ベースオイル、及び他のワックス誘導水素異性化ベースオイルは、約−２０℃以下の有用な流動点を有し得、及びいくつかの条件下においては、約−２５℃以下の都合のよい流動点を有し得るが、有用な流動点は約−３０℃〜約−４０℃以下である。気体−液体（ＧＴＬ）ベースオイル、フィッシャー−トロプシュワックス誘導ベースオイル、及びワックス誘導水素異性化ベースオイルの有用な組成は、例えば、全体として参照によって本明細書に組み込まれる米国特許第６，０８０，３０１号明細書、同第６，０９０，９８９号明細書及び同第６，１６５，９４９号明細書に記載される。
【００５９】
ヒドロカルビル芳香族は、ベースオイル又はベースオイル成分として使用され得、且つベンゼノイド部分又はナフテノイド部分又はそれらの誘導体などの芳香族部分から誘導されるその重量の少なくとも約５％を含有するいずれかのヒドロカルビル分子であることも可能である。これらのヒドロカルビル芳香族には、アルキルベンゼン、アルキルナフタレン、アルキルビフェニル、アルキルジフェニルオキシド、アルキルナフトール、アルキルジフェニルスルフィド、アルキル化ビスフェノールＡ、アルキル化チオジフェノールなどが含まれる。芳香族は、モノアルキル化、ジアルキル化、ポリアルキル化などされ得る。芳香族は、単官能化又は多官能化され得る。ヒドロカルビル基は、アルキル基、アルケニル基、アルキニル基、シクロアルキル基、シクロアルケニル基及び他の関連ヒドロカルビル基の混合物から構成されることも可能である。ヒドロカルビル基は、約Ｃ６〜約Ｃ６０の範囲であり得るが、約Ｃ８〜約Ｃ２０の範囲がしばしば好ましい。ヒドロカルビル基の混合物がしばしば好ましく、及びそのような置換基の３個までが存在してもよい。ヒドロカルビル基は、任意選択的に、硫黄、酸素及び／又は窒素含有置換基を含有し得る。芳香族基は、分子の少なくとも約５％が上記種類の芳香族部分から構成されることを条件として、天然（石油）供給源から誘導されることも可能である。ヒドロカルビル芳香族成分に関して、約２ｃＳｔ〜約５０ｃＳｔの１００℃における粘度が好ましく、約３ｃＳｔ〜約２０ｃＳｔの粘度がより好ましい。一実施形態において、アルキル基が主に１−ヘキサデセンから構成されるアルキルナフタレンが使用される。芳香族の他のアルキレートが有利に使用されることも可能である。例えば、ナフタレン又はメチルナフタレンは、オクテン、デセン、ドデセン、テトラデセン又はより高級なオレフィンなどのオレフィン、同様のオレフィンの混合物などによってアルキル化し得る。アルキル化ナフタレン及び類似体は、環構造のアルファ及びベータ炭素位上のアルキル基の異性体分布を有する組成物を含んでなり得る。ナフタレン環のアルファ及びベータ位上の基の分布は、１００：１〜１：１００、より多くは５０：１〜１：５０の範囲であり得る。潤滑油組成物中のヒドロカルビル芳香族の有用な濃度は、用途次第で、約２〜約２５％、好ましくは約４％〜約２０％、より好ましくは約４％〜約１５％であり得る。
【００６０】
本開示のヒドロカルビル芳香族などのアルキル化芳香族は、芳香族化合物の周知のフリーデル−クラフツアルキル化法によって製造されてもよい。Ｆｒｉｅｄｅｌ−Ｃｒａｆｔｓ  ａｎｄ  Ｒｅｌａｔｅｄ  Ｒｅａｃｔｉｏｎｓ，Ｏｌａｈ，Ｇ．Ａ．（ｅｄ．），Ｉｎｔｅｒ−ｓｃｉｅｎｃｅ  Ｐｕｂｌｉｓｈｅｒｓ，Ｎｅｗ  Ｙｏｒｋ，１９６３を参照されたい。例えば、ベンゼン又はナフタレンなどの芳香族化合物は、フリーデル−クラフツ触媒の存在下で、オレフィン、ハロゲン化アルキル又はアルコールによってアルキル化される。Ｆｒｉｅｄｅｌ−Ｃｒａｆｔｓ  ａｎｄ  Ｒｅｌａｔｅｄ  Ｒｅａｃｔｉｏｎｓ，Ｖｏｌ．２，ｐａｒｔ  １，ｃｈａｐｔｅｒｓ  １４，１７及び１８、Ｏｌａｈ，Ｇ．Ａ．（ｅｄ．），Ｉｎｔｅｒ−ｓｃｉｅｎｃｅ  Ｐｕｂｌｉｓｈｅｒｓ，Ｎｅｗ  Ｙｏｒｋ，１９６４を参照されたい。多くの均質又は不均質固体触媒が当業者に知られている。触媒の選択は、出発材料の反応性及び製品の要求品質次第である。例えば、ＡｌＣｌ３、ＢＦ３又はＨＦなどの強酸が使用されてもよい。いくつかの場合、ＦｅＣｌ３又はＳｎＣｌ４などのより穏やかな触媒が好ましい。より新しいアルキル化技術では、ゼオライト又は固体超酸が使用される。
【００６１】
エステルは有用なベースストックを構成する。付加的な溶解作用及びシール適合性特徴は、モノアルカノールとの二塩基酸のエステル及びモノカルボン酸のポリオールエステルなどのエステルの使用によって確保され得る。前者の種類のエステルには、例えば、フタル酸、コハク酸、アルキルコハク酸、アルケニルコハク酸、マレイン酸、アゼライン酸、スベリン酸、セバシン酸、フマル酸、アジピン酸、リノール酸二量体、マロン酸、アルキルマロン酸、アルケニルマロン酸などのジカルボン酸と、ブチルアルコール、ヘキシルアルコール、ドデシルアルコール、２−エチルヘキシルアルコールなどの様々なアルコールとのエステルが含まれる。これらの種類のエステルの具体的な例としては、アジピン酸ジブチル、セバシン酸ジ（２−エチルヘキシル）、フマル酸ジ−ｎ−ヘキシル、セバシン酸ジオクチル、アゼライン酸ジイソオクチル、アゼライン酸ジイソデシル、フタル酸ジオクチル、フタル酸ジデシル、セバシン酸ジエイコシルなどが含まれる。
【００６２】
特に有用な合成エステルは、１種以上の多価アルコール、好ましくは、ヒンダードポリオール（ネオペンチルポリオール、例えば、ネオペンチルグリコール、トリメチロールエタン、２−メチル−２−プロピル−１，３−プロパンジオール、トリメチロールプロパン、ペンタエリトリトール及びジペンタエリトリトールなど）を、少なくとも約４個の炭素原子を含有するアルカノン酸、好ましくは、カプリル酸、カプリン酸、ラウリン酸、ミリスチン酸、パルミチン酸、ステアリン酸、エイコサン酸及びベヘン酸を含む飽和直鎖脂肪酸、若しくは相当する分枝鎖脂肪酸、若しくはオレイン酸などの不飽和脂肪酸、又はこれらの材料のいずれかの混合物などのＣ５〜Ｃ３０酸と反応させることによって得られるものである。
【００６３】
適切な合成エステル成分には、トリメチロールプロパン、トリメチロールブタン、トリメチロールエタン、ペンタエリトリトール及び／又はジペンタエリトリトールと、約５〜約１０個の炭素原子を含有する１種以上のモノカルボン酸とのエステルが含まれる。これらのエステルは商業的に広く入手可能であり、例えば、ＥｘｘｏｎＭｏｂｉｌ  Ｃｈｅｍｉｃａｌ  ＣｏｍｐａｎｙのＭｏｂｉｌ  Ｐ−４１及びＰ−５１エステルである。
【００６４】
ココナツ、ヤシ、ナタネ、ダイズ、ヒマワリなどの再生可能な材料から誘導されるエステルも有用である。これらのエステルは、モノエステル、ジエステル、ポリオールエステル、複合エステル又はそれらの混合物であってもよい。これらのエステルは商業的に広く入手可能であり、例えば、ＥｘｘｏｎＭｏｂｉｌ  Ｃｈｅｍｉｃａｌ  ＣｏｍｐａｎｙのＭｏｂｉｌ  Ｐ−５１エステルである。
【００６５】
再生可能なエステルを含有するエンジンオイル配合物は本開示に含まれる。そのような配合物に関して、エステルの再生可能な含有量は、典型的に、約７０重量パーセントより多く、好ましくは約８０重量パーセントより多く、及び最も好ましくは約９０重量パーセントより多い。
【００６６】
潤滑粘度の他の有用な流体としては、高性能の潤滑特性を提供するために、好ましくは触媒によって処理された、又は合成された非従来型又は非慣例型ベースストックが含まれる。
【００６７】
非従来型又は非慣例型ベースストック／ベースオイルとしては、１種以上の気体−液体（ＧＬＴ）材料から誘導されたベースストックの混合物、並びに天然ワックス若しくはワックス状供給材料、鉱油及び若しくは非鉱油ワックス状供給ストック、例えば、スラックワックス、天然ワックス、及びワックス状ストック、例えば、ガス油、ワックス状燃料水素化分解装置残留物、ワックス状ラフィネート、水素化分解生成物、熱分解生成物若しくは他の鉱物、鉱油、又は非石油誘導ワックス状材料、例えば、石炭液化から受け取られたワックス状材料若しくは頁岩油から誘導された異性化／イソ脱ロウ化ベースストック、及びそのようなベースストックの混合物の１種以上が含まれる。
【００６８】
ＧＴＬ材料は、水素、二酸化炭素、一酸化炭素、水、メタン、エタン、エチレン、アセチレン、プロパン、プロピレン、プロピン、ブタン、ブチレン及びブチンなどの供給ストックとしての気体状炭素含有化合物、水素含有化合物及び／又は要素からの１種以上の合成、組み合わせ、変換、転位、及び／又は分解／脱構築プロセスによって誘導される材料である。ＧＴＬベースストック及び／又はベースオイルは、一般に、炭化水素、例えば、それら自体が供給ストックとしてより単純な気体状炭素含有化合物、水素含有化合物及び／又は他の要素から誘導されるワックス状合成炭化水素から誘導される潤滑粘度のＧＴＬ材料である。ＧＴＬベースストック及び／又はベースオイルには、潤滑油沸騰範囲で沸騰する油であって、（１）合成されたＧＴＬ材料から、例えば、蒸留などによって分離／分留され、その後、流動点が減少した／低流動点の潤滑油を製造するために、触媒脱ロウプロセス又は溶媒脱ロウプロセスの一方又は両方を含む最終ワックス処理工程を受けるもの；（２）例えば、水素脱ロウ又は水素異性化された触媒及び／又は溶媒脱ロウされた合成ワックス又はワックス状炭化水素を含んでなる合成異性化ワックス；（３）水素脱ロウ又は水素異性化された触媒及び／又は溶媒脱ロウされたフィッシャー−トロプシュ（Ｆ−Ｔ）材料（すなわち、炭化水素、ワックス状炭化水素、ワックス及び可能な類似のオキシジェネート）；好ましくは、水素脱ロウ又は水素異性化され／続いて、触媒及び／又は溶媒脱ロウされたＦ−Ｔワックス状炭化水素、或いは水素脱ロウ又は水素異性化され／続いて、触媒（又は溶媒）脱ロウされたＦ−Ｔワックス、又はそれらの混合物が含まれる。
【００６９】
ＧＴＬ材料から誘導されるＧＴＬベースストック及び／又はベースオイル、特に、水素脱ロウ又は水素異性化され／続いて、触媒及び／又は溶媒脱ロウされたワックス又はワックス状供給材料、好ましくは、Ｆ−Ｔ材料誘導ベースストック及び／又はベースオイルは、典型的に、約２ｍｍ２／秒〜約５０ｍｍ２／秒の１００℃における動粘度を有することを特徴とする（ＡＳＴＭ  Ｄ４４５）。それらは、典型的に、約５℃〜約４０℃以下の流動点を有することをさらに特徴とする（ＡＳＴＭ  Ｄ９７）。またそれらは、典型的に、約８０〜約１４０以上の粘度指数を有することを特徴とする（ＡＳＴＭ  Ｄ２２７０）。
【００７０】
加えて、ＧＴＬベースストック及び／又はベースオイルは、典型的に、高パラフィン（＞９０％飽和）であり、且つ非環式イソパラフィンと組み合わせて、単環式パラフィン及び多環式パラフィンの混合物を含有していてもよい。そのような組み合わせにおけるナフテン系（すなわち、シクロパラフィン）含有量の比率は、使用される触媒及び温度によって変動する。さらに、ＧＴＬベースストック及び／又はベースオイルは、典型的に、非常に低い硫黄及び窒素含有量を有し、一般に、これらの元素をそれぞれ、約１０ｐｐｍ未満、より典型的に約５ｐｐｍ未満含有する。Ｆ−Ｔ材料、特にＦ−Ｔワックスから誘導されたＧＴＬベースストック及び／又はベースオイルの硫黄及び窒素含有量は本質的にゼロである。加えて、リン及び芳香族がないことによって、この材料は特に、低ＳＡＰ製品の配合に適切である。
【００７１】
ＧＬＴベースストック及び／又はベースオイル及び／又はワックス異性体ベースストック及び／又はベースオイルという用語は、製造プロセスで回収された広い粘度範囲のそのような材料の個々のフラクション、そのようなフラクションの２つ以上の混合物、並びに標的の動粘度を示すブレンドを製造するための低粘度フラクションの１つ又は２つ以上と、高粘度フラクションの１つ又は２つ以上との混合物を包括するものとして理解される。
【００７２】
ＧＬＴベースストック及び／又はベースオイルが誘導されるＧＬＴ材料は、好ましくは、ＦＴ材料（すなわち、炭化水素、ワックス状炭化水素、ワックス）である。
【００７３】
本開示において有用な配合された潤滑油で使用するためのベースオイルは、それらの優れた揮発性、安定性、粘性測定及び清浄度特性のため、ＡＰＩグループＩ、グループＩＩ、グループＩＩＩ、グループＩＶ及びグループＶ油及びそれらの混合物、好ましくは、ＡＰＩグループＩＩ、グループＩＩＩ、グループＩＶ及びグループＶ油及びそれらの混合物、より好ましくは、グループＩＩＩ〜グループＶベースオイルに相当する様々な油のいずれかである。配合された潤滑油製品中にブレンドするために添加剤を希釈するために使用される量などの少量のグループＩストックは、許容可能であるが、最少に保持されるべきであり、すなわち、「受け取られたまま」の基準で使用される添加剤用の希釈剤／キャリア油としてのそれらの使用に関連するのみの量である。グループＩＩストックに関しても、グループＩＩストックが、そのストック、すなわち、１００＜ＶＩ＜１２０の範囲の粘度指数を有するグループＩＩストックと関連する、より高品質の範囲にあることが好ましい。
【００７４】
本発明の潤滑油のベースストック成分は、典型的に、全組成の１〜９９重量％（本明細書に明らかにされる全ての割合及びパーセントは、他に記載されない限り重量による）、より好ましくは、１０〜９９重量％、又はより好ましくは、１５〜８０％の範囲、又はより好ましくは、２０〜７０％、又はより好ましくは、２５〜６０％、又はより好ましくは、３０〜５０％の範囲であろう。
【００７５】
コベースストック成分
本開示の潤滑油中で有用な例示的なコベースストックとしては、例えば、グループＩＶコベースストック、グループＶコベースストック、又はそれらの混合物が挙げられる。
【００７６】
本開示の潤滑油中で有用な好ましいコベースストックとしては、例えば、Ｃ２０〜３６ポリアルファオレフィン、Ｃ２４〜３２ポリアルファオレフィン、Ｃ２４〜２８ポリアルファオレフィン、又はそれらの混合物であり、且つ約１〜４つの分岐点を有するものが含まれる。
【００７７】
本開示の潤滑油中で有用な他の好ましいコベースストックとしては、例えば、Ｃ８、Ｃ１０、Ｃ１２、Ｃ１４オレフィン、又はそれらの混合物であり、且つ約１〜４つの分岐点を有するものから誘導されるポリアルファオレフィンが含まれる。
【００７８】
本開示の潤滑油中で有用なより好ましいコベースストックとしては、例えば、ＡＳＴＭ  Ｄ４４５によって決定される約４ｃＳｔ未満の１００℃における動粘度（Ｋｖ１００）を有する二量体化され、水素化されたＣ１４線形アルファオレフィンが含まれる。
【００７９】
本開示の潤滑油中で有用なコベースストックは、ＡＳＴＭ  Ｄ４４５によって決定される約６．２ｃＳｔ未満、又は６．０ｃＳｔ未満、又は５．５ｃＳｔ未満の１００℃における動粘度（Ｋｖ１００）、好ましくは、約１ｃＳｔ〜約５ｃＳｔ、より好ましくは、約２ｃＳｔ〜約４ｃＳｔの１００℃における動粘度（Ｋｖ１００）を有する。
【００８０】
ポリアルファオレフィン（ＰＡＯ）コベースストックは、本開示において使用するために好ましいコベースストックである。ポリアルファオレフィン（ＰＡＯ）ベースストックが本開示において使用されてもよい。一般的なＰＡＯは、典型的に、限定されないが、Ｃ２〜約Ｃ３６アルファオレフィンを含むポリアルファオレフィンの比較的低分子量の水素化ポリマー又はオリゴマーから構成され、１−オクテン、１−デセン、１−ドデセン、１−テトラデセンなどのＣ８〜約Ｃ１６アルファオレフィンが好ましい。好ましいポリアルファオレフィンは、ポリ−１−オクテン、ポリ−１−デセン、ポリ−１−ドデセン、ポリ−１−テトラデセン及びそれらの混合物、並びに混合オレフィン誘導ポリオレフィンである。
【００８１】
ＰＡＯ流体は、例えば、三塩化アルミニウム、三フッ化ホウ素、又は三フッ化ホウ素の水との複合体を含むフリーデル−クラフツ（Ｆｒｉｅｄｅｌ−Ｃｒａｆｔｓ）触媒、エタノール、プロパノール又はブタノールなどのアルコール、カルボン酸又は酢酸エチル若しくはプロピオン酸エチルなどのエステルなどの重合触媒の存在下におけるアルファオレフィンの１種又は混合物の重合によって都合よく製造され得る。例えば、米国特許第４，１４９，１７８号明細書又は米国特許第３，３８２，２９１号明細書によって開示された方法は本明細書において都合よく使用され得る。ＰＡＯ合成の他の記載は、米国特許第３，７４２，０８２号明細書；同第３，７６９，３６３号明細書；同第３，８７６，７２０号明細書；同第４，２３９，９３０号明細書；同第４，３６７，３５２号明細書；同第４，４１３，１５６号明細書；同第４，４３４，４０８号明細書；同第４，９１０，３５５号明細書；同第４，９５６，１２２号明細書；及び同第５，０６８，４８７号明細書に見出される。Ｃ１４〜Ｃ１８オレフィンの二量体は、米国特許第４，２１８，３３０号明細書に記載される。本開示において有用なＰＡＯは、ＡＳＴＭ  Ｄ４４５によって決定される約１〜約４ｃＳｔの１００℃における動粘度を有し得る。本開示の目的に関して、ＰＡＯは、好ましくは、ＡＳＴＭ  Ｄ４４５によって決定される約４ｃＳｔ未満の１００℃における動粘度（Ｋｖ１００）、好ましくは、約１ｃＳｔ〜約４ｃＳｔ、より好ましくは、約２ｃＳｔ〜約４ｃＳｔの１００℃における動粘度（Ｋｖ１００）を有する。ＰＡＯは、しばしば、１００℃におけるそれらのおよその動粘度を参照することによって識別される。例えば、ＰＡＯ４は、１００℃においておよそ４ｃＳｔの動粘度を有するＰＡＯを参照する。
【００８２】
本開示において有用なＰＡＯは、メタロセン触媒反応によっても製造可能である。メタロセン触媒によるＰＡＯ（ｍＰＡＯ）は、少なくとも２種以上の異なるアルフェオレフィンから製造されるコポリマー、又はメタロセン触媒系を利用して単一アルファオレフィン供給原料から製造されるホモポリマーであることが可能である。
【００８３】
本開示のＰＡＯコベースストックを調製するために有用な例示的なポリアルファオレフィンとしては、例えば、ｍＰＡＯ二量体、三量体、四量体、より高等なオリゴマーなどが含まれる。
【００８４】
一実施形態において、ｍＰＡＯ二量体は、メタロセン又は末端二重結合を有する他のシングルサイト触媒から調製されるいずれの二量体であることも可能である。二量体は、１−デセン、１−オクテン、１−ドデセン、１−ヘキセン、１−テトラデセン、１−オクタデセン、又はアルファオレフィンの組合せからであることが可能である。
【００８５】
メタロセン誘導生成物は、メタロセンオリゴマー化触媒を使用してアルファオレフィン供給原料のオリゴマー化によって製造される。この初期オリゴマー化ステップで使用されるアルファオレフィン供給原料は、典型的に、４〜２４個の炭素原子、通常、６〜２０個、好ましくは、８〜１４個の炭素原子のアルファオレフィンモノマーである。例示的なアルファオレフィン供給原料としては、例えば、１−ブテン、１−ヘキセン、１−オクテン、１−デセン、１−ドデセン、１−テトラデセンなどが含まれる。線形アルファオレフィンと同一炭素数を有するオレフィンが好ましいが、末端二重結合から少なくとも２つ離れた炭素においてアルキル置換基を含有する分枝鎖オレフィンを使用することも可能である。
【００８６】
メタロセン触媒を使用するオリゴマー化ステップは、選択されたアルファオレフィン供給原料及びメタロセン触媒に適切な条件下で実行することができる。好ましいメタロセン触媒によるアルファオレフィンオリゴマー化プロセスは、全体として参照によって本明細書に組み込まれ、かつ供給原料、メタロセン触媒、プロセス条件及び生成物の特徴決定の詳細に関して参照される国際公開第２００７／０１１９７３号パンフレットに記載される。
【００８７】
本開示のプロセスにおける供給原料として有用な二量体は、少なくとも１つの炭素−炭素不飽和二重結合を有する。不飽和は、通常、メタロセンプロセスの非異性化重合機構特徴の結果として、二量体を構成する２つのモノマー単位の分岐点のほぼ中央に位置する。初期のメタロセン重合ステップで単一の１−オレフィン供給原料を使用してアルファオレフィンホモポリマーを製造する場合、不飽和は中央に位置するであろうが、２つの１−オレフィンコモノマーが使用されてメタロセンコポリマーが形成される場合、二重結合の位置は、使用される２つのコモノマーの鎖長に従って中心から離れて移動し得る。いずれにしても、この二重結合は、１，２−置換内部、ビニル又はビニリデンの特徴である。末端ビニリデン基は、式ＲａＲｂＣ＝ＣＨ２によって表されて、式がＲａＨＣ＝ＣＨ２である場合、ビニルと呼ばれる。不飽和の量は、ＡＳＴＭ  Ｄ１１５９又は同等の方法による臭素価測定によって、或いはプロトン又は炭素１３ＮＭＲに従って、定量的に測定することができる。プロトンＮＭＲ分光分析は、オレフィン不飽和のタイプを識別して、そして定量化することもできる。
【００８８】
使用可能な例示的なオレフィンとしては、例えば、α−オレフィン、内部オレフィン、非水素化ポリ−α−オレフィン、エチレンα−オレフィンコポリマー、非水素化ポリイソブチレン、末端二重結合がマクロマーを含有するオレフィンなどが含まれる。
【００８９】
メタロセン触媒は、例えば、メチルアルミノキサン（ＭＡＯ）、或いはＮ，Ｎ−ジメチルアニリニウムテトラキス（ペルフルオロフェニル）ボレート又は他の同等の非配位アニオンなどの非配位アニオンによって活性化又は促進される、単純メタロセン、置換メタロセン、又は架橋メタロセン触媒であることが可能である。ｍＰＡＯ及びメタロセン触媒反応を使用するｍＰＡＯの製造方法は、国際公開第２００７／０１１８３２号パンフレット及び米国特許出願公開第２００９／００３６７２５号明細書に記載される。
【００９０】
コポリマーｍＰＡＯ組成物は、Ｃ２０〜Ｃ３６の範囲、好ましくは、Ｃ２４〜Ｃ３２の範囲、より好ましくは、Ｃ２４〜Ｃ２８の範囲の少なくとも２種のアルファオレフィンから製造され、且つモノマーがポリマー中にランダムに分散される。平均炭素数が少なくとも４．１であることが好ましい。有利に、エチレン及びプロピレンは、供給原料中に存在する場合、個々に５０重量％未満の量で、又は好ましくは、組み合わせて５０重量％未満の量で存在する。コポリマーは、アイソタクチック、アタクチック、シンジオタクチックポリマー、又は適切な立体規則性の他のいずれかの形態であることが可能である。
【００９１】
ｍＰＡＯは、Ｃ２０〜Ｃ３６の範囲の線形アルファオレフィンから選択される少なくとも２種から最高２６種までの異なる線形アルファオレフィンを含んでなる混合供給原料の線形アルファオレフィン（ＬＡＯ）から製造することも可能である。混合供給原料ＬＡＯは、例えば、アルミニウム触媒又はメタロセン触媒を使用するエチレン成長プロセスから得ることができる。成長オレフィンは、主として、Ｃ２４〜Ｃ３２範囲のＬＡＯを含んでなる。他のプロセスからのＬＡＯも使用することができる。
【００９２】
ホモポリマーｍＰＡＯ組成物は、Ｃ２０〜Ｃ３６の範囲、好ましくは、Ｃ２４〜Ｃ３２の範囲、最も好ましくは、Ｃ２４〜Ｃ２８の範囲のアルファオレフィンから選択される単一アルファオレフィンから製造することができる。ホモポリマーは、アイソタクチック、アタクチック、シンジオタクチックポリマー、又は適切な立体規則性の他のいずれかの形態であることが可能である。立体規則性は、選択された重合触媒及び重合反応条件によって、或いは選択された水素化条件によって慎重に調整することができる。
【００９３】
アルファオレフィンは、従来のＬＡＯ製造設備から、又は製油所からのいずれの成分からも選択されることが可能である。それはホモポリマーを製造するために単独で使用可能であるか、或いはプロピレン、１−ブテン、１−ペンテンなどを含む製油所若しくは化学プラントから入手可能な別のＬＡＯと、又は専用の製造設備から製造された１−ヘキセン又は１−オクテンと一緒に使用可能である。アルファオレフィンは、（米国特許第５，３８２，７３９号明細書に報告される）フィッシャー−トロプシュ（Ｆｉｓｃｈｅｒ−Ｔｒｏｐｓｃｈ）合成から製造されたアルファオレフィンから選択可能である。例えば、ホモポリマーを製造するためにＣ２４〜Ｃ２８アルファオレフィン、より好ましくは、線形アルファオレフィンが適切である。コポリマーを製造するためにＣ４−及びＣ１４−ＬＡＯ、Ｃ６−及びＣ１６−ＬＡＯ、Ｃ８−、Ｃ１０−、Ｃ１２−ＬＡＯ、又はＣ８−及びＣ１４−ＬＡＯ、Ｃ６−、Ｃ１０−、Ｃ１４−ＬＡＯ、Ｃ４−及びＣ１２−ＬＡＯなどの他の組合せが適切である。
【００９４】
潤滑油成分中での使用のため、又は官能性流体として適切な液体生成物を提供するために、Ｃ３〜Ｃ１６のＬＡＯから選択されるＬＡＯの混合物、又はＣ８〜Ｃ１４のＬＡＯから選択される単一ＬＡＯを含んでなる供給原料をオリゴマー化条件下で活性メタロセン触媒と接触させる。Ｃ８〜Ｃ１４範囲の少なくとも２種のアルファオレフィンから製造され、且つポリマー中にランダムに分散したモノマーを有するコポリマー組成物も包含される。「少なくとも２種のアルファオレフィン」という句は、「少なくとも２種の異なるアルファオレフィン」を意味する（そして同様に、「少なくとも３種のアルファオレフィン」は、「少なくとも３種の異なるアルファオレフィン」を意味する）ものとして理解されるであろう。
【００９５】
得られる生成物は、少なくとも２種のアルファオレフィンを含んでなる本質的にランダムな液体コポリマーである。「本質的にランダム」とは、当業者が生成物をランダムコポリマーであると考えることを意味する。同様に、「液体」という用語は、周囲温度及び圧力などの温度及び圧力の通常の条件下で液体を意味するものとして当業者に理解されるであろう。
【００９６】
ポリアルファオレフィンは、好ましくは、ＡＳＴＭ  Ｄ１１５９によって測定される１．８以下、好ましくは、１．７以下、好ましくは、１．６以下、好ましくは、１．５以下、好ましくは、１．４以下、好ましくは、１．３以下、好ましくは、１．２以下、好ましくは、１．１以下、好ましくは、１．０以下、好ましくは、０．５以下、好ましくは、０．１以下の臭素価を有する。必要であれば、ポリアルファオレフィンは低い臭素価を達成するために水素化されることが可能である。
【００９７】
本明細書に記載のいずれのｍポリアルファオレフィン（ｍＰＡＯ）も、１００，０００以下、好ましくは、１００〜８０，０００、好ましくは、２５０〜６０，０００、好ましくは、２８０〜５０，０００、好ましくは、３３６〜４０，０００ｇ／モルのＭｗ（重量平均分子量）を有し得る。
【００９８】
本明細書に記載のいずれのｍポリアルファオレフィン（ｍＰＡＯ）も、５０，０００以下、好ましくは、２００〜４０，０００、好ましくは、２５０〜３０，０００、好ましくは、５００〜２０，０００ｇ／モルのＭｎ（数平均分子量）を有し得る。
【００９９】
本明細書に記載のいずれのｍポリアルファオレフィン（ｍＰＡＯ）も、１より大きく、且つ５未満、好ましくは、４未満、好ましくは、３未満、好ましくは、２．５未満の分子量分布（ＭＷＤ−Ｍｗ／Ｍｎ）を有し得る。ｍＰＡＯのＭＷＤは常に流体粘度の関数である。或いは、本明細書に記載のいずれのポリアルファオレフィンも、流体粘度次第で、１〜２．５、或いは１〜３．５のＭｗ／Ｍｎを有し得る。
【０１００】
重量平均Ｍｗ対数平均Ｍｎの比率（＝Ｍｗ／Ｍｎ）として定義される分子量分布（ＭＷＤ）は、（Ｆｅｒｄｉｎａｎｄ  Ｒｏｄｒｉｇｕｅｓ，ＭｃＧｒａｗ−Ｈｉｌｌ  Ｂｏｏｋ，１９７０による）、「Ｐｒｉｎｃｉｐｌｅｓ  ｏｆ  Ｐｏｌｙｍｅｒ  Ｓｙｓｔｅｍｓ」の第１１５〜１４４頁、第６章の「Ｔｈｅ  Ｍｏｌｅｃｕｌａｒ  Ｗｅｉｇｈｔ  ｏｆ  Ｐｏｌｙｍｅｒｓ」に記載されるように、ポリスチレン標準を使用するゲル透過クロマトグラフィー（ＧＰＣ）によって決定される。ＧＰＣ溶媒はＨＰＬＣグレードテトラヒドロフランであり、阻害されず、３０℃のカラム温度、１ｍｌ／分のフローレート、１重量％の試料濃度を用い、且つカラムセットは、Ｐｈｅｎｏｇｅｌ  ５００Ａ，Ｌｉｎｅａｒ，１０Ｅ６Ａである。
【０１０１】
本明細書に記載のいずれのｍ−ポリアルファオレフィン（ｍＰＡＯ）も、実質的に少量部分の分子量分布のハイエンド尾部を有し得る。好ましくは、ｍＰＡＯは、５．０重量％以下の４５，０００ダルトンより高い分子量を有するポリマーを有する。さらに、或いは代わりに、４５，０００ドルトンより高い分子量を有するｍＰＡＯの量は、１．５重量％以下、又は０．１０重量％以下である。さらに、或いは代わりに、６０，０００ドルトンより高い分子量を有するｍＰＡＯの量は、０．５重量％以下、又は０．２０重量％以下、又は０．１重量％以下である。４５，０００及び６０，０００の分子量の質量フラクションは、上記の通り、ＧＰＣによって決定することができる。
【０１０２】
本明細書に記載のいずれのｍＰＡＯも、（ＡＳＴＭ  Ｄ９７によって測定される）０℃未満、好ましくは、−１０℃未満、好ましくは、−２０℃未満、好ましくは、−２５℃未満、好ましくは、−３０℃未満、好ましくは、−３５℃未満、好ましくは、−５０℃未満、好ましくは、−１０℃〜−８０℃、好ましくは、−１５℃〜−７０℃の流動点を有し得る。
【０１０３】
メタロセン触媒反応を使用して製造されたｍポリアルファオレフィン（ｍＰＡＯ）は、約１〜約４ｃＳｔの１００℃における動粘度を有し得る。本開示の目的に関して、ｍＰＡＯは、好ましくは、ＡＳＴＭ  Ｄ４４５によって決定される約４ｃＳｔ未満の１００℃における動粘度、好ましくは、約１ｃＳｔ〜約４ｃＳｔの１００℃における動粘度、より好ましくは、約２ｃＳｔ〜約４ｃＳｔの１００℃における動粘度を有する。
【０１０４】
コベースストック成分は、好ましくは、潤滑油が、ＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定される潤滑油を配合するために使用されるベースオイル混合物の動粘度（Ｋｖ１００）を減少させるために十分な量で存在する。コベースストック成分は、本開示の潤滑油中の主要ベースストックとして存在することができる。したがって、コベースストック成分は、約１〜約９９重量％、好ましくは、約５〜約９９重量％、より好ましくは、約１０〜約９９重量％、又はより好ましくは、約４０〜約９０重量％、又はより好ましくは、約５０〜約８０重量％、又はより好ましくは、約６０〜約８０重量％の量で存在することができる。
【０１０５】
コベースストックは、好ましくは、本開示の潤滑油の微量成分として存在する。したがって、本潤滑油のコベースストック成分は、典型的に、１〜５０重量％、又はより好ましくは、２〜２０重量％、又はより好ましくは、２〜１５重量％、又はより好ましくは、３〜１０重量％で存在するであろう。
【０１０６】
潤滑油添加剤
本開示において有用な配合潤滑油は、限定されないが、分散剤、清浄剤、腐食抑制剤、さび抑制剤、金属不活性化剤、抗摩耗添加剤及び／又は極圧添加剤、抗焼付剤、ワックス変性剤、粘度指数向上剤、粘度変性剤、脱水添加剤、シール適合性剤、他の摩擦変性剤、潤滑剤、抗汚染剤、発色剤、消泡剤、解乳化剤、乳化剤、高密度化剤、湿潤剤、ゲル化剤、粘着剤、着色剤及び他を含む、１種以上の一般に使用される潤滑油性能添加剤を追加的に含有していてもよい。多くの一般に使用される添加剤に関しては、ＫｌａｍａｎｎのＬｕｂｒｉｃａｎｔｓ  ａｎｄ  Ｒｅｌａｔｅｄ  Ｐｒｏｄｕｃｔｓ，Ｖｅｒｌａｇ  Ｃｈｅｍｉｅ，Ｄｅｅｒｆｉｅｌｄ  Ｂｅａｃｈ，ＦＬ；ＩＳＢＮ  ０  ８９５７３  １７７  ０を参照されたい。Ｎｏｙｅｓ  Ｄａｔａ  Ｃｏｒｐｏｒａｔｉｏｎ  ｏｆ  Ｐａｒｋｒｉｄｇｅ，ＮＪ（１９７３）によって出版されたＭ．Ｗ．Ｒａｎｎｅｙ著「Ｌｕｂｒｉｃａｎｔ  Ａｄｄｉｔｉｖｅｓ」も参照され、また全体として本明細書に組み込まれる米国特許第７，７０４，９３０号明細書も参照されたい。これらの添加剤は、５重量％〜５０重量％の範囲であってよい様々な量の希釈油とともに一般に送達される。
【０１０７】
下記の全ての添加剤は、単独で、又は組み合わせて使用することができる。添加剤に関する全処理レートは、１〜３０％、又はより好ましくは、２〜２５％、又はより好ましくは、３〜２０％、又はより好ましくは、４〜１５％、又はより好ましくは、５〜１０％である。特に好ましい組成物は、１５〜２０％の添加剤レベルを有する。
【０１０８】
本開示で有用な添加剤は、潤滑油中に可溶性である必要はない。油中に不溶性の添加剤は、本開示の潤滑油中で分散されることが可能である。
【０１０９】
潤滑剤組成物中で本開示と組み合わせて使用される性能添加剤の種類及び量は、例として本明細書に示される実施形態によって限定されない。
【０１１０】
分散剤
エンジン運転の間、油不溶性の酸化副産物が生じる。分散剤は、これらの副産物を溶液中に保持することを促進し、したがって、金属表面上でのそれらの堆積が低減する。潤滑油の配合物中で使用される分散剤は、本質的に無灰型又は灰分形成型であってよい。好ましくは、分散剤は無灰である。いわゆる無灰分散剤は、燃焼時に実質的に灰分を形成しない有機材料である。例えば、非金属含有又はホウ酸化された金属を含まない分散剤が無灰であると思われる。対照的に、上記の金属含有清浄剤は燃焼時に灰分を形成する。
【０１１１】
適切な分散剤は、典型的に、比較的高分子量の炭化水素鎖に結合した極性基を含有する。極性基は、典型的に、窒素、酸素又はリンの少なくとも１種の元素を含有する。典型的な炭化水素鎖は、５０〜４００個の炭素原子を含有する。
【０１１２】
分散剤の特に有用な種類は、典型的に長鎖ヒドロカルビル置換コハク酸化合物、通常、ヒドロカルビル置換無水コハク酸とポリヒドロキシ又はポリアミノ化合物との反応によって製造される（ポリ）アルキルコハク酸誘導体である。油中での溶解性を与える分子の親油性部分を構成する長鎖ヒドロカルビル基は、通常、ポリイソブチレン基である。この種類の分散剤の多くの例は、商業的に及び文献において周知である。そのような分散剤を記載する代表的な米国特許は、米国特許第３，１７２，８９２号明細書、同第３，２１４５，７０７号明細書、同第３，２１９，６６６号明細書、同第３，３１６，１７７号明細書、同第３，３４１，５４２号明細書、同第３，４４４，１７０号明細書、同第３，４５４，６０７号明細書、同第３，５４１，０１２号明細書、同第３，６３０，９０４号明細書、同第３，６３２，５１１号明細書、同第３，７８７，３７４号明細書及び同第４，２３４，４３５号明細書である。他の種類の分散剤は、米国特許第３，０３６，００３号明細書、同第３，２００，１０７号明細書、同第３，２５４，０２５号明細書、同第３，２７５，５５４号明細書、同第３，４３８，７５７号明細書、同第３，４５４，５５５号明細書、同第３，５６５，８０４号明細書、同第３，４１３，３４７号明細書、同第３，６９７，５７４号明細書、同第３，７２５，２７７号明細書、同第３，７２５，４８０号明細書、同第３，７２６，８８２号明細書、同第４，４５４，０５９号明細書、同第３，３２９，６５８号明細書、同第３，４４９，２５０号明細書、同第３，５１９，５６５号明細書、同第３，６６６，７３０号明細書、同第３，６８７，８４９号明細書、同第３，７０２，３００号明細書、同第４，１００，０８２号明細書、同第５，７０５，４５８号明細書に記載される。分散剤のさらなる記載は、例えば、この目的のために参照される欧州特許出願公開第４７１  ０７１号明細書に見出され得る。
【０１１３】
ヒドロカルビル置換コハク酸及びヒドロカルビル置換無水コハク酸誘導体は、有用な分散剤である。特に、炭化水素置換期中に好ましくは少なくとも５０個の炭素原子を有する炭化水素置換コハク酸化合物と、少なくとも１当量のアルキレンアミンとの反応によって調製されたスクシンイミド、コハク酸エステル又はコハク酸エステルアミドは特に有用である。
【０１１４】
スクシンイミドは、ヒドロカルビル置換無水コハク酸とアミンとの縮合反応によって形成される。モル比は、ポリアミド次第で変動可能である。例えば、ヒドロカルビル置換無水コハク酸対ＴＥＰＡのモル比は、約１：１〜約５：１で変動可能である。代表的な例は、米国特許第，０８７，９３６号明細書、同第３，１７２，８９２号明細書、同第３，２１９，６６６号明細書、同第３，２７２，７４６号明細書、同第３，３２２，６７０号明細書及び同第３，６５２，６１６号明細書、同第３，９４８，８００号明細書、並びにカナダ国特許第１，０９４，０４４号明細書に示される。
【０１１５】
コハク酸エステルは、ヒドロカルビル置換無水コハク酸とアルコール又はポリオールとの縮合反応によって形成される。モル比は、使用されるアルコール又はポリオール次第で変動可能である。例えば、ヒドロカルビル置換無水コハク酸及びペンタエリスリトールの縮合物は有用な分散剤である。
【０１１６】
コハク酸エステルアミドは、ヒドロカルビル置換無水コハク酸とアルカノールアミンとの縮合反応によって形成される。例えば、適切なアルカノールアミンとしては、エトキシル化ポリアルキルポリアミン、プロポキシル化ポリアルキルポリアミン及びポリエチレンポリアミンなどのポリアルケニルポリアミンが含まれる。一例は、プロポキシル化ヘキサメチレンジアミンである。代表例は、米国特許第４，４２６，３０５号明細書に示される。
【０１１７】
前段で使用されるヒドロカルビル置換無水コハク酸の分子量は、典型的に８００〜２，５００以上の範囲である。上記生成物は、硫黄、酸素、ホルムアルデヒド、オレイン酸などのカルボン酸などの種々の試薬とその後反応させ得る。上記生成物は、一般に分散剤反応生成物１モルあたり約０．１〜約５モルのホウ素を有するホウ酸化分散剤を形成するために、ホウ酸、ホウ酸エステル又は高度にホウ酸化された分散剤などのホウ素化合物と、その後反応させることも可能である。
【０１１８】
マンニッヒ塩基分散剤は、アルキルフェノール、ホルムアルデヒド及びアミンの反応から製造される。参照によって本明細書に組み込まれる米国特許第４，７６７，５５１号明細書を参照されたい。オレイン酸及びスルホン酸などのプロセス助剤及び触媒も反応混合物の一部であり得る。アルキルフェノールの分子量は、８００〜２，５００の範囲である。代表例は、米国特許第３，６９７，５７４号明細書、同第３，７０３，５３６号明細書、同第３，７０４，３０８号明細書、同第３，７５１，３６５号明細書、同第３，７５６，９５３号明細書、同第３，７９８，１６５号明細書及び同第３，８０３，０３９号明細書に示される。
【０１１９】
本開示において有用な典型的な高分子量脂肪酸変性マンニッヒ縮合生成物は、高分子量アルキル置換ヒドロキシ芳香族又はＨＮＲ２基含有反応物から調製することができる。
【０１２０】
ヒドロカルビル置換アミン無灰分散剤添加剤は当業者に周知であり、例えば、米国特許第３，２７５，５５４号明細書、同第３，４３８，７５７号明細書、同第３，５６５，８０４号明細書、同第３，７５５，４３３号明細書、同第３，８２２，２０９号明細書及び同第５，０８４，１９７号明細書を参照されたい。
【０１２１】
好ましい分散剤としては、モノスクシンイミド、ビススクシンイミド及び／又はモノ及びビススクシンイミドの混合物からのそれらの誘導体を含む、ホウ酸化及び非ホウ酸化スクシンイミドが含まれ、ヒドロカルビルスクシンイミドは、約５００〜約５０００、又は約１０００〜約３０００、又は約１０００〜約２０００のＭｎを有するポリイソブチレンなどのヒドロカルビレン基、又はそのようなヒドロカルビレン基の混合物から誘導され、これはしばしば高末端ビニル基を有する。他の好ましい分散剤としては、コハク酸エステル及びアミド、アルキルフェノール−ポリアミン結合マンニッヒ付加物、それらのキャップ形成誘導体及び他の関連化合物が含まれる。
【０１２２】
ポリメタクリレート又はポリアクリレート誘導体は、別の種類の分散剤である。これらの分散剤は、典型的に、窒素含有モノマーと、エステル基中に５〜２５個の炭素原子を含有するメタクリル酸エステル又はアクリル酸エステルとを反応させて調製する。代表的な例は、米国特許第２、１００、９９３号明細書及び同第６，３２３，１６４号明細書に示される。ポリメタクリレート及びポリアクリレート分散剤は、通常、多機能性粘度変性剤として使用される。より低分子量のものは、潤滑油分散剤又は燃料清浄剤として使用されることができる。
【０１２３】
本開示において有用な例示的な好ましい分散剤としては、ポリアルケニル置換モノ−又はジカルボン酸、無水物又はエステルから誘導されるものが含まれ、この分散剤は、少なくとも９００の数平均分子量を有するポリアルケニル部分を有し、かつポリアルケニル部分（中間官能性分散剤）あたり１．３より高く１．７まで、１．３より高く１．６まで、１．３より高く１．５までの官能基（モノ−又はジカルボン酸製造部分）を有する。官能性（Ｆ）は、次式に従って決定することができる：
Ｆ＝（ＳＡＰ×Ｍｎ）／（（１１２，２００×Ａ．Ｉ．）−（ＳＡＰ×９８））
式中、ＳＡＰは、けん化価（すなわち、ＡＳＴＭ  Ｄ９４に従って決定される、スクシン含有反応生成物の１グラム中の酸基の完全中和において消費されるＫＯＨのミリグラム数）であり；Ｍｎは、直鎖オレフィンポリマーの数平均分子量であり；かつＡ．Ｉ．は、スクシン含有反応生成物のパーセント活性成分である（残りは、未反応オレフィンポリマー、無水コハク酸及び希釈剤である）。
【０１２４】
分散剤のポリアルケニル部分は、少なくとも９００、適切には、少なくとも１５００、好ましくは、１８００〜３０００、例えば、２０００〜２８００、より好ましくは、約２１００〜２５００、最も好ましくは、約２２００〜約２４００の数平均分子量を有し得る。分散剤の分子量は、一般に、ポリアルケニル部分の分子量に関して表される。これは、分散剤の正確な分子量の範囲が、分散剤を誘導するために使用されるポリマーの種類、官能基の数及び利用される求核基の種類を含む多数のパラメーターに依存するためである。
【０１２５】
ポリマー分子量Ｍｎは、種々の既知の技術によって決定可能である。１つの都合のよい方法は、分子量分布の情報もさらに提供するゲル透過クロマトグラフィー（ＧＰＣ）である（Ｗ．Ｗ．Ｙａｕ，Ｊ．Ｊ．Ｋｉｒｋｌａｎｄ及びＤ．Ｄ．Ｂｌｙ，“Ｍｏｄｅｒｎ  Ｓｉｚｅ  Ｅｘｃｌｕｓｉｏｎ  Ｌｉｑｕｉｄ  Ｃｈｒｏｍａｔｏｇｒａｐｈｙ”，Ｊｏｈｎ  Ｗｉｌｅｙ  ａｎｄ  Ｓｏｎｓ，Ｎｅｗ  Ｙｏｒｋ，１９７９を参照のこと）。特により低分子量のポリマーのために、分子量を決定するための別の有用な方法は、蒸気圧浸透圧測定法（例えば、ＡＳＴＭ  Ｄ３５９２）である。
【０１２６】
分散剤中のポリアルケニル部分は、好ましくは、重量平均値分子量（Ｍｗ）対数平均値分子量（Ｍｎ）の比率によって決定される、多分散性とも呼ばれる狭い分子量分布（ＭＷＤ）を有する。２．２未満、好ましくは、２．０未満のＭｗ／Ｍｎを有するポリマーが最も望ましい。適切なポリマーは、約１．５〜２．１、好ましくは、約１．６〜約１．８の多分散性を有する。
【０１２７】
分散剤の形成において利用される適切なポリアルケンとしては、ホモポリマー、インターポリマー又はより低分子量の炭化水素が含まれる。そのようなポリマーの１系統は、エチレン及び／又は少なくとも１種の次式Ｈ２Ｃ＝ＣＨＲ１（式中、Ｒ１は、１個〜２６個の炭素原子を含んでなる直鎖又は分枝鎖アルキル基であり、かつポリマーが炭素−炭素不飽和及び高度の末端エテニリデン不飽和を含有する）を有するＣ３〜Ｃ２アルファオレフィンのポリマーを含んでなる。好ましくは、そのようなポリマーは、エチレン、及びＲ１が１個〜１８個の炭素原子を有するアルキル、より好ましくは、１個〜８個の炭素原子を有するアルキル、なおより好ましくは、１個〜２個の炭素原子を有するアルキルである上記式の少なくとも１種のアルファオレフィンのインターポリマーを含んでなる。
【０１２８】
別の有用な種類のポリマーは、イソブテン及びスチレンなどのモノマーのカチオン重合によって調製されたポリマーである。この種類からの共通のポリマーとしては、３５〜７５重量％のブテン含有量及び３０〜６０重量％のイソブテン含有量を有するＣ４精製所流の重合によって得られるポリイソブテンが含まれる。ポリ−ｎ−ブテンを製造するためのモノマーの好ましい供給源は、ラフィネートＩＩなどの石油供給原料流である。これらの原料は、米国特許第４，９５２，７３９号明細書など、当該技術において開示されている。好ましい実施形態では、純粋なイソブチレン流又はラフィネートＩ流から調製されたポリイソブチレンを利用して、末端ビニリデンオレフィンを有する反応性イソブチレンポリマーを調製する。利用されてよいポリイソブテンポリマーは、一般に、１５００〜３０００のポリマー鎖をベースとする。
【０１２９】
分散剤は、好ましくは、非ポリマー（例えば、モノ−又はビス−スクシンイミド）である。そのような分散剤は、その開示が参照によって本明細書に組み込まれる米国特許出願公開第２００８／００２０９５０号明細書に開示されるものなどの従来プロセスによって調製可能である。
【０１３０】
分散剤は、米国特許第３，０８７，９３６号明細書、同第３，２５４，０２５号明細書及び同第５，４３０，１０５号明細書に一般に開示されるような従来手段によってホウ酸化させることが可能である。
【０１３１】
そのような分散剤は、約０．０１〜２０重量％又は０．０１〜１０重量％、好ましくは、約０．５〜８重量％、又はより好ましくは、０．５〜４重量％の量で使用されてよい。或いはそのような分散剤は、約２〜１２重量％、好ましくは、約４〜１０重量％、又はより好ましくは、６〜９重量％の量で使用されてよい。活性成分基準で、そのような添加剤は、約０．０６〜１４重量％、好ましくは、約０．３〜６重量％の量で使用されてよい。分散剤原子の炭化水素部分は、Ｃ６０〜Ｃ１０００、又はＣ７０〜Ｃ３００、又はＣ７０〜Ｃ２００で変動可能である。これらの分散剤は、中性及び塩基性窒素の両方、並びに両方の混合物を含有し得る。分散剤は、ボレート及び／又は環式カルボネートによってエンドキャップされることが可能である。仕上げ油中の窒素含有量は、重量で約２００ｐｐｍ〜重量で約２０００ｐｐｍ、好ましくは、重量で約２００ｐｐｍ〜重量で約１２００ｐｐｍで変動可能である。塩基性窒素は、重量で約１００ｐｐｍ〜重量で約１０００ｐｐｍ、好ましくは、重量で約１００ｐｐｍ〜重量で約６００ｐｐｍで変動可能である。
【０１３２】
本明細書に記載される分散剤は、本開示の組成物に対して有利に有用であり、且つ本開示の界面活性剤のいくつか又は全ての代わりとなる。さらに、一実施形態において、１種以上の分散剤を使用する本開示の組成物の調製は、本開示の成分と、任意のベースストック及び潤滑油添加剤を、混合物中、そのような成分の融点、特に、１種以上のＭ−カルボキシレート（Ｍ＝Ｈ、金属、２種以上の金属、それらの混合物）の融点より高い温度で組み合わせることによって達成される。
【０１３３】
本明細書で使用される場合、分散剤濃度は、「送達されたまま」の基準で与えられる。典型的に、活性分散剤はプロセス油によって送達される。「送達されたまま」の分散剤は、典型的に、「送達されたまま」の分散剤製品中、約２０重量パーセント〜約８０重量パーセント、又は約４０重量〜約６０重量パーセントの活性分散剤を含有する。
【０１３４】
清浄剤
本開示において有用な例示的な清浄剤としては、例えば、アルカリ金属清浄剤、アルカリ土類金属清浄剤又は１種若しくはそれ以上のアルカリ金属清浄剤及び１種若しくはそれ以上のアルカリ土類金属清浄剤の混合物が含まれる。典型的な清浄剤は、分子の長鎖疎水性部分と、分子のより小さいアニオン性又は疎油性の親水性部分とを含むアニオン性材料である。清浄剤のアニオン性部分は典型的に、有機酸、例えば、硫黄含有酸、カルボン酸（例えば、サリチル酸）、リン含有酸、フェノール又はそれらの混合物から誘導される。対イオンは典型的にアルカリ土類又はアルカリ金属である。本明細書に記載の通り、清浄剤は過塩基化されることが可能である。
【０１３５】
清浄剤は、好ましくは、有機又は無機酸の金属塩、フェノールの金属塩、或いはそれらの混合物である。金属は、好ましくは、アルカリ金属元素、アルカリ土類金属及びそれらの混合物から選択される。有機又は無機酸は、脂肪族有機又は無機酸、脂環式有機又は無機酸、芳香族有機又は無機酸及びそれらの混合物から選択される。
【０１３６】
金属は、好ましくは、アルカリ金属元素、アルカリ土類金属及びそれらの混合物から選択される。より好ましくは、金属は、カルシウム（Ｃａ）、マグネシウム（Ｍｇ）及びそれらの混合物から選択される。
【０１３７】
有機酸又は無機酸は、好ましくは、硫黄酸、カルボン酸、リン含有酸及びそれらの混合物から選択される。
【０１３８】
好ましくは、有機又は無機酸の金属塩、或いはフェノールの金属塩は、カルシウムフェナート、スルホン酸カルシウム、サリチル酸カルシウム、マグネシウムフェナート、スルホン酸マグネシウム、サリチル酸マグネシウム、過塩基化清浄剤及びそれらの混合物を含んでなる。
【０１３９】
実質的に化学量論的量の金属を含有する塩は中性塩として記載され、かつ０〜８０の全アルカリ価（ＴＢＮ、ＡＳＴＭ  Ｄ２８９６によって測定される）を有する。多くの組成物は過塩基性であり、過剰量の金属化合物（例えば、金属水酸化物又は酸化物）と（二酸化炭素などの）酸性気体とを反応させることによって達成される金属塩基を大量に含有する。有用な清浄剤は、中性であるか、わずかに過塩基性であるか、又は高度に過塩基性であり得る。これらの清浄剤は、中性、過塩基性、高度に過塩基性のカルシウムサリチレート、スルホネート及びフェネート及び／又はマグネシウムサリチレート、スルホネート、フェネートの混合物において使用可能である。ＴＢＮの範囲は、低、中程度及び高製品まで変動可能であり、０程度の低ＴＢＮから６００程度の高ＴＢＮまで含まれる。好ましくは、清浄剤によってもたらされるＴＢＮは、１〜２０である。より好ましくは、１〜１２である。スルホネート、フェネート、サリチレート及びカルボキシレートを含むカルシウム及びマグネシウム金属ベース清浄剤の混合物と一緒に、低、中程度、高ＴＢＮの混合物を使用することができる。金属比１の清浄剤混合物を、金属比２の清浄剤及び金属比５の清浄剤との組み合わせで使用することができる。ホウ酸化清浄剤も使用することができる。
【０１４０】
別の有用な種類の清浄剤は、アルカリ土類フェネートである。これらの清浄剤は、アルカリ土類金属水酸化物又は酸化物（例えば、ＣａＯ、Ｃａ（ＯＨ）２、ＢａＯ、Ｂａ（ＯＨ）２、ＭｇＯ、Ｍｇ（ＯＨ）２）をアルキルフェノール又は硫化アルキルフェノールと反応させることによって製造可能である。有用なアルキル基としては、直鎖又は分枝鎖Ｃ１〜Ｃ３０アルキル基、好ましくは、Ｃ４〜Ｃ２０又はそれらの混合物が含まれる。適切なフェノールの例としては、イソブチルフェノール、２−エチルヘキシルフェノール、ノニルフェノール、ドデシルフェノールなどが含まれる。なお、出発アルキルフェノールが、それぞれ独立して直鎖又は分岐鎖である２個以上のアルキル置換基を含有してもよく、かつこれを０．５〜６重量％使用し得ることに留意するべきである。非硫化アルキルフェノールが使用される場合、硫化生成物は、当該技術分野において周知の方法によって得られてもよい。これらの方法には、アルキルフェノール及び硫化剤（硫黄元素、二塩化硫黄などのハロゲン化硫黄などを含む）の混合物を加熱し、次いで、硫化フェノールをアルカリ土類金属塩基と反応させることが含まれる。
【０１４１】
本開示によると、カルボン酸の金属塩が清浄剤として好ましい。これらのカルボン酸清浄剤は、塩基性金属化合物と少なくとも１種のカルボン酸を反応させ、及び反応生成物から水分を除去することによって調製され得る。これらの化合物は、望ましいＴＢＮレベルを生じるように過塩基性であってもよい。サリチル酸から製造された清浄剤は、カルボン酸から誘導される清浄剤の好ましい１種である。有用なサリチレートとしては、長鎖アルキルサリチレートが含まれる。組成物の有用な系統群の１種は、次式
【化１】
2020511581.tif 000004
（式中、Ｒは、１〜約３０個の炭素原子を有するアルキル基であり、ｎは１〜４の整数であり、かつＭはアルカリ土類金属である）である。好ましいＲ基は、少なくともＣ１１、好ましくはＣ１３以上のアルキル鎖である。Ｒは、清浄剤の機能を妨害しない置換基によって任意選択的に置換されていてもよい。Ｍは、好ましくは、カルシウム、マグネシウム、バリウム又はそれらの混合物である。より好ましくは、Ｍはカルシウムである。
【０１４２】
ヒドロカルビル置換サリチル酸は、コルベ反応によってフェノールから調製され得る（米国特許第３，５９５，７９１号明細書を参照されたい）。ヒドロカルビル置換サリチル酸の金属塩は、水又はアルコールなどの極性溶媒中での金属塩の複分解によって調製され得る。
【０１４３】
アルカリ土類金属ホスフェートが清浄剤として使用されてもよく、これは当該技術分野において既知である。
【０１４４】
清浄剤は、単一清浄剤、又はハイブリッド若しくは複合清浄剤として既知であるものであってよい。後者の清浄剤は、別々の材料をブレンドすることを必要とせずに、２種の清浄剤の特性を提供することができる。米国特許第６，０３４，０３９号明細書を参照されたい。
【０１４５】
好ましい清浄剤としては、スルホン酸カルシウム、スルホン酸マグネシウム、スルホン酸カルシウム、カルシウムフェネート、マグネシウムフェネート及び他の関連成分（ホウ酸化清浄剤を含む）並びにそれらの混合物が含まれる。好ましい清浄剤の混合物としては、スルホン酸マグネシウム及びサリチル酸カルシウム、スルホン酸マグネシウム及びスルホン酸カルシウム、スルホン酸マグネシウム及びカルシウムフェナート、カルシウムフェナート及びサリチル酸カルシウム、カルシウムフェナート及びスルホン酸カルシウム、カルシウムフェナート及びサリチル酸マグネシウム、カルシウムフェナート及びマグネシウムフェナートが含まれる。過塩基化清浄剤も好ましい。
【０１４６】
本開示の潤滑油中の清浄剤濃度は、潤滑油の全重量に基づき、約０．５〜約６．０重量パーセント、好ましくは、約０．６〜約５．０重量パーセント、より好ましくは、約０．８重量パーセント〜約４．０重量パーセントの範囲であることが可能である。
【０１４７】
本明細書で使用される場合、清浄剤濃度は、「送達されたまま」の基準で与えられる。典型的に、活性清浄剤はプロセス油によって送達される。「送達されたまま」の清浄剤は、典型的に、「送達されたまま」の清浄製品中、約２０重量パーセント〜約１００重量パーセント、又は約４０重量〜約６０重量パーセントの活性清浄を含有する。
【０１４８】
粘度変性剤
本開示の潤滑剤組成物中に、粘度変性剤（粘度指数向上剤（ＶＩ向上剤）及び粘度向上剤としても知られている）を含むことが可能である。
【０１４９】
粘度変性剤は、高温及び低温運転性能を潤滑剤に提供する。これら添加剤は、高温における剪断安定性及び低温における容認できる粘度を与える。
【０１５０】
適切な粘度変性剤としては、高分子量炭化水素、ポリエステル、並びに粘度変性剤及び分散剤の両方として機能する粘度変性剤分散剤が含まれる。これらのポリマーの典型的な分子量は、約１０，０００〜１，５００，０００、より典型的に２０，０００〜１，２００，０００、さらにより典型的に５０，０００〜１，０００，０００である。
【０１５１】
適切な粘度変性剤の例は、メタクリレート、ブタジエン、オレフィン又はアルキル化スチレンの直鎖又は星型ポリマー及びコポリマーである。ポリイソブチレンは一般に使用される粘度変性剤である。別の適切な粘度変性剤は、ポリメタクリレート（例えば、種々の鎖長のアルキルメタクリレートのコポリマー）であり、それらの配合物のいくつかは流動点降下剤としても機能する。他の適切な粘度変性剤としては、エチレン及びプロピレンのコポリマー、スチレン及びイソプレンの水素化ブロックコポリマー、並びにポリアクリレート（例えば、種々の鎖長のアクリレートのコポリマー）が含まれる。具体例としては、５０，０００〜２００，０００の分子量のスチレン−イソプレン又はスチレン−ブタジエンベースのポリマーが含まれる。
【０１５２】
オレフィンコポリマーは、Ｃｈｅｖｒｏｎ  Ｏｒｏｎｉｔｅ  Ｃｏｍｐａｎｙ  ＬＬＣから商標名「ＰＡＲＡＴＯＮＥ（登録商標）」（例えば、「ＰＡＲＡＴＯＮＥ（登録商標）８９２１」及び「ＰＡＲＡＴＯＮＥ（登録商標）８９４１」）、Ａｆｔｏｎ  Ｃｈｅｍｉｃａｌ  Ｃｏｒｐｏｒａｔｉｏｎから商標名「ＨｉＴＥＣ（登録商標）」（例えば、「ＨｉＴＥＣ（登録商標）５８５０Ｂ」）、Ｔｈｅ  Ｌｕｂｒｉｚｏｌ  Ｃｏｒｐｏｒａｔｉｏｎから商標名「Ｌｕｂｒｉｚｏｌ（登録商標）７０６７Ｃ」で商業的に入手可能である。水素化ポリイソプレン星型ポリマーは、Ｉｎｆｉｎｅｕｍ  Ｉｎｔｅｒｎａｔｉｏｎａｌ  Ｌｉｍｉｔｅｄから、例えば、商標名「ＳＶ２００」及び「ＳＶ６００」で商業的に入手可能である。水素化ジエン−スチレンブロックコポリマーは、Ｉｎｆｉｎｅｕｍ  Ｉｎｔｅｒｎａｔｉｏｎａｌ  Ｌｉｍｉｔｅｄから、例えば、商標名「ＳＶ５０」で商業的に入手可能である。
【０１５３】
ポリメタクリレート又はポリアクリレートポリマーは、Ｅｖｎｏｉｋ  Ｉｎｄｕｓｔｒｉｅｓから「Ｖｉｓｃｏｐｌｅｘ（登録商標）」の商標名（例えば、「Ｖｉｓｃｏｐｌｅｘ  ６−９５４」）で入手可能である線形ポリマー、又はＬｕｂｒｉｚｏ  Ｃｏｒｐｏｒａｔｉｏｎから「ｄｅｓｉｇｎａｔｉｏｎ  Ａｓｔｅｒｉｃ（商標）」の商標名（例えば、Ｌｕｂｒｉｚｏｌ  ８７７０８及びＬｕｂｒｉｚｏｌ  ８７７２５）で入手可能である星型ポリマーであることが可能である。
【０１５４】
本開示において有用な例示的なビニル芳香族含有ポリマーは、主にビニル芳香族炭化水素モノマーから誘導され得る。本開示において有用な例示的なビニル芳香族含有コポリマーは次の一般式：
Ａ−Ｂ
（式中、Ａは、主にビニル芳香族炭化水素モノマーから誘導されるポリマーブロックであり、かつＢは、主に共役ジエンモノマーから誘導されるポリマーブロックである）によって表され得る。
【０１５５】
本開示の一実施形態において、粘度変性剤は、配合オイル又は潤滑エンジンオイルの全重量に基づき、約１０重量パーセント未満、好ましくは、約７重量パーセント未満、より好ましくは、約４重量パーセント未満の量で使用され得、そして特定の例においては、２重量パーセント未満、好ましくは、約１重量パーセント未満、より好ましくは、約０．５重量パーセント未満の量で使用され得る。粘度変性剤は、典型的に、多量の希釈油中の濃縮液として添加される。
【０１５６】
本明細書で使用される場合、粘度変性剤濃度は、「送達されたまま」の基準で与えられる。典型的に、活性ポリマーは希釈油によって送達される。「送達されたまま」の粘度変性剤は、典型的に、「送達されたまま」のポリマー濃縮液中、約２０重量パーセント〜約７５重量パーセントのポリメタクリレート又はポリアクリレートポリマーのための活性ポリマー、或いは約８重量〜約２０重量パーセントのオレフィンコポリマー、水素化ポリイソプレン星型ポリマー又は水素化ジエン−スチレンブロックコポリマーのための活性ポリマーを含有する。
【０１５７】
酸化防止剤
酸化防止剤は、使用間のベース油の酸化分解を遅らせる。そのような分解は、金属表面上の沈着物、スラッジの存在又は潤滑油中の粘度増加をもたらし得る。当業者は、潤滑油組成物において有用な多種多様な酸化防止剤を知っている。例えば、Ｋｌａｍａｎｎ  ｉｎ  Ｌｕｂｒｉｃａｎｔｓ  ａｎｄ  Ｒｅｌａｔｅｄ  Ｐｒｏｄｕｃｔｓ，前掲書及び米国特許第４，７９８，６８４号明細書及び同第５，０８４，１９７号明細書を参照のこと。
【０１５８】
有用な酸化防止剤としては、ヒンダードフェノールが含まれる。これらのフェノール系酸化防止剤は、無灰分（金属を含まない）フェノール系合物又は特定のフェノール化合物の中性若しくは塩基性金属塩であり得る。典型的なフェノール系酸化防止剤化合物は、立体障害ヒドロキシル基を含有するヒンダードフェノールであり、かつこれらには、ヒドロキシル基が互いにｏ又はｐ位にあるジヒドロキシアリール化合物のそれらの誘導体が含まれる。典型的なフェノール系酸化防止剤としては、Ｃ６＋アルキル基で置換されたヒンダードフェノール、及びこれらのヒンダードフェノールのアルキレン結合誘導体が含まれる。この種類のフェノール系材料の例は、２−ｔ−ブチル−４−ヘプチルフェノール；２−ｔ−ブチル−４−オクチルフェノール；２−ｔ−ブチル−４−ドデシルフェノール；２，６−ジ−ｔ−ブチル−４−ヘプチルフェノール；２，６−ジ−ｔ−ブチル−４−ドデシルフェノール；２−メチル−６−ｔ−ブチル−４−ヘプチルフェノール；及び２−メチル−６−ｔ−ブチル−４−ドデシルフェノールである。他の有用なヒンダードモノフェノール系酸化防止剤としては、例えば、ヒンダード２，６−ジアルキル−フェノール系プロピオン酸エステル誘導体が含まれ得る。ビス−フェノール系酸化防止剤も、本開示と組み合わせて有利に使用され得る。オルト結合フェノールの例としては、２，２−ビス（４−ヘプチル−６ｔ−ブチル−フェノール）；２，２−ビス（４−オクチル−６−ｔ−ブチル−フェノール）；及び２，２’−ビス（４−ドデシル−６−ｔ−ブチル−フェノール）が含まれる。パラ結合ビスフェノールとしては、例えば、４，４’−ビス（２，６−ジ−ｔ−ブチルフェノール）及び４，４’−メチレンビス（２，６−ジ−ｔ−ブチルフェノール）が含まれる。
【０１５９】
有効量の１種以上の触媒的酸化防止剤も使用されてよい。触媒的酸化防止剤は、有効量のａ）１種以上の油溶性多金属有機化合物と、有効量のｂ）１種以上の置換Ｎ、Ｎ’−ジアリール−ｏ−フェニレンジアミン化合物又はｃ）１種以上のヒンダードフェノール化合物；或いはｂ）及びｃ）の両方の組合せを含んでなる。触媒的酸化防止剤は、全体として参照によって本明細書に組み込まれる米国特許第８，０４８，８３３号明細書により完全に記載される。
【０１６０】
使用されてよい非フェノール系酸化防止剤としては芳香族アミン酸化防止剤が含まれ、これらは、そのまま、又はフェノールと組み合わせて使用されてよい。非フェノール系酸化防止剤の典型的な例としては、式Ｒ８Ｒ９Ｒ１０Ｎ（式中、Ｒ８は脂肪族、芳香族又は置換芳香族基であり、Ｒ９は芳香族又は置換芳香族基であり、かつＲ１０は、Ｈ、アルキル、アリール又はＲ１１Ｓ（Ｏ）ＸＲ１２であり、Ｒ１１は、アルキレン、アルケニレン又はアラルキレン基であり、Ｒ１２は、高級アルキル基、又はアルケニル、アリール若しくはアルカリール基であり、かつｘは０、１又は２である）の芳香族モノアミンなどのアルキル化又は非アルキル化芳香族アミンが含まれる。脂肪族基Ｒ８は、１〜約２０個の炭素原子を含有してもよく、好ましくは約６〜１２個の炭素原子を含有する。脂肪族基は、飽和脂肪族基である。好ましくは、Ｒ８及びＲ９は両方とも芳香族又は芳香族基であり、かつ芳香族基は、ナフチルなどの縮合環芳香族基であってもよい。芳香族基Ｒ８及びＲ９は、Ｓなどの他の基と一緒に結合していてもよい。
【０１６１】
典型的な芳香族アミン酸化防止剤は、少なくとも約６個の炭素原子のアルキル置換基を有する。脂肪族基の例としては、ヘキシル、ヘプチル、オクチル、ノニル及びデシルが含まれる。一般に、脂肪族基は、約１４個より多い炭素原子を含まないであろう。本組成物中で有用であるアミン酸化防止剤の一般的な種類は、ジフェニルアミン、フェニルナフチルアミン、フェノチアジン、イミドジベンジル及びビフェニルフェニレンジアミンが含まれる。芳香族アミンの２種以上の混合物も有用である。ポリマーアミン酸化防止剤も使用可能である。本開示において有用な芳香族アミン酸化防止剤の特定の例としては、ｐ，ｐ’−ジオクチルジフェニルアミン；ｔ−オクチルフェニル−アルファ−ナフチルアミン；フェニル−アルファナフチルアミン；及びｐ−オクチルフェニル−アルファ−ナフチルアミンが含まれる。
【０１６２】
硫化アルキルフェノール及びそのアルカリ又はアルカリ土類金属塩も有用な酸化防止剤である。
【０１６３】
好ましい酸化防止剤としては、ヒンダードフェノール、アリールアミンが含まれる。これらの酸化防止剤は、種類ごとに個別に、又は互いに組み合わせて使用されてよい。そのような添加剤は、約０．０１〜５重量パーセント、好ましくは、約０．０１〜１．５重量パーセント、より好ましくは、０〜１．５重量パーセント未満、より好ましくは、０〜１重量パーセント未満の量で使用され得る。
【０１６４】
流動点降下剤（ＰＰＤ）
必要に応じて、従来の流動点降下剤（潤滑油流動性向上剤としても知られている）を本開示の組成物に添加してもよい。これらの流動点降下剤は、流体が流動し得るか、又は流れ出ることが可能であろう最低温度を低下させるために、本開示の潤滑組成物に添加されてよい。適切な流動点降下剤の例としては、ポリメタクリレート、ポリアクリレート、ポリアリールアミド、ハロパラフィンワックス及び芳香族化合物の縮合生成物、ビニルカルボキシレートポリマー、並びにジアルキルフマレート、脂肪酸のビニルエステル及びアリルビニルエーテルのターポリマーが含まれる。米国特許第１，８１５，０２２号明細書、同第２，０１５，７４８号明細書、同第２，１９１，４９８号明細書、同第２，３８７，５０１号明細書、同第２，６５５，４７９号明細書、同第２，６６６，７４６号明細書、同第２，７２１，８７７号明細書、同第２，７２１，８７８号明細書及び同第３，２５０，７１５号明細書には、有用な流動点降下剤及び／又はそれらの調製が記載されている。そのような添加剤は、約０．０１〜５重量％、好ましくは約０．０１〜１．５重量％の量で使用されてよい。
【０１６５】
抗摩耗添加剤
金属アルキルチオホスフェート、より特に、金属成分が亜鉛である金属ジアルキルジチオホスフェート又は亜鉛ジアルキルジチオホスフェート（ＺＤＤＰ）は、本開示の潤滑油の有用な成分であることが可能である。ＺＤＤＰは、第一級アルコール、第二級アルコール、又はそれらの混合物から誘導することができる。ＺＤＤＰ化合物は一般に、次式
Ｚｎ［ＳＰ（Ｓ）（ＯＲ１）（ＯＲ２）］２
（式中、Ｒ１及びＲ２は、Ｃ１〜Ｃ１８アルキル基、好ましくは、Ｃ２〜Ｃ１２アルキル基である）である。これらのアルキル基は、直鎖であっても、又は分枝鎖であってもよい。ＺＤＤＰで使用されるアルコールは、プロパノール、２−プロパノール、ブタノール、第二級ブタノール、ペンタノール、ヘキサノール、例えば、４−メチル−２−ペンタノール、ｎ−ヘキサノール、ｎ−オクタノール、２−エチルヘキサノール、アルキル化フェノールなどであることが可能である。第二級アルコール又は第一級及び第二級アルコールの混合物が好ましくなることが可能である。アルキルアリール基も使用されてよい。
【０１６６】
商業的に入手可能な好ましい亜鉛ジチオホスフェートには、例えば、Ｔｈｅ  Ｌｕｂｒｉｚｏｌ  Ｃｏｒｐｏｒａｔｉｏｎから商標名「ＬＺ  ６７７Ａ」、「ＬＺ  １０９５」及び「ＬＺ  １３７１」、例えば、Ｃｈｅｖｒｏｎ  Ｏｒｏｎｉｔｅから商標名「ＯＬＯＡ  ２６２」、並びに例えば、Ａｆｔｏｎ  Ｃｈｅｍｉｃａｌから商標名「ＨＩＴＥＣ  ７１６９」で入手可能なものなどの第二級亜鉛ジチオホスフェートが含まれる。
【０１６７】
ＺＤＤＰは、典型的に、潤滑油の全重量に基づき、約０．３〜約１．５重量パーセント、好ましくは、約０．４重量パーセント〜約１．２重量パーセント、より好ましくは、約０．５重量パーセント〜約１．０重量パーセント、なおより好ましくは、約０．６重量パーセント〜約０．８重量パーセントの量で使用されるが、多かれ少なかれ、しばしば有利に使用されることができる。好ましくは、ＺＤＤＰは第二級ＺＤＤＰであり、かつ潤滑油の全重量の約０．６〜１．０重量パーセントの量で存在し得る。
【０１６８】
シール適合性剤
シール適合性剤は、流体中で化学反応を、又はエラストマー中で物理変化をもたらすことによって、エラストマー性シールを膨張させることを促進する。潤滑油に適切なシール適合性剤には、有機ホスフェート、芳香族エステル、芳香族炭化水素、エステル（例えば、ブチルベンジルフタレート）、及びポリブテニル無水コハク酸が含まれる。そのような添加剤は、約０．０１〜３重量％、好ましくは約０．０１〜２重量％の量で使用されてよい。
【０１６９】
消泡剤
消泡剤は、潤滑油組成物に都合よく添加されてもよい。これらの薬剤は、安定した気泡の形成を遅らせる。シリコーン及び有機ポリマーは典型的な消泡剤である。例えば、ケイ素油又はポリジメチルシロキサなどのポリシロキサンが消泡剤特性をもたらす。消泡剤は商業的に入手可能であり、及び解乳化剤などの他の添加剤と一緒に従来通り少量で使用されてもよい。通常、これらの組み合わされた添加剤の量は１重量％未満であり、しばしば０．１重量％未満である。
【０１７０】
抑制剤及び抗さび添加剤
抗さび添加剤（又は腐食抑制剤）は、水又は他の汚染物質による化学的攻撃に対して、潤滑された金属表面を保護する添加剤である。多種多様なこれらは商業的に入手可能である。
【０１７１】
抗さび添加剤の１種は、金属表面を優先的に湿潤し、油の膜によってそれを保護する極性化合物である。別の種類の抗さび添加剤は、油のみが金属表面に接触するように、油中水エマルジョンにそれを組み込むことによって、水を吸収する。さらに別の種類の抗さび添加剤は、非反応性表面を生じるように金属に化学的に結合する。適切な添加剤の例には、ジチオリン酸亜鉛、金属フェノレート、塩基性金属スルホネート、脂肪酸及びアミンが含まれる。そのような抑制剤及び抗さび添加剤は、約０．０１〜５重量パーセント、好ましくは、約０．０１〜１．５重量パーセントの量で使用されてよい。
【０１７２】
摩擦変性剤
摩擦変性剤は、そのような材料を含有するいずれかの潤滑剤又は流体によって潤滑された表面の摩擦係数を変更することができる、いずれかの材料である。摩擦減少剤、又は潤滑剤若しくは油性剤、及び潤滑された表面の摩擦係数を変性するためにベース油、配合潤滑剤組成物又は機能的な流体の能力を変更する他のそのような薬剤としても知られている摩擦変性剤は、必要に応じて、本開示のベース油又は潤滑剤組成物と一緒に効果的に使用されてもよい。摩擦係数を低下する摩擦変性剤は、本開示のベース油及び潤滑油組成物と組み合わせて特に都合がよい。
【０１７３】
例示的な摩擦変性剤としては、例えば、有機金属化合物若しくは材料、又はそれらの混合物が含まれてよい。本開示の潤滑エンジンオイル配合物において有用である例示的な有機金属摩擦変性剤としては、例えば、モリブデンアミン、モリブデンジアミン、モリブデンアミン、モリブデンジアミン、有機タングステネート、モリブデンジチオカルバメート、ジチオリン酸モリブデン、モリブデンアミン錯体、モリブデンカルボキシレートなど、及びそれらの混合が含まれる。同様のタングステンをベースとする化合物が好ましくなり得る。
【０１７４】
本開示の潤滑エンジンオイル配合物において有用な他の例示的な摩擦変性剤としては、例えば、アルコキシル化脂肪酸エステル、アルカノールアミド、ポリオール脂肪酸エステル、ホウ酸化グリセロール脂肪酸エステル、脂肪アルコールエーテル及びそれらの混合物が含まれる。
【０１７５】
例示的なアルキル化脂肪酸エステルとしては、例えば、ポリオキシエチレンステアレート、脂肪酸ポリグリコールエステルなどが含まれる。これらは、ポリオキシプロピレンステアレート、ポリオキシブチレンステアレート、ポリオキシエチレンイソステアレート、ポリオキシプロピレンイソステアレート、ポリオキシエチレンパルミテートなどを含むことができる。
【０１７６】
例示的なアルカノールアミドには、例えば、ラウリン酸ジエチルアルカノールアミド、パルミチン酸ジエチルアルカノールアミドなどが含まれる。これらは、オレイン酸ジエチルアルカノールアミド、ステアリン酸ジエチルアルカノールアミド、オレイン酸ジエチルアルカノールアミド、ポリエトキシル化ヒドロカルビルアミド、ポリプロポキシル化ヒドロカルビルアミドなどを含むことができる。
【０１７７】
例示的なポリオール脂肪酸エステルとしては、例えば、グリセロールモノオレエート、飽和モノ−、ジ−及びトリグリセリドエステル、グリセロールモノステアレートなどが含まれる。これらは、ポリオールエステル、ヒドロキシル含有ポリオールエステルなどを含むことができる。
【０１７８】
例示的なホウ酸化グリセロール脂肪酸エステルには、例えば、ホウ酸化グリセロールモノオレエート、ホウ酸化飽和モノ−、ジ−及びトリグリセリドエステル、ホウ酸化グリセロールモノステアレートなどが含まれる。グリセロールポリオールに加えて、これらは、トリメチロールプロパン、ペンタエリトリトール、ソルビタンなどを含むことができる。これらのエステルは、ポリオールモノカルボキシレートエステル、ポリオールジカルボン酸エステル、場合によって、ポリオールトリカルボキシレートエステルであることができる。好ましくは、グリセロールモノオレエート、グリセロールジオレエート、グリセロールトリオレエート、グリセロールモノステアレート、グリセロールジステアレート、並びにグリセロールトリステアレート及び相当するグリセロールモノパルミテート、グリセロールジパルミテート及びグリセロールトリパルミテート及びそれぞれのイソステアラート、リノーレエートであり得る。場合により、グリセロールエステル、並びにこれらのいずれかを含有する混合物が好ましくなる可能性がある。根本ポリオールとしてグリセロールを特に使用して、ポリオールのエトキシル化、プロポキシル化、ブトキシル化脂肪酸エステルが好ましくなる可能性がある。
【０１７９】
例示的な脂肪アルコールエーテルとしては、例えば、ステアリルエーテル、ミリスチルエーテルなどが含まれる。Ｃ３〜Ｃ５０の炭素数を有するものを含むアルコールは、エトキシル化、プロポキシル化又はブトキシル化して、相当する脂肪酸アルキルエーテルを形成することができる。基本的なアルコール部分は、好ましくは、ステアリル、ミリスチル、Ｃ１１〜Ｃ１３炭化水素、オレイル、イソステアリルなどであることができる。
【０１８０】
本開示の潤滑油は、摩擦変性剤の存在下又は不在下において、所望の特性、例えば、摩耗制御を示す。
【０１８１】
有用な摩擦変性剤の有用な濃度は、０．０１重量パーセント〜５重量パーセント又は約０．１重量パーセント〜約２．５重量パーセント、又は約０．１重量パーセント〜約１．５重量パーセント、又は約０．１重量パーセント〜約１重量パーセントの範囲であり得る。モリブデン含有材料の濃度は、しばしば、Ｍｏ金属濃度に関して記載される。Ｍｏの有利な濃度は、２５ｐｐｍ〜７００ｐｐｍ以上の範囲であり得、しばしば、５０〜２００ｐｐｍが好ましい範囲である。全種類の摩擦変性剤は、単独で、又は本開示の材料との混合物で使用されてよい。しばしば、２種以上の摩擦変性剤の混合物、又は別の表面活性材料との摩擦変性剤の混合物も望ましい。
【０１８２】
潤滑油組成物が上記で議論された添加剤の１種以上を含有する場合、添加剤は、その意図された機能を実行するために十分な量で組成物中にブレンドされる。本開示において有用なそのような添加剤の典型的な量を以下の表１に示す。
【０１８３】
多くの添加剤は、特定量のベース油希釈剤と一緒に、１種以上の添加剤を一緒に含有する濃縮物として添加剤製造業者から出荷されることに留意されたい。したがって、以下の表２の重量、並びに本明細書に記載される他の量は、活性成分（すなわち、成分の非希釈剤部分）の量に関する。以下に示す重量パーセント（重量％）は、潤滑油組成物の全重量に基づく。
【０１８４】
【表２】
2020511581.tif 000005
【０１８５】
上記添加剤は全て商業的に入手可能な材料である。これらの添加剤は独立して添加されてもよいが、通常、潤滑油石油添加剤の供給元から入手可能なパッケージ中に前もって組み合わせられている。種々の成分、割合及び特徴を有する添加剤パッケージが利用可能であり、そして適切なパッケージの選択は、最終組成物の必要な使用を考慮に入れるであろう。
【０１８６】
以下の表３は、エンジンオイルのＳＡＥ  Ｗグレードを分類するためのＤ５２９３コールドクランキングシミュレーター粘度（ＣＣＳＶ）必要条件を規定する。完全な必要条件は、ＳＡＥ規格Ｊ３００に含まれる。ＳＡＥ  ０Ｗ−ＸＸ粘度グレードを除いて、全ての粘度グレードに関して、最大ＣＣＳＶ必要条件及び最小ＣＣＳＶ必要条件の両方がある。Ｊ３００規格の追加の必要条件は、ＣＣＳＶ最大試験温度より５℃低い温度で試験されたＤ４６８４  ＭＲＶ粘度であり、これは≦６０，０００ｃＰでなければならず、３５ｃＰ未満の降伏応力を有する。
【０１８７】
【表３】
2020511581.tif 000006
【０１８８】
次の非限定的な実施例は、本開示を説明するために提供される。
【実施例】
【０１８９】
図１及び２は、ＣＣＳＶを引き上げるコベースストックの使用によって可能なブレンドウインドウを示すことによって、本開示の有用性を示す。従来の配合方法において、ＳＡＥ  ５Ｗ−ｘｘエンジンオイルを製造するのに、−３５℃において十分なＣＣＳＶを達成するために、より高粘度のベースストックの組合せが必要とされる。より高粘度のベースストック（例えば、＞５ｃＳｔのグループＩＶ又はグループＩＩＩのこの使用は、燃料経済性及びエネルギーの減少を導く、より高粘度のベースオイル粘度をもたらす。ベースオイル粘度を減少させるために、より低温の粘度は温度によってより迅速に変化するため、より低い粘度指数ベースストック（例えば、グループＩＩ）を使用することができる。この方法によって、より低いベースオイル粘度、並びにエネルギー効率及び燃料経済性の同時回復が達成されるが、他の性能の譲歩がなされる。例えば、低粘度グループＩＩベースストックを含有する配合物のＮｏａｃｋ揮発性が増加し、堆積物又は清浄度の問題が導かれる可能性がある。
【０１９０】
図１に、ＳＡＥ  ５Ｗ−３０エンジンオイルのブレンドウインドウを示す。これらのブレンドウインドウを作成する時、高温高せん断粘度（ＨＴＨＳ）、１００℃における動粘度（ＫＶ１００）、Ｎｏａｃｋ揮発性、ベースオイル粘度（ＢＯＶ）及び−３５℃におけるコールドクランキングシミュレーター粘度（ＣＣＳＶ）は、種々のベースオイルの組合せによる広範囲の配合油に対して決定された。添加剤及び粘度調整剤濃度は一定に保持され、そしてベースオイル混合物が調整された。単一セントロイド実験計画を使用し、グループＩＶ−４、グループＩＩ−４．５及びグループＩＩＩ−Ｃ６ベースストックを含んでなるベースオイル成分による種々の配合物の上記物理的特性を決定した。図１の線は、≦１５％のＮｏａｃｋ揮発性、≦５．５ｃＳｔのベースオイル粘度（すなわち、ベースオイル混合物のＫＶ１００）及び＞６２００ｃＰの−３５℃におけるＣＣＳＶの境界線条件に相当する。これらの境界線条件は、これらのベースストックによるＳＡＥ  ５Ｗ−３０配合物を定義する最も制約が多いものであった。この場合、５．５ｃＳｔのＢＯＶ限度が独断的にカットオフとして選択された。
【０１９１】
図１は、上記で議論された影響をグラフによって示す。三角形の頭頂は、示された成分の１００％を含有するベースオイル混合物に相当する。より多くのグループＩＶ−４ベースストックが配合物中に含まれる場合、オイルは、５Ｗ−ｘｘグレードに関するＣＣＳＶの定義を満たすことによって制限される。さらに、より重質カットのベースストック（すなわち、６ｃＳｔのグループＩＩＩ）が添加されると、配合物は、ベースオイル粘度の増加によって制限され始める。そして最後に、より多くのグループＩＩ−４．５が添加されると、配合物は、Ｎｏａｃｋ揮発性によって制限される。
【０１９２】
Ｋｖ１００＜４ｃＳｔを有するが、低温において有意に厚くなるＣ２８メチルパラフィンコベースストックを使用することにより、低粘度、低粘度指数グループＩＩベースストックを使用することの制約がなくなり、低ベースオイル粘度、容認できる揮発性を有し、且つ完全合成ベースストックを含んでなる配合物が可能となる。これは図２にグラフによって示される。図２は、配合物が７．５重量％で一定のＣ２８メチルパラフィンコベースを含有することを除き、図１と同様に作成される。また、ベースオイル混合物は、グループＩＶ−４、グループＩＩＩ−Ａ４又はグループＩＩＩ−Ａ８に変更されている。ＣＣＳＶに関する制約は、ＣＣＳＶを引き上げるベースストックを使用する場合に排除され、そしてＳＡＥ  ５Ｗ−３０潤滑油を製造するためのブレンドウインドウにおける有意な増加がもたらされる。図２にはＮｏａｃｋ揮発性に関する制限がなお存在するが、線の勾配が、図１のグループＩＩ−４．５ベースストックを含む場合よりも少ないことを注目することも重要である。このことは、ＣＣＳＶを引き上げるベースストックを使用することにより、Ｎｏａｃｋ揮発性を改善しながら、より低いベースオイル粘度を有する潤滑油を配合することが可能であることを示す。これらの改善が、使用中の潤滑油に、堆積物性能の改善及びオイル消費量の減少をもたらすと予想される。
【０１９３】
本開示に従って、好ましいＣＣＳＶを引き上げる分子は、（「Ｃ２８ＭＰ」と呼ばれる）Ｃ２８メチルパラフィン、パルミチン酸デシル、ココナッツ油又はＣ１８二量体である。この分子は、Ｃ１４アルファオレフィンの二量体化によって、メタロセンＰＡＯプロセスを使用して合成される。この分子は室温で固体であるが、広範囲の温度で他のベースストック中に可溶性である。潤滑油配合物中３〜１０％で好ましく使用される場合、Ｃ２８ＭＰは約２，５００，０００ｃＰの−３５℃における見掛けのＣＣＳＶを与える。図３は、Ｃ２８ＭＰ、パルミチン酸デシル、ココナッツ油及びＣ１８二量体のいくつかの追加的特性を示す。
【０１９４】
さらに、Ｃ２８ＭＰ、パルミチン酸デシル、ココナッツ油及びＣ１８二量体は、驚くべきことに、ＭＴＭトラクションにおける有意な利益を示す。図４は、ＰＡＯ２、ＰＡＯ４、Ｃ２８ＭＰ、グループＩＩＩ−Ｂ４、グループＶ−Ａ、パルミチン酸デシル、ココナッツ油、並びにＣ１８二量体及びグループＶ−Ｂに関するＭＴＭトラクション結果の比較を示す。Ｃ２８ＭＰ、パルミチン酸デシル、ココナッツ油及びＣ１８二量体は、広範囲の滑り率で有意に低いトラクション係数を示すことに注目されたい。そのようなＭＴＭトラクションにおける改善は、様々な用途において有意なエネルギー効率の利益を提供することが予想される。重要なことに、そのような驚くべき、且つ顕著なトラクション利益をもたらすためには、Ｃ２８ＭＰ、パルミチン酸デシル、ココナッツ油及びＣ１８二量体の有意なフラクションの使用が必要となる可能性がある。そのようなものとして、そのような配合物の低温特性は、ＳＡＥ  Ｊ３００粘度グレードを達成することを必要とする自動車エンジンオイルに適切とはなり得ない。しかしながら、そのような配合物は、温度＞３０℃における用途において非常に有用であろう。
【０１９５】
実施例において使用されるベースストックの典型的な特性を図５に示す。
【０１９６】
本開示の選択されたコベースストック及び市販のベースストックを使用して、エンジンオイルを配合した。それぞれの配合物は、図６〜１０に示される通り、列挙されたベースストックの重量％、列挙されたコベースストックの重量％、列挙された添加剤の重量％、及び列挙された添加剤パッケージの重量％からなった。利用された添加剤パッケージは、一般に使用される添加剤成分（例えば、粘度変性剤、抗摩耗添加剤、摩擦変性剤、分散剤、清浄剤、酸化防止剤、流動点降下剤、消泡剤など）から構成される。
【０１９７】
ＡＳＴＭ  Ｄ４４５によって決定される潤滑油の動粘度（Ｋｖ１００）、ＡＳＴＭ  Ｄ４４５によって決定される潤滑油の動粘度（Ｋｖ４０）、ＡＳＴＭ  Ｄ５２９３−１５によって決定される潤滑油のコールドクランキングシミュレーター（ＣＣＳ−３５）粘度、ＡＳＴＭ  Ｄ５２９３−１５によって決定される潤滑油のコールドクランキングシミュレーター（ＣＣＳ−３０）粘度、ＡＳＴＭ  Ｄ４６８３によって決定される高温高せん断（ＨＴＨＳ）粘度、ＡＳＴＭ  Ｄ４６８４によって決定される潤滑油の粘度（ＭＲＶ）、ＡＳＴＭ  Ｄ２２７０によって決定される粘度指数（ＶＩ）、ＡＳＴＭ  Ｄ４６８４−１４によって決定される降伏応力、ＡＳＴＭ  Ｄ５８００によって決定されるＮｏａｃｋ揮発性、ＡＳＴＭ  Ｄ９７−１６によって決定される流動点、ＡＳＴＭ  Ｄ５１３３−１５によって決定されるゲル化指数、ＡＳＴＭ  Ｄ５１３３−１５によって決定されるゲル化温度、本開示のコベースストックによって配合されたエンジンオイルに関する結果は、図６〜１０に示される。
【０１９８】
図６は、５Ｗ−３０及び１０Ｗ−３０エンジンオイルがどのようにＣ２８メチルパラフィンと配合され、１００℃におけるベースオイル粘度を低下させ、且つ所望の粘度グレードを維持しながら、燃料効率を改善するかを示すことによって、本開示の有用性を示す。図６中、全ての比較例及び本発明の実施例において使用される粘度変性剤は、３２９，０００のＭｎ、８７０，０００のＭｗ（光散乱によって決定）及び２．６の多分散性指数を有する水素化イソプレン星形ポリマーであった。比較例１は、ベースストックグループＩＩＩ−Ａ４及びグループＩＩＩ−Ａ８によって配合された５Ｗ−３０エンジンオイルの特性を示す。これは、４ｃＳｔの流体及び８ｃＳｔのカットの混合物である。注目すべき基本特性は、１００℃におけるベースオイル粘度は５．６６ｃＳｔであり、且つ−３５℃におけるＣＣＳＶは６８９０ｃＰであるということである。ＣＣＳＶに基づき、比較例１は５Ｗエンジンオイルである。比較例２において、１００℃におけるベースオイル粘度を４．１１ｃＳｔまで低下させるために、グループＩＩＩ−Ａベースストック混合物を再均衡させる。このベースオイル再均衡によって燃料経済性が改善することが予想される（Ｃｒｏｓｔｈｗａｉｔら）。この配合物は、４０２０ｃＰの−３５℃におけるＤ５２９３  ＣＣＳＶを有し、且つ０Ｗ−３０エンジンオイルとして分類されるであろう。
【０１９９】
本発明の実施例１において、Ｄ５２９３  ＣＣＳＶ（−３５℃において６８９０ｃＰ）を維持するように再均衡されたグループＩＩＩ−Ａベースストック混合物に７．５％のＣ２８メチルパラフィンコベースを添加する。得られた配合物は、４．０５ｃＳｔの１００℃におけるベースオイル粘度及び７１５０ｃＰの−３５℃におけるＣＣＳＶを有する。Ｄ５２９３  ＣＣＳＶに基づき、本発明の実施例１は５Ｗ−３０エンジンオイルである。Ｃ２８メチルパラフィンコベースの添加によって、−３５℃におけるＣＣＳＶに有意な影響を及ぼすことなく、１００℃におけるベースオイル粘度の有意な減少がもたらされ、したがって、５Ｗの最初の粘度グレードが維持される。−４０℃におけるＭＲＶ、流動点及び走査Ｂｒｏｏｋｆｉｅｌｄゲル化指数などの本発明の実施例１に関する他の低温特性は優れている。
【０２００】
比較例３は、グループＩＩＩ−Ａ８ベースストック及びグループＩＶ−４の混合物によって配合された５Ｗ−３０エンジンオイルの特性を示す。注目すべき基本特性は、１００℃におけるベースオイル粘度は５．７５ｃＳｔであり、且つ−３５℃におけるＣＣＳＶは６５２０ｃＰであるということである。ＣＣＳＶに基づき、比較例３は５Ｗ−３０エンジンオイルである。比較例４において、１００℃におけるベースオイル粘度を４．１２ｃＳｔまで低下させるために、グループＩＩＩ−Ａベースストック混合物を再均衡させる。このベースオイル再均衡によって燃料経済性が改善することが予想される（Ｃｒｏｓｔｈｗａｉｔら）。この配合物は、３５３０ｃＰの−３５℃におけるＤ５２９３  ＣＣＳＶを有し、且つ０Ｗ−３０エンジンオイルとして分類されるであろう。本発明の実施例２において、グループＩＩＩ−Ａベースストック混合物及びグループＩＶベースオイルに８．２％のＣ２８メチルパラフィンコベースを添加する。グループＩＩＩ−Ａベースオイルは、初期ＣＣＳＶを維持するように再均衡された。得られた配合物は、４．０５ｃＳｔの１００℃におけるベースオイル粘度及び７５００ｃＰの−３５℃におけるＤ５２９３  ＣＣＳＶを有する。ＣＣＳＶに基づき、本発明の実施例２は５Ｗ−３０エンジンオイルである。Ｃ２８メチルパラフィンコベースの添加によって、−３５℃におけるＣＣＳＶに有意な影響を及ぼすことなく、１００℃におけるベースオイル粘度の有意な減少がもたらされ、したがって、５Ｗの最初の粘度グレードが維持される。−４０℃におけるＭＲＶ、流動点及び走査Ｂｒｏｏｋｆｉｅｌｄゲル化指数などの本発明の実施例２に関する他の低温特性は優れている。
【０２０１】
比較例５は、ベースストックグループＩＩＩ−Ａ４及びグループＩＩ６の混合物によって配合された５Ｗ−３０エンジンオイルの特性を示す。注目すべき基本特性は、１００℃におけるベースオイル粘度は５．５０ｃＳｔであり、且つ−３０℃におけるＤ５２９３  ＣＣＳＶは７６２０ｃＰであるということである。ＣＣＳＶに基づき、比較例３は１０Ｗ−３０エンジンオイルである。比較例６において、１００℃におけるベースオイル粘度を５．００ｃＳｔまで低下させるために、グループＩＩＩ−Ａベースストック混合物を再均衡させる。このベースオイル再均衡によって燃料経済性が改善することが予想される（Ｃｒｏｓｔｈｗａｉｔら）。この配合物は、４７８０ｃＰの−３０℃におけるＤ５２９３  ＣＣＳＶを有し、且つ５Ｗ−３０エンジンオイルとして分類されるであろう。本発明の実施例３において、ベースストックグループＩＩＩ−Ａ、グループＩＩベースオイル混合物に９．８％のＣ２８メチルパラフィンコベースを添加する。得られた配合物は、５．００ｃＳｔの１００℃におけるベースオイル粘度及び６７０１ｃＰの−３０℃におけるＤ５２９３  ＣＣＳＶを有する。ＣＣＳＶに基づき、本発明の実施例３は１０Ｗ−３０エンジンオイルである。Ｃ２８メチルパラフィンコベースの添加によって、−３０℃におけるＣＣＳＶに有意な影響を及ぼすことなく、１００℃におけるベースオイル粘度の有意な減少がもたらされ、したがって、１０Ｗ−３０の最初の粘度グレードが維持される。
【０２０２】
図７中、全ての比較例及び本発明の実施例において使用される粘度変性剤は、１４９，０００のＭｎ、１５０，０００のＭｗ（光散乱によって決定）及び１．０の多分散性指数を有するスチレンイソプレンブロックポリマーであった。図７中、比較例７は、ベースストックグループＩＩＩ−Ｃ６、グループＩＩ−４．５及びグループＩＩ−４の混合物によって配合された５Ｗ−３０エンジンオイルの特性を示す。注目すべき基本特性は、１００℃におけるベースオイル粘度は４．９３ｃＳｔであり、且つ−３５℃におけるＤ５２９３  ＣＣＳＶは８１２０ｃＰであるということである。ＣＣＳＶに基づき、比較例７は５Ｗ−３０エンジンオイルである。比較例８において、１００℃におけるベースオイル粘度を４．４５ｃＳｔまで低下させるために、比較例７のベースストック混合物を再均衡させる。これによって燃料経済性利益が提供されることが予想される（Ｃｒｏｓｔｈｗａｉｔら）。−３５℃におけるＤ５２９３  ＣＣＳＶは５６６０ｃＰである。粘度特性に基づき、比較例８は０Ｗ−３０エンジンオイルである。したがって、べースストック再均衡の結果として、エンジンオイルの粘度グレードが変化した。本発明の実施例４において、ベースストックグループＩＩＩ−Ｃ、グループＩＩ−４．５、グループＩＶ−４ベースオイル混合物に５％のＣ２８メチルパラフィンコベースを添加する。得られた配合物は、４．４５ｃＳｔの１００℃におけるベースオイル粘度及び８２８０ｃＰの−３５℃におけるＤ５２９３  ＣＣＳＶを有する。ＣＣＳＶに基づき、本発明の実施例４は５Ｗ−３０エンジンオイルである。Ｃ２８メチルパラフィンコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例４は、流動点、−４０℃におけるＭＲＶ及び走査Ｂｒｏｏｋｆｉｅｌｄゲル化指数を含む良好な低温特性を維持する。加えて、本発明の実施例４は、良好な高温堆積物制御（ＴＥＯＳＴ  ３３Ｃ）を維持する。
【０２０３】
図８中、全ての比較例及び本発明の実施例において使用される粘度変性剤は、３２９，０００のＭｎ、８７０，０００のＭｗ（光散乱によって決定）及び２．６の多分散性指数を有する水素化イソプレン星形ポリマーであった。図８中、比較例９は、ベースストックグループＩＩＩ−Ａ４及びグループＩＩＩ−Ａ８によって配合された５Ｗ−３０エンジンオイルの特性を示す。注目すべき基本特性は、１００℃におけるベースオイル粘度は５．９１ｃＳｔであり、且つ−３５℃におけるＣＣＳＶは８６７０ｃＰであるということである。ＣＣＳＶに基づき、比較例９は５Ｗ−３０エンジンオイルである。比較例１０において、１００℃におけるベースオイル粘度を４．７９ｃＳｔまで低下させるために、比較例９のベースストック混合物を再均衡させる。これによって燃料経済性利益が提供されることが予想される（Ｃｒｏｓｔｈｗａｉｔら）。−３５℃におけるＤ５２９３  ＣＣＳＶは５４９０ｃＰである。粘度特性に基づき、比較例１０は０Ｗ−３０エンジンオイルである。したがって、べースストック再均衡の結果として、エンジンオイルの粘度グレードが変化した。本発明の実施例５において、一定のＣＣＳＶを維持するように再均衡されたベースストックグループＩＩＩ−Ａ４及びグループＩＩＩ−Ａ８混合物に５％のＣ２８メチルパラフィンコベースを添加する。得られた配合物は、４．８０ｃＳｔの１００℃におけるベースオイル粘度及び７６８０ｃＰの−３５℃におけるＣＣＳＶを有する。ＣＣＳＶに基づき、本発明の実施例５は５Ｗ−３０エンジンオイルである。Ｃ２８メチルパラフィンコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例５は、流動点、−４０℃におけるＭＲＶ及び走査Ｂｒｏｏｋｆｉｅｌｄゲル化指数を含む良好な低温特性を維持する。加えて、本発明の実施例５は、良好な高温堆積物制御（ＴＥＯＳＴ  ３３Ｃ）及び良好なオイル老化粘度制御（ＣＥＣ  Ｌ１０５  ＬＴＰＴ）を維持する。
【０２０４】
比較例１１は、グループＩＶ−６及びグループＩＩＩ−Ｂ６ベースストック混合物によって配合された５Ｗ−３０エンジンオイルの特性を示す。注目すべき基本特性は、１００℃におけるベースオイル粘度は５．７９ｃＳｔであり、且つ−３５℃におけるＣＣＳＶは６９００ｃＰであるということである。ＣＣＳＶに基づき、比較例１１は５Ｗ−３０エンジンオイルである。比較例１２において、１００℃におけるベースオイル粘度を４．６６ｃＳｔまで低下させるために、比較例１１のベースストック混合物を再均衡させる。これによって燃料経済性利益が提供されることが予想される（Ｃｒｏｓｔｈｗａｉｔら）。−３５℃におけるＤ５２９３  ＣＣＳＶは４２７０ｃＰである。粘度特性に基づき、比較例１２は０Ｗ−３０エンジンオイルである。したがって、ベースストック再均衡の結果として、エンジンオイルの粘度グレードが変化した。本発明の実施例６において、一定のＣＣＳＶを維持するように再均衡されたグループＩＶ及びグループＩＩＩ−Ｂ６ベースオイル混合物に５％のＣ２８メチルパラフィンコベースを添加する。得られた配合物は、４．７ｃＳｔの１００℃におけるベースオイル粘度及び６２６０ｃＰの−３５℃におけるＣＣＳＶを有する。ＣＣＳＶに基づき、本発明の実施例６は５Ｗエンジンオイルである。Ｃ２８メチルパラフィンコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例６は、流動点、−４０℃におけるＭＲＶ及び走査Ｂｒｏｏｋｆｉｅｌｄゲル化指数を含む良好な低温特性を維持する。
【０２０５】
比較例１３は、グループＩＩＩ−Ａ４、グループＩＩＩ−Ａ８及びグループＩＩＩ−Ｂ６ベースストック混合物によって配合された５Ｗ−３０エンジンオイルの特性を示す。注目すべき基本特性は、１００℃におけるベースオイル粘度は５．７４ｃＳｔであり、且つ−３５℃におけるＣＣＳＶは８５５０ｃＰであるということである。ＣＣＳＶに基づき、比較例１０は５Ｗ−３０エンジンオイルである。比較例１４において、１００℃におけるベースオイル粘度を４．５２ｃＳｔまで低下させるために、比較例１３のベースストック混合物を再均衡させる。これによって燃料経済性利益が提供されることが予想される（Ｃｒｏｓｔｈｗａｉｔら）。−３５℃におけるＤ５２９３  ＣＣＳＶは５０８０ｃＰである。粘度特性に基づき、比較例１４は０Ｗ−３０エンジンオイルである。したがって、べースストック再均衡の結果として、エンジンオイルの粘度グレードが変化した。本発明の実施例７において、グループＩＩＩ−Ａ４及びグループＩＩＩ−Ｂ６ベースストック混合物に５％のＣ２８メチルパラフィンコベースを添加する。得られた配合物は、４．５ｃＳｔの１００℃におけるベースオイル粘度及び７５２０ｃＰの−３５℃におけるＣＣＳＶを有する。ＣＣＳＶに基づき、本発明の実施例７は５Ｗ−３０エンジンオイルである。Ｃ２８メチルパラフィンコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例７は、流動点、−４０℃におけるＭＲＶ及び走査Ｂｒｏｏｋｆｉｅｌｄゲル化指数を含む良好な低温特性を維持する。加えて、本発明の実施例７は、良好な高温堆積物制御（ＴＥＯＳＴ  ３３Ｃ）及び良好なオイル老化粘度制御（ＣＥＣ  Ｌ１０５  ＬＴＰＴ）を維持する。
【０２０６】
比較例１５は、グループＩＩＩ−Ａ８及びグループＩＶ−６ベースストック混合物によって配合された５Ｗ−３０エンジンオイルの特性を示す。注目すべき基本特性は、１００℃におけるベースオイル粘度は５．９７ｃＳｔであり、且つ−３５℃におけるＣＣＳＶは７１１０ｃＰであるということである。ＣＣＳＶに基づき、比較例１１は５Ｗ−３０エンジンオイルである。比較例１６において、１００℃におけるベースオイル粘度を４．８ｃＳｔまで低下させるために、比較例１４のベースストック混合物を再均衡させる。これによって燃料経済性利益が提供されることが予想される（Ｃｒｏｓｔｈｗａｉｔら）。−３５℃におけるＤ５２９３  ＣＣＳＶは４５１０ｃＰである。粘度特性に基づき、比較例１６は０Ｗ−３０エンジンオイルである。したがって、べースストック再均衡の結果として、エンジンオイルの粘度グレードが変化した。本発明の実施例８において、ＣＣＳＶを維持するように再均衡されたグループＩＩＩ−Ａ及びグループＩＶベースストック混合物に５％のＣ２８メチルパラフィンコベースを添加する。得られた配合物は、４．８ｃＳｔの１００℃におけるベースオイル粘度及び６７００ｃＰの−３５℃におけるＣＣＳＶを有する。ＣＣＳＶに基づき、本発明の実施例８は５Ｗ−３０エンジンオイルである。Ｃ２８メチルパラフィンコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例８は、流動点、−４０℃におけるＭＲＶ及び走査Ｂｒｏｏｋｆｉｅｌｄゲル化指数を含む良好な低温特性を維持する。加えて、本発明の実施例８は、良好な高温堆積物制御（ＴＥＯＳＴ  ３３Ｃ）、良好なオイル老化粘度制御（ＣＥＣ  Ｌ１０５  ＬＴＰＴ及びＲＯＢＯ  Ｄ７５２８）並びに優れた酸化安定性（４０℃におけるＤ７５２８  ％粘度増加）を維持する。
【０２０７】
図９は、一定ＣＣＳＶを維持しながら１００℃におけるベースオイル粘度を減少させるためにパルミチン酸デシル又はココナッツ油が使用される場合の比較例及び本発明の実施例を提供する。図９中の全ての比較例及び本発明の実施例に関する粘度変性剤は、二峰性分子量分布を有する水素化イソプレン星形ポリマーであった。第１のピークは、１，０５０，０００のＭｗ、９３９，０００のＭｎ（光散乱によって決定）及び１．１２の多分散性指数を有する。粘度変性剤は、２８２，０００のＭｗ、２６８，０００のＭｎ（光散乱によって決定）及び１．０５の多分散性指数を有する第２のピークを有する。比較例１７は、ベースストック混合物として、グループＩＩ−４、グループＩＩＩ−Ａ４、グループＩＶ−４、及びグループＶ−Ａによって配合された５Ｗ−３０エンジンオイルの特性を示す。注目すべき基本特性は、１００℃におけるベースオイル粘度は４．３８ｃＳｔであったこと、及び−３５℃におけるＣＣＳＶは７５７０ｃＰであったことである。ＣＣＳＶに基づき、比較例１７は５Ｗ−３０エンジンオイルである。本発明の実施例９において、本発明の実施例９の−３５℃におけるＣＣＳＶが比較例１７の―３５℃におけるＣＣＳＶと適合するように、グループＶ−Ａ及びグループＩＩ−４及びグループＩＩＩ−Ａ４ベースストックの代わりの５％のパルミチン酸デシルを再均衡させた。得られた配合物は、４．１３ｃＳｔの１００℃におけるベースオイル粘度、及び７４９０ｃＰの−３５℃におけるＣＣＳＶを有した。ＣＣＳＶに基づき、実施例９は５Ｗ−３０エンジンオイルであった。パルミチン酸デシルコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例９は、流動点、及び走査Ｂｒｏｏｋｆｉｅｌｄゲル化指数を含む良好な低温特性を維持する。比較例１８は、ベースストック混合物として、グループＩＩ−４、グループＩＩ−Ａ６、グループＩＶ−４、及びグループＶ−Ａによって配合された１０Ｗ−３０エンジンオイルの特性を示した。注目すべき基本特性は、１００℃におけるベースオイル粘度は４．９６ｃＳｔであったこと、及び−３０℃におけるＣＣＳＶは６８５０ｃＰであったことであった。ＣＣＳＶに基づき、比較例１８は１０Ｗ−３０エンジンオイルであった。本発明の実施例１０において、本発明の実施例１０の−３０℃におけるＣＣＳＶが比較例１８の―３０℃におけるＣＣＳＶと適合するように、グループＶ−Ａ及びグループＩＩ−４及びグループＩＩ−６ベースストックの代わりの５％のパルミチン酸デシルを再均衡させた。得られた配合物は、４．５４ｃＳｔの１００℃におけるベースオイル粘度、及び７１２０ｃＰの−３０℃におけるＣＣＳＶを有した。ＣＣＳＶに基づき、実施例１０は１０Ｗ−３０エンジンオイルであった。パルミチン酸デシルコベースの添加によって、−３０℃におけるＣＣＳＶに有意な影響を及ぼすことなく、１００℃におけるベースオイル粘度の有意な減少がもたらされ、したがって、１０Ｗ−３０の最初の粘度グレードが維持される。このベースオイル再均衡によって燃料経済性が改善されることが予想される（Ｃｒｏｓｔｈｗａｉｔら）。加えて、本発明の実施例１０は、流動点、及び走査Ｂｒｏｏｋｆｉｅｌｄゲル化指数を含む良好な低温特性を維持する。
【０２０８】
比較例１９は、ベースストック混合物として、グループＩＩＩ−Ｂ４、グループＩＩＩ−Ｂ６、グループＩＶ−４、及びグループＶ−Ａによって配合された５Ｗ−３０エンジンオイルの特性を示す。注目すべき基本特性は、１００℃におけるベースオイル粘度は４．４８ｃＳｔであったこと、及び−３５℃におけるＣＣＳＶは８１３０ｃＰであったことである。ＣＣＳＶに基づき、比較例１９は５Ｗ−３０エンジンオイルであった。本発明の実施例１１において、本発明の実施例１１の−３５℃におけるＣＣＳＶが比較例１９の―３５℃におけるＣＣＳＶと適合するように、グループＶ−Ａ及びグループＩＩＩ−Ｂ４及びグループＩＩＩ−Ｂ６ベースストックの代わりの５％のパルミチン酸デシルを再均衡させた。得られた配合物は、４．１０ｃＳｔの１００℃におけるベースオイル粘度、及び７７４０ｃＰの−３５℃におけるＣＣＳＶを有した。ＣＣＳＶに基づき、実施例１１は５Ｗ−３０エンジンオイルであった。パルミチン酸デシルコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例１１は、流動点、及び走査Ｂｒｏｏｋｆｉｅｌｄゲル化指数を含む良好な低温特性を維持する。比較例２０は、ベースストック混合物として、グループＩＩＩ−Ｂ４、グループＩＩＩ−Ｂ６、グループＩＶ−４、及びグループＶ−Ａによって配合された１０Ｗ−３０エンジンオイルの特性を示した。注目すべき基本特性は、５．７６ｃＳｔの１００℃におけるベースオイル粘度、及び７２５０ｃＰの−３０℃におけるＣＣＳＶであった。ＣＣＳＶに基づき、比較例２０は１０Ｗ−３０エンジンオイルであった。本発明の実施例１２において、本発明の実施例１２の−３０℃におけるＣＣＳＶが比較例２０の―３０℃におけるＣＣＳＶと適合するように、グループＶ−Ａ及びグループＩＩＩ−Ｂ４及びグループＩＩＩ−Ｂ６ベースストックの代わりの５％のパルミチン酸デシルを再均衡させた。得られた配合物は、５．０２ｃＳｔの１００℃におけるベースオイル粘度、及び７１４０ｃＰの−３０℃におけるＣＣＳＶを有した。ＣＣＳＶに基づき、実施例１２は１０Ｗ−３０エンジンオイルであった。パルミチン酸デシルコベースの添加によって、−３０℃におけるＣＣＳＶに有意な影響を及ぼすことなく、１００℃におけるベースオイル粘度の有意な減少がもたらされ、したがって、１０Ｗ−３０の最初の粘度グレードが維持される。このベースオイル再均衡によって燃料経済性が改善されることが予想される（Ｃｒｏｓｔｈｗａｉｔら）。加えて、本発明の実施例１０は、流動点、及び走査Ｂｒｏｏｋｆｉｅｌｄゲル化指数を含む良好な低温特性を維持する。
【０２０９】
比較例２１は、ベースストック混合物として、グループＩＩＩ−Ａ４、グループＩＩＩ−Ａ８、グループＩＶ−４、及びグループＶ−Ａによって配合された５Ｗ−３０エンジンオイルの特性を示す。注目すべき基本特性は、５．１８ｃＳｔの１００℃におけるベースオイル粘度、及び７８２０ｃＰの−３５℃におけるＣＣＳＶである。ＣＣＳＶに基づき、比較例２１は５Ｗ−３０エンジンオイルであった。本発明の実施例１３において、本発明の実施例１３の−３５℃におけるＣＣＳＶが比較例２１の―３５℃におけるＣＣＳＶと適合するように、グループＶ−Ａ及びグループＩＩＩ−Ａ４及びグループＩＩＩ−Ａ８ベースストックの代わりの５％のパルミチン酸デシルを再均衡させた。得られた配合物は、４．４９ｃＳｔの１００℃におけるベースオイル粘度、及び７８１０ｃＰの−３５℃におけるＣＣＳＶを有した。ＣＣＳＶに基づき、実施例１３は５Ｗ−３０エンジンオイルであった。パルミチン酸デシルコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例１３は、走査Ｂｒｏｏｋｆｉｅｌｄゲル化指数を含む良好な低温特性を維持する。比較例２２は、ベースストック混合物として、グループＩＩＩ−Ａ４、グループＩＩＩ−Ａ８、グループＩＶ−４、及びグループＶ−Ａによって配合された１０Ｗ−３０エンジンオイルの特性を示した。注目すべき基本特性は、６．６６ｃＳｔの１００℃におけるベースオイル粘度、及び７１５０ｃＰの−３０℃におけるＣＣＳＶであった。ＣＣＳＶに基づき、比較例２２は１０Ｗ−３０エンジンオイルであった。本発明の実施例１４において、本発明の実施例１４の−３０℃におけるＣＣＳＶが比較例２２の―３０℃におけるＣＣＳＶと適合するように、グループＶ−Ａ及びグループＩＩＩ−Ａ４及びグループＩＩＩ−Ａ８ベースストックの代わりの５％のパルミチン酸デシルを再均衡させた。得られた配合物は、５．９０ｃＳｔの１００℃におけるベースオイル粘度、及び７３５０ｃＰの−３０℃におけるＣＣＳＶを有した。ＣＣＳＶに基づき、実施例１４は１０Ｗ−３０エンジンオイルであった。パルミチン酸デシルコベースの添加によって、−３０℃におけるＣＣＳＶに有意な影響を及ぼすことなく、１００℃におけるベースオイル粘度の有意な減少がもたらされ、したがって、１０Ｗ−３０の最初の粘度グレードが維持される。このベースオイル再均衡によって燃料経済性が改善されることが予想される（Ｃｒｏｓｔｈｗａｉｔら）。加えて、本発明の実施例１０は、流動点、及び走査Ｂｒｏｏｋｆｉｅｌｄゲル化指数を含む良好な低温特性を維持する。
【０２１０】
比較例２１は、ベースストック混合物として、グループＩＩＩ−Ａ４、グループＩＩＩ−Ａ８、グループＩＶ−４、及びグループＶ−Ａによって配合された５Ｗ−３０エンジンオイルの特性を示す。注目すべき基本特性は、５．１８ｃＳｔの１００℃におけるベースオイル粘度、及び７８２０ｃＰの−３５℃におけるＣＣＳＶである。ＣＣＳＶに基づき、比較例２１は５Ｗ−３０エンジンオイルである。本発明の実施例１５において、本発明の実施例１５の−３５℃におけるＣＣＳＶが比較例２１の―３５℃におけるＣＣＳＶと適合するように、グループＶ−Ａ及びグループＩＩＩ−Ａ４及びグループＩＩＩ−Ａ８ベースストックの代わりの５％のココナッツ油を再均衡させた。得られた配合物は、４．５１ｃＳｔの１００℃におけるベースオイル粘度、及び７８００ｃＰの−３５℃におけるＣＣＳＶを有した。ＣＣＳＶに基づき、実施例１５は５Ｗ−３０エンジンオイルであった。ココナッツ油コベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例１５は、流動点、及び走査Ｂｒｏｏｋｆｉｅｌｄゲル化指数を含む良好な低温特性を維持する。図１０は、一定ＣＣＳＶを維持しながら１００℃におけるベースオイル粘度を減少させるためにパルミチン酸デシルが使用される場合の比較例及び本発明の実施例を提供する。図１０中の全ての比較例及び本発明の実施例に関する粘度変性剤は、二峰性分子量分布を有する水素化イソプレン星形ポリマーであった。第１のピークは、１，０５０，０００のＭｗ、９３９，０００のＭｎ（光散乱によって決定）及び１．１２の多分散性指数を有する。粘度変性剤は、２８２，０００のＭｗ、２６８，０００のＭｎ（光散乱によって決定）及び１．０５の多分散性指数を有する第２のピークを有する。比較例２１は、ベースストック混合物として、グループＩＩＩ−Ａ４、グループＩＩＩ−Ａ８、グループＩＶ−４、及びグループＶ−Ａによって配合された５Ｗ−３０エンジンオイルの特性を示した。注目すべき基本特性は、５．１８ｃＳｔの１００℃におけるベースオイル粘度、及び７８２０ｃＰの−３５℃におけるＣＣＳＶであった。ＣＣＳＶに基づき、比較例２１は５Ｗ−３０エンジンオイルであった。本発明の実施例１６において、本発明の実施例１６の−３５℃におけるＣＣＳＶが比較例２１の―３５℃におけるＣＣＳＶと適合するように、グループＶ−Ａ及びグループＩＩＩ−Ａ４及びグループＡ８ベースストックの代わりの２％のパルミチン酸デシルを再均衡させた。得られた配合物は、５．０７ｃＳｔの１００℃におけるベースオイル粘度、及び７９５０ｃＰの−３５℃におけるＣＣＳＶを有した。ＣＣＳＶに基づき、実施例１６は５Ｗ−３０エンジンオイルであった。パルミチン酸デシルコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例１６は、流動点、及び走査Ｂｒｏｏｋｆｉｅｌｄゲル化指数含む良好な低温特性を維持する。本発明の実施例１３において、本発明の実施例１３の−３５℃におけるＣＣＳＶが比較例２１の―３５℃におけるＣＣＳＶと適合するように、グループＶ−Ａ及びグループＩＩＩ−Ａ４及びグループＩＩＩ−Ａ８ベースストックの代わりの５％のパルミチン酸デシルを再均衡させた。得られた配合物は、４．４９ｃＳｔの１００℃におけるベースオイル粘度、及び７８１０ｃＰの−３５℃におけるＣＣＳＶを有した。ＣＣＳＶに基づき、本発明の実施例１３は５Ｗ−３０エンジンオイルであった。パルミチン酸デシルコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例１３は、走査Ｂｒｏｏｋｆｉｅｌｄゲル化指数を含む良好な低温特性を維持した。本発明の実施例１７において、本発明の実施例１７の−３５℃におけるＣＣＳＶが比較例２１の―３５℃におけるＣＣＳＶと適合するように、グループＶ−Ａ及びグループＩＩＩ−Ａ４及びグループＩＩＩ−Ａ８ベースストックの代わりの８％のパルミチン酸デシルを再均衡させた。得られた配合物は、４．３８ｃＳｔの１００℃におけるベースオイル粘度、及び７９１０ｃＰの−３５℃におけるＣＣＳＶを有した。ＣＣＳＶに基づき、本発明の実施例１７は５Ｗ−３０エンジンオイルであった。パルミチン酸デシルコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例１７は、流動点を含む良好な低温特性を維持した。本発明の実施例１８において、本発明の実施例１７の−３５℃におけるＣＣＳＶが比較例２１の―３５℃におけるＣＣＳＶと適合するように、グループＶ−Ａ及びグループＩＩＩ−Ａ４及びグループＩＩＩ−Ａ８ベースストックの代わりの１２％のパルミチン酸デシルを再均衡させた。得られた配合物は、４．２２ｃＳｔの１００℃におけるベースオイル粘度、及び８４００ｃＰの−３５℃におけるＣＣＳＶを有した。ＣＣＳＶに基づき、本発明の実施例１８は５Ｗ−３０エンジンオイルであった。パルミチン酸デシルコベースの添加によって、−３５℃におけるＣＣＳＶに有意な影響を及ぼすことなく、１００℃におけるベースオイル粘度の有意な減少がもたらされ、したがって、５Ｗ−３０の最初の粘度グレードが維持される。このベースオイル再均衡によって燃料経済性が改善されることが予想される（Ｃｒｏｓｔｈｗａｉｔら）。加えて、本発明の実施例１８は、流動点を含む良好な低温特性を維持した。
【０２１１】
本開示の潤滑油は、燃料効率及びエネルギー効率の改善をもたらす。より低ＴＨＳ粘度のエンジンオイルは、一般に、より高ＨＴＨＳ粘度の製品よりも良好な燃料経済性をもたらす。この利益は、本開示の潤滑油のシーケンスＶＩＤ燃料経済性（ＡＳＴＭ  Ｄ７５８９）エンジン試験において実証可能である。本開示の潤滑油は、堆積物制御及び清浄度性能の改善又は維持をもたらす。この利益は、本開示の潤滑油のシーケンスＩＩＩＧエンジン試験（ＡＳＴＭ  Ｄ７３２０）において実証される。
【０２１２】
図６〜１０にいくつかのブレンド及び特性を示す。ＳＡＥ  ０Ｗ−８エンジンオイルと同程度の低さの粘度を有するブレンドがモデル化されており、ＳＡＥ  ０Ｗ粘度規格をなお満たしながら、このＣ２８ＭＰを最大１２重量％組み込むことができる。１２重量％において、トラクション利益は明白となり得るが、配合物の揮発性が高すぎるため、他の工業規格を満たさない。
【０２１３】
ＰＣＴ及びＥＰ条項：
１．ベースオイル混合物を含んでなる潤滑油であって、潤滑油がＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定されるベースオイル混合物の動粘度（Ｋｖ１００）を減少させるために、ベースオイル混合物が、主成分として潤滑油ベースストックと、１００℃において約６．２ｃＳｔ未満の動粘度（Ｋｖ１００）を有する潤滑油の１〜１５重量％の微量成分として少なくとも１種のコベースストックとを含んでなる、潤滑油。
【０２１４】
２．少なくとも１種のコベースストックが、Ｃ２０〜３６ポリアルファオレフィン、Ｃ２４〜３２ポリアルファオレフィン、Ｃ２４〜２８ポリアルファオレフィン、又はそれらの混合物であり、且つ約１〜約４の分岐点を有する、条項１の潤滑油。
【０２１５】
３．少なくとも１種のコベースストックが、ＡＳＴＭ  Ｄ４４５によって決定される１００℃における約４ｃＳｔ未満の動粘度（Ｋｖ１００）を有する二量体化、水素化Ｃ１４線形アルファオレフィンである、条項１及び２の潤滑油。
【０２１６】
４．ＡＳＴＭ  Ｄ４４５によって決定される約２ｃＳｔ〜約１２ｃＳｔの１００℃における動粘度（Ｋｖ１００）、ＡＳＴＭ  Ｄ５２９３−１５によって決定される約１０００ｃＰ〜約６２００ｃＰの−３５℃におけるコールドクランキングシミュレーター粘度（ＣＣＳＶ）、ＡＳＴＭ  Ｄ５２９３−１５によって決定される約１０００ｃＰ〜約６６００ｃＰの−３０℃におけるコールドクランキングシミュレーター粘度（ＣＣＳＶ）、ＡＳＴＭ  Ｄ５２９３−１５によって決定される約１０００ｃＰ〜約７０００ｃＰの−２５℃におけるコールドクランキングシミュレーター粘度（ＣＣＳＶ）、及びＡＳＴＭ  Ｄ４６８３−１３によって決定される約３．５ｃＰ未満の高温高剪断（ＨＴＨＳ）粘度を有する、条項１〜３の潤滑油。
【０２１７】
５．ＡＳＴＭ  Ｄ２２７０によって決定される約８０〜約３００の粘度指数（ＶＩ）、及びＡＳＴＭ  Ｄ５８００によって決定される２５％以下のＮｏａｃｋ揮発性を有する、条項１〜４の潤滑油。
【０２１８】
６．ＡＳＴＭ  Ｄ４４５によって決定されるベースオイル混合物の動粘度（Ｋｖ１００）が、約０．５ｃＳｔより多く減少する、条項１〜５の潤滑油。
【０２１９】
７．ＳＡＥ  ５Ｗ−２０エンジンオイル、ＳＡＥ  ５Ｗ−３０エンジンオイル、又はＳＡＥ  １０Ｗ−３０エンジンオイルである、条項１〜６の潤滑油。
【０２２０】
８．潤滑油として配合油を使用することによって、潤滑油によって潤滑されたエンジンにおける堆積物制御及び清浄度性能を維持又は改善しながら、燃料効率及びエネルギー効率を改善する方法であって、前記配合油がベースオイル混合物を含んでなり、潤滑油がＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される潤滑油のコールドクランキングシミュレーター粘度（ＣＣＳＶ）を維持又は制御しながら、ＡＳＴＭ  Ｄ４４５によって決定されるベースオイル混合物の動粘度（Ｋｖ１００）を減少させるために、ベースオイル混合物が、主成分として潤滑油ベースストックと、１００℃において約６．２ｃＳｔ未満の動粘度（Ｋｖ１００）を有する潤滑油の１〜１５重量％の微量成分として少なくとも１種のコベースストックとを含んでなり、そして潤滑油が匹敵するＡＳＴＭ  Ｄ５２９３−１５によって決定されたコールドクランキングシミュレーター粘度（ＣＣＳＶ）及びＡＳＴＭ  Ｄ４６８３−１３によって決定された高温高剪断（ＨＴＨＳ）粘度を有する場合、コベースストック以外の微量成分を含有する潤滑油を使用して達成された燃料効率、エネルギー効率、堆積物制御及び清浄度性能と比較して、燃料効率及びエネルギー効率が改善され、且つ堆積物制御及び清浄度性能が維持又は改善される、方法。
【０２２１】
９．少なくとも１種のコベースストックが、Ｃ２０〜３６ポリアルファオレフィン、Ｃ２４〜３２ポリアルファオレフィン、Ｃ２４〜２８ポリアルファオレフィン、又はそれらの混合物であり、且つ約１〜約４の分岐点を有する、条項８の方法。
【０２２２】
１０．少なくとも１種のコベースストックが、ＡＳＴＭ  Ｄ４４５によって決定される１００℃における約４ｃＳｔ未満の動粘度（Ｋｖ１００）を有する二量体化、水素化Ｃ１４線形アルファオレフィンである、条項８及び９の方法。
【０２２３】
１１．潤滑油が、ＡＳＴＭ  Ｄ４４５によって決定される約２ｃＳｔ〜約１２ｃＳｔの１００℃における動粘度（Ｋｖ１００）、ＡＳＴＭ  Ｄ５２９３−１５によって決定される約１０００ｃＰ〜約６２００ｃＰの−３５℃におけるコールドクランキングシミュレーター粘度（ＣＣＳＶ）、ＡＳＴＭ  Ｄ５２９３−１５によって決定される約１０００ｃＰ〜約６６００ｃＰの−３０℃におけるコールドクランキングシミュレーター粘度（ＣＣＳＶ）、ＡＳＴＭ  Ｄ５２９３−１５によって決定される約１０００ｃＰ〜約７０００ｃＰの−２５℃におけるコールドクランキングシミュレーター粘度（ＣＣＳＶ）、及びＡＳＴＭ  Ｄ４６８３−１３によって決定される約３．５ｃＰ未満の高温高剪断（ＨＴＨＳ）粘度を有する、条項８〜１０の方法。
【０２２４】
１２．潤滑油が、ＡＳＴＭ  Ｄ２２７０によって決定される約８０〜約３００の粘度指数（ＶＩ）、及びＡＳＴＭ  Ｄ５８００によって決定される２５％以下のＮｏａｃｋ揮発性を有する、条項８〜１１の方法。
【０２２５】
１３．ＡＳＴＭ  Ｄ４４５によって決定されるベースオイル混合物の動粘度（Ｋｖ１００）が、約０．５ｃＳｔより多く減少する、条項８〜１２の方法。
【０２２６】
１４．潤滑油が、ＳＡＥ  ５Ｗ−２０エンジンオイル、ＳＡＥ  ５Ｗ−３０エンジンオイル、又はＳＡＥ  １０Ｗ−３０エンジンオイルである、条項８〜１３の方法。
【０２２７】
１５．潤滑油ベースストックが、グループＩＩＩベースストック、グループＩＶベースストック、又はそれらの混合物を含んでなる、条項８〜１４の方法。
【０２２８】
本明細書に引用される全ての特許及び特許出願、試験手順（ＡＳＴＭ法、ＵＬ法など）及び他の文献は、そのような開示が本開示と一致する限り、及びそのような組み込みが容認される全ての権限に関して、参照によって完全に組み込まれる。
【０２２９】
本明細書で使用される場合、ＳＡＥ  Ｊ３００粘度グレード分類システムは、ＳＡＥ  Ｉｎｔｅｒｎａｔｉｏｎａｌによって出版された、ＳＡＥ  Ｊ３００  ２０１５版（２０１５年１月）を指す。
【０２３０】
数値的な下限及び数値的な上限が本明細書に記載される場合、いずれかの下限からいずれかの上限までの範囲が考慮される。本開示の例示的な実施形態が詳細に記載されているが、様々なその他の修正形態は、本開示の趣旨及び範囲から逸脱することなく、当業者にとって明らかであり、かつ当業者によって容易になされ得ることが理解されるであろう。したがって、添付された特許請求の範囲は、本明細書で明らかにされた実施例及び記載に限定されるように意図されず、むしろ、請求項が、本開示が関連する当業者によって、その均等物として扱われるであろう全ての特徴を含めて、本開示に存在する特許取得可能な新規性の全ての特徴を包含すると解釈される。
【０２３１】
本開示は、多数の実施形態及び個々の実施例を参照して上記された。上記の詳細な説明を考慮に入れて、当業者は多くの変形形態を提案するであろう。全てのそのような明白な変形形態は、添付の請求項の全ての意図された範囲内にある。
【図１】
2020511581.tif 000007
【図２】
2020511581.tif 000008
【図３】
2020511581.tif 000009
【図４】
2020511581.tif 000010
【図５】
2020511581.tif 000011
【図６】
2020511581.tif 000012
【図７】
2020511581.tif 000013
【図８】
2020511581.tif 000014
【図９】
2020511581.tif 000015
【図１０】
2020511581.tif 000016
【手続補正書】
【提出日】平成30年9月17日(2018.9.17)
【手続補正１】
【補正対象書類名】特許請求の範囲
【補正対象項目名】全文
【補正方法】変更
【補正の内容】
【特許請求の範囲】
【請求項１】
ベースオイル混合物を含んでなる潤滑油であって、前記潤滑油がＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される前記潤滑油のコールドクランキングシミュレーター粘度（ＣＣＳＶ）を維持又は制御しながら、ＡＳＴＭ  Ｄ４４５によって決定される前記ベースオイル混合物の動粘度（Ｋｖ１００）を減少させるために、前記ベースオイル混合物が、主成分として、グループＩＩベースストック、グループＩＩＩベースストック、グループＩＶベースストック及びそれらの混合物からなる群から選択される潤滑油ベースストックと、１００℃において約６．２ｃＳｔ未満の動粘度（Ｋｖ１００）を有する前記潤滑油の１〜１５重量％の微量成分として、Ｃ２８メチルパラフィン、パルミチン酸デシル、ココナッツ油及びＣ１８二量体からなる群から選択される少なくとも１種のコベースストックとを含んでなる、潤滑油。
【請求項２】
ＳＡＥ  ５Ｗ−２０エンジンオイル、ＳＡＥ  ５Ｗ−３０エンジンオイル、又はＳＡＥ  １０Ｗ−３０エンジンオイルである、請求項１に記載の潤滑油。
【請求項３】
前記潤滑油がＡＳＴＭ  Ｄ５２９３−１５によって決定される匹敵するコールドクランキングシミュレーター粘度（ＣＣＳＶ）及びＡＳＴＭ  Ｄ４６８３−１３によって決定される高温高剪断（ＨＴＨＳ）粘度を有する場合、前記コベースストック以外の微量成分を含有するベースオイル混合物の動粘度（Ｋｖ１００）と比較して、ＡＳＴＭ  Ｄ４４５によって決定される前記ベースオイル混合物の動粘度（Ｋｖ１００）が減少する、請求項１に記載の潤滑油。
【請求項４】
ＡＳＴＭ  Ｄ４４５によって決定される前記ベースオイル混合物の前記動粘度（Ｋｖ１００）が、約０．５ｃＳｔよりも多く減少する、請求項３に記載の潤滑油。
【請求項５】
前記潤滑油がＡＳＴＭ  Ｄ５２９３−１５によって決定される匹敵するコールドクランキングシミュレーター粘度（ＣＣＳＶ）及びＡＳＴＭ  Ｄ４６８３−１３によって決定される高温高剪断（ＨＴＨＳ）粘度を有する場合、前記コベースストック以外の微量成分を含有する潤滑油のＮｏａｃｋ揮発性と比較して、ＡＳＴＭ  Ｄ５８００によって決定される前記潤滑油のＮｏａｃｋ揮発性が減少する、請求項１に記載の潤滑油。
【請求項６】
ＡＳＴＭ  Ｄ５８００によって決定される前記潤滑油の前記Ｎｏａｃｋ揮発性が、約０．５〜約２．５重量％減少する、請求項５に記載の潤滑油。
【請求項７】
ＡＳＴＭ  Ｄ４４５によって決定される約２ｃＳｔ〜約１２ｃＳｔの１００℃における動粘度（Ｋｖ１００）、ＡＳＴＭ  Ｄ５２９３−１５によって決定される約１０００ｃＰ〜約６２００ｃＰの−３５℃におけるコールドクランキングシミュレーター粘度（ＣＣＳＶ）、ＡＳＴＭ  Ｄ５２９３−１５によって決定される約１０００ｃＰ〜約６６００ｃＰの−３０℃におけるコールドクランキングシミュレーター粘度（ＣＣＳＶ）、ＡＳＴＭ  Ｄ５２９３−１５によって決定される約１０００ｃＰ〜約７０００ｃＰの−２５℃におけるコールドクランキングシミュレーター粘度（ＣＣＳＶ）、及びＡＳＴＭ  Ｄ４６８３−１３によって決定される約３．５ｃＰ未満の高温高剪断（ＨＴＨＳ）粘度を有する、請求項１に記載の潤滑油。
【請求項８】
ＡＳＴＭ  Ｄ２２７０によって決定される約８０〜約３００の粘度指数（ＶＩ）、及びＡＳＴＭ  Ｄ５８００によって決定される２５％以下のＮｏａｃｋ揮発性を有する、請求項１に記載の潤滑油。
【請求項９】
ＭＴＭ（ミニトラクションマシン）トラクション試験によって決定される場合、前記コベースストック以外の微量成分を含有する潤滑油のＭＴＭトラクションと比較して、約５％より多いＭＴＭトラクション減少を有する、請求項１に記載の潤滑油。
【請求項１０】
１種以上の粘度向上剤、酸化防止剤、清浄剤、分散剤、流動点降下剤、腐食抑制剤、金属不活性剤、シール適合性添加剤、抗発泡剤、抑制剤、及び抗さび添加剤をさらに含んでなる、請求項１に記載の潤滑油。
【請求項１１】
前記潤滑油の全重量に基づき、前記潤滑油ベースストックが、約８８重量％〜約９８重量％の量で存在し、且つ前記コベースストックが、約２重量％〜約１２重量％の量で存在する、請求項１に記載の潤滑油。
【請求項１２】
乗用車エンジンオイル（ＰＶＥＯ）又は商用車エンジンオイル（ＣＶＥＯ）である、請求項１に記載の潤滑油。
【請求項１３】
前記ココナッツ油が、不飽和酸成分の濃度を減少させるために水素化される、請求項１に記載の潤滑油。
【請求項１４】
潤滑油として配合油を使用することによって、前記潤滑油によって潤滑されたエンジンにおける堆積物制御及び清浄度性能を維持又は改善しながら、燃料効率及びエネルギー効率を改善する方法であって、前記配合油がベースオイル混合物を含んでなり、前記潤滑油がＳＡＥ  Ｊ３００粘度グレード分類システムによって決定されるＳＡＥエンジンオイルグレードに関する動粘度（Ｋｖ１００）及びコールドクランキングシミュレーター粘度（ＣＣＳＶ）の両方の必要条件を満たすように、ＡＳＴＭ  Ｄ５２９３−１５によって決定される前記潤滑油のコールドクランキングシミュレーター粘度（ＣＣＳＶ）を維持又は制御しながら、ＡＳＴＭ  Ｄ４４５によって決定される前記ベースオイル混合物の動粘度（Ｋｖ１００）を減少させるために、前記ベースオイル混合物が、主成分として、グループＩＩベースストック、グループＩＩＩベースストック、グループＩＶベースストック及びそれらの混合物からなる群から選択される潤滑油ベースストックと、１００℃において約６．２ｃＳｔ未満の動粘度（Ｋｖ１００）を有する前記潤滑油の１〜１５重量％の微量成分として、Ｃ２８メチルパラフィン、パルミチン酸デシル、ココナッツ油及びＣ１８二量体からなる群から選択される少なくとも１種のコベースストックとを含んでなり、そして前記潤滑油が匹敵するＡＳＴＭ  Ｄ５２９３−１５によって決定されたコールドクランキングシミュレーター粘度（ＣＣＳＶ）及びＡＳＴＭ  Ｄ４６８３−１３によって決定された高温高剪断（ＨＴＨＳ）粘度を有する場合、前記コベースストック以外の微量成分を含有する潤滑油を使用して達成された燃料効率、エネルギー効率、堆積物制御及び清浄度性能と比較して、燃料効率及びエネルギー効率が改善され、且つ堆積物制御及び清浄度性能が維持又は改善される、方法。
【請求項１５】
前記潤滑油が、ＳＡＥ  ５Ｗ−２０エンジンオイル、ＳＡＥ  ５Ｗ−３０エンジンオイル、又はＳＡＥ  １０Ｗ−３０エンジンオイルである、請求項１４に記載の方法。
【請求項１６】
前記潤滑油がＡＳＴＭ  Ｄ５２９３−１５によって決定される匹敵するコールドクランキングシミュレーター粘度（ＣＣＳＶ）及びＡＳＴＭ  Ｄ４６８３−１３によって決定される高温高剪断（ＨＴＨＳ）粘度を有する場合、前記コベースストック以外の微量成分を含有するベースオイル混合物の動粘度（Ｋｖ１００）と比較して、ＡＳＴＭ  Ｄ４４５によって決定される前記ベースオイル混合物の動粘度（Ｋｖ１００）が減少する、請求項１４に記載の方法。
【請求項１７】
ＡＳＴＭ  Ｄ４４５によって決定される前記ベースオイル混合物の前記動粘度（Ｋｖ１００）が、約０．５ｃＳｔよりも多く減少する、請求項１４に記載の方法。
【請求項１８】
前記潤滑油がＡＳＴＭ  Ｄ５２９３−１５によって決定される匹敵するコールドクランキングシミュレーター粘度（ＣＣＳＶ）及びＡＳＴＭ  Ｄ４６８３−１３によって決定される高温高剪断（ＨＴＨＳ）粘度を有する場合、前記コベースストック以外の微量成分を含有する潤滑油のＮｏａｃｋ揮発性と比較して、ＡＳＴＭ  Ｄ５８００によって決定される前記潤滑油のＮｏａｃｋ揮発性が減少する、請求項１４に記載の方法。
【請求項１９】
ＡＳＴＭ  Ｄ５８００によって決定される前記潤滑油の前記Ｎｏａｃｋ揮発性が、約０．５〜約２．５重量％減少する、請求項１８に記載の方法。
【請求項２０】
前記潤滑油が、ＡＳＴＭ  Ｄ４４５によって決定される約２ｃＳｔ〜約１２ｃＳｔの１００℃における動粘度（Ｋｖ１００）、ＡＳＴＭ  Ｄ５２９３−１５によって決定される約１０００ｃＰ〜約６２００ｃＰの−３５℃におけるコールドクランキングシミュレーター粘度（ＣＣＳＶ）、ＡＳＴＭ  Ｄ５２９３−１５によって決定される約１０００ｃＰ〜約６６００ｃＰの−３０℃におけるコールドクランキングシミュレーター粘度（ＣＣＳＶ）、ＡＳＴＭ  Ｄ５２９３−１５によって決定される約１０００ｃＰ〜約７０００ｃＰの−２５℃におけるコールドクランキングシミュレーター粘度（ＣＣＳＶ）、及びＡＳＴＭ  Ｄ４６８３−１３によって決定される約３．５ｃＰ未満の高温高剪断（ＨＴＨＳ）粘度を有する、請求項１４に記載の方法。
【請求項２１】
前記潤滑油が、ＡＳＴＭ  Ｄ２２７０によって決定される約８０〜約３００の粘度指数（ＶＩ）、及びＡＳＴＭ  Ｄ５８００によって決定される２５％以下のＮｏａｃｋ揮発性を有する、請求項１４に記載の方法。
【請求項２２】
前記潤滑油が、ＭＴＭ（ミニトラクションマシン）トラクション試験によって決定される場合、前記コベースストック以外の微量成分を含有する潤滑油のＭＴＭトラクションと比較して、約５％より多いＭＴＭトラクション減少を有する、請求項１４に記載の方法。
【請求項２３】
前記潤滑油が、１種以上の粘度向上剤、酸化防止剤、清浄剤、分散剤、流動点降下剤、腐食抑制剤、金属不活性剤、シール適合性添加剤、抗発泡剤、抑制剤、及び抗さび添加剤をさらに含んでなる、請求項１４に記載の方法。
【請求項２４】
前記潤滑油の全重量に基づき、前記潤滑油ベースストックが、約８８重量％〜約９８重量％の量で存在し、且つ前記コベースストックが、約２重量％〜約１２重量％の量で存在する、請求項１４に記載の方法。
【請求項２５】
前記潤滑油が、乗用車エンジンオイル（ＰＶＥＯ）又は商用車エンジンオイル（ＣＶＥＯ）である、請求項１４に記載の方法。
【請求項２６】
前記ココナッツ油が、不飽和酸成分の濃度を減少させるために水素化される、請求項１４に記載の潤滑油。
【国際調査報告】
2020511581.tif 000017
2020511581.tif 000018
2020511581.tif 000019